(57)【要約】【課題】擬似連続変動において遊技者の認識し易い演出で遊技者の期待を煽り、遊技の興趣を向上させることができる遊技機を提供する。【解決手段】擬似連の変動中にチャンス目を仮停止するパターンとして、チャンス目を構成する図柄が順次仮停止する通常パターンと、リーチが成立可能な図柄（例えば右図柄）に対して特定可変表示を実行した後にチャンス目を構成する図柄を仮停止させる特定パターンとを設ける。擬似連の変動中に演出図柄が特定パターンで仮停止した後に再変動が継続して実行された場合は、リーチとなることが確定する。【選択図】図２４
2010131273.tif 000002
【特許請求の範囲】
【請求項１】
複数の識別情報の可変表示を行い、前記複数の識別情報の組み合わせからなる表示結果を導出表示する可変表示装置を備え、前記表示結果が特定表示結果となったときに遊技者にとって有利な特定遊技状態に制御する遊技機であって、
可変表示の開始条件の成立にもとづいて前記特定表示結果とするか否かを、表示結果を導出表示する以前に決定する事前決定手段と、
前記事前決定手段の決定結果にもとづいて、可変表示においてリーチ態様を成立させるか否かを含む可変表示の可変表示パターンを複数種類のいずれかに決定する可変表示パターン決定手段と、
前記可変表示パターン決定手段により決定された前記可変表示パターンにもとづいて前記識別情報の可変表示を実行する可変表示実行手段と、を備え、
前記可変表示パターンは、識別情報の可変表示が開始されてから表示結果が導出表示されるまでに一旦リーチ態様とならない表示結果を構成する識別情報を仮停止させた後に全ての識別情報について可変表示を再度実行する再可変表示を１回または複数回実行する再可変表示パターンを含み、
前記可変表示パターン決定手段は、前記事前決定手段により前記特定表示結果としないと決定された場合よりも前記特定表示結果とすると決定された場合に高い割合で再可変表示の実行回数の多い前記再可変表示パターンを決定し、
前記再可変表示パターンは、再可変表示を１回または複数回実行した後にリーチ態様が成立するリーチ再可変表示パターンと、再可変表示を１回または複数回実行した後にリーチ態様が成立せずに可変表示が終了する非リーチ再可変表示パターンとが設けられ、
前記再可変表示パターンにおける前記リーチ態様とならない表示結果を仮停止させる仮停止パターンは、前記リーチ態様とならない表示結果を構成する識別情報を順次仮停止させる通常パターンと、リーチ態様が成立可能な識別情報に対して特定可変表示を実行した後に前記リーチ態様とならない表示結果を構成する識別情報を仮停止させる特定パターンとが設けられ、
前記リーチ再可変表示パターンのみ、１の再可変表示において前記特定パターンを実行して前記リーチ態様とならない表示結果を仮停止した後に実行する再可変表示にてリーチ態様が成立する再可変表示パターンを含む
ことを特徴とする遊技機。
【請求項２】
複数の識別情報の可変表示を行い、前記複数の識別情報の組み合わせからなる表示結果を導出表示する可変表示装置を備え、前記表示結果が特定表示結果となったときに遊技者にとって有利な特定遊技状態に制御する遊技機であって、
可変表示の開始条件の成立にもとづいて前記特定表示結果とするか否かを、表示結果を導出表示する以前に決定する事前決定手段と、
前記事前決定手段の決定結果にもとづいて、可変表示においてリーチ態様を成立させるか否かを含む可変表示の可変表示パターンを複数種類のいずれかに決定する可変表示パターン決定手段と、
前記可変表示パターン決定手段により決定された前記可変表示パターンにもとづいて前記識別情報の可変表示を実行する可変表示実行手段と、を備え、
前記可変表示パターンは、識別情報の可変表示が開始されてから表示結果が導出表示されるまでに一旦リーチ態様とならない表示結果を構成する識別情報を仮停止させた後に全ての識別情報について可変表示を再度実行する再可変表示を１回または複数回実行する再可変表示パターンを含み、
前記可変表示パターン決定手段は、前記事前決定手段により前記特定表示結果としないと決定された場合よりも前記特定表示結果とすると決定された場合に高い割合で再可変表示の実行回数の多い前記再可変表示パターンを決定し、
前記再可変表示パターンは、再可変表示を１回または複数回実行した後にリーチ態様が成立するリーチ再可変表示パターンと、再可変表示を１回または複数回実行した後にリーチ態様が成立せずに可変表示が終了する非リーチ再可変表示パターンとが設けられ、
前記再可変表示パターンにおける前記リーチ態様とならない表示結果を仮停止させる仮停止パターンは、前記リーチ態様とならない表示結果を構成する識別情報を順次仮停止させる通常パターンと、リーチ態様が成立可能な識別情報に対して特定可変表示を実行した後に前記リーチ態様とならない表示結果を構成する識別情報を仮停止させる特定パターンとが設けられ、
前記リーチ再可変表示パターンのみ、１の再可変表示において前記特定パターンを実行して前記リーチ態様とならない表示結果を仮停止した場合にリーチ態様が成立する再可変表示パターンを含む
ことを特徴とする遊技機。
【請求項３】
リーチ態様は、第１リーチ態様と、該第１リーチ態様よりも特定表示結果となる可能性が高い第２リーチ態様とが設けられ、
前記第２リーチ態様が成立するリーチ再可変表示パターンのみ、再可変表示を所定実行回数以上実行しかつ再可変表示が特定パターンで仮停止するリーチ再可変表示パターンを含む
請求項１または請求項２記載の遊技機。
【請求項４】
特定パターンとして異なる特定可変表示を実行する複数種類の特定パターンが設けられ、
リーチ態様として複数種類のリーチ態様が設けられ、
可変表示パターン決定手段は、前記特定パターンの種類によって成立する前記リーチ態様の種類が異なる割合となるように、リーチ再可変表示パターンを決定する
請求項１から請求項３のうちのいずれかに記載の遊技機。
【請求項５】
リーチ態様は、第１リーチ態様と、該第１リーチ態様よりも特定表示結果となる可能性が高い第２リーチ態様とが設けられ、
可変表示パターン決定手段により再可変表示パターンとなると決定された識別情報の可変表示を開始するときに、再可変表示パターンとなることを報知する報知演出を実行可能である報知実行手段を備え、
前記可変表示パターン決定手段は、前記報知実行手段により報知演出が実行され、かつ再可変表示が特定パターンで仮停止するリーチ再可変表示パターンを決定する場合は、前記第２リーチ態様が成立するリーチ再可変表示パターンを決定する
請求項１から請求項４のうちのいずれかに記載の遊技機。
【請求項６】
事前決定手段の決定結果にもとづいて、当該決定の対象となる可変表示が開始されるよりも以前に実行される１回または複数回の可変表示中にて演出装置を用いて第１特殊演出を実行する第１特殊演出実行手段と、
前記事前決定手段の決定結果にもとづいて、当該決定の対象となる可変表示における再可変表示パターンにもとづく識別情報の可変表示の開始から初回の仮停止までの可変表示及び１回または複数回実行される再可変表示にて前記演出装置を用いて前記第１特殊演出と共通の態様の第２特殊演出を実行する第２特殊演出実行手段と、を備えた
請求項１から請求項５のうちのいずれかに記載の遊技機。
【発明の詳細な説明】
【技術分野】
【０００１】
本発明は、遊技者にとって有利な特定遊技状態に移行するパチンコ機等の遊技機に関する。
【背景技術】
【０００２】
遊技機として、遊技媒体である遊技球を発射装置によって遊技領域に発射し、遊技領域に設けられている入賞口などの入賞領域に遊技球が入賞すると、所定個の賞球が遊技者に払い出されるものがある。さらに、識別情報を可変表示（「変動」ともいう。）可能な可変表示部が設けられ、可変表示部において識別情報の可変表示の表示結果が特定表示結果となった場合に、所定の遊技価値を遊技者に与えるように構成されたものがある。
【０００３】
なお、遊技価値とは、遊技機の遊技領域に設けられた可変入賞球装置の状態が打球が入賞しやすい遊技者にとって有利な状態になることや、遊技者にとって有利な状態になるための権利を発生させたりすることや、賞球払出の条件が成立しやすくなる状態になることである。
【０００４】
パチンコ機（以下、遊技機という。）では、始動入賞口に遊技球が入賞したことにもとづいて可変表示部において開始される特別図柄（識別情報）の可変表示の表示結果として、あらかじめ定められた特定の表示態様が導出表示された場合に、「大当り」が発生する。なお、導出表示とは、図柄を停止表示させることである（いわゆる再変動の前の停止を除く。）。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。そして、大入賞口の開放回数は、所定回数（例えば１５ラウンド）に固定されている。なお、各開放について開放時間（例えば２９秒）が決められ、入賞数が所定個に達しなくても開放時間が経過すると大入賞口は閉成する。以下、各々の大入賞口の開放期間をラウンドということがある。
【０００５】
また、可変表示部において、最終停止図柄（例えば左右中図柄のうち中図柄）となる図柄以外の図柄が、所定時間継続して、特定の表示結果と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出をリーチ演出という。また、リーチ状態やその様子をリーチ態様という。さらに、リーチ演出を含む可変表示をリーチ可変表示という。そして、可変表示装置に変動表示される図柄の表示結果が特定の表示結果でない場合には「はずれ」となり、変動表示状態は終了する。遊技者は、大当りをいかにして発生させるかを楽しみつつ遊技を行う。
【０００６】
そのような遊技機では、１の始動入賞にもとづく１回の図柄の変動中に複数回の再変動（擬似変動）を行う擬似連続変動を実行可能であるものや（例えば、特許文献１参照）、擬似連続変動における再変動の回数に応じて表示装置に表示されている背景を変化させるものがある（例えば、特許文献２参照）。
【０００７】
【特許文献１】特開２００６−２０４８０９号公報
【特許文献２】特開２００１−２４６６３４号公報
【発明の開示】
【発明が解決しようとする課題】
【０００８】
上述した遊技機では、擬似連続変動として複数回実行される再変動の各々においてリーチを発生させたり、スーパーリーチがはずれとなった後に再度擬似連続変動を実行してドハズレ出目（リーチにもならないはずれ図柄の組み合わせ）を停止させるような演出を実行する。このような演出を実行する場合、擬似連続変動においてどのような演出が実行されたときに大当りの期待度が高いかが認識し難く、遊技者が興ざめしてしまうことになる。
【０００９】
そこで、本発明は、擬似連続変動において遊技者の認識し易い演出で遊技者の期待を煽り、遊技の興趣を向上させることができる遊技機を提供することを目的とする。
【課題を解決するための手段】
【００１０】
本発明による遊技機は、複数の識別情報（例えば演出図柄）の可変表示を行い、複数の識別情報の組み合わせからなる表示結果を導出表示する可変表示装置（例えば演出表示装置９）を備え、表示結果が特定表示結果（例えば大当り図柄）となったときに遊技者にとって有利な特定遊技状態（例えば大当り遊技状態）に制御する遊技機であって、可変表示の開始条件の成立にもとづいて特定表示結果とするか否かを、表示結果を導出表示する以前に決定する事前決定手段（例えば、遊技制御用マイクロコンピュータ５６０におけるステップＳ６１を実行する部分）と、事前決定手段の決定結果にもとづいて、可変表示においてリーチ態様を成立させるか否かを含む可変表示の可変表示パターン（例えば変動パターン）を複数種類のいずれかに決定する可変表示パターン決定手段（例えば、遊技制御用マイクロコンピュータ５６０におけるステップＳ１０５を実行する部分）と、可変表示パターン決定手段により決定された可変表示パターンにもとづいて識別情報の可変表示を実行する可変表示実行手段（例えば、演出制御用マイクロコンピュータ１００におけるステップＳ８００〜Ｓ８０４を実行する部分）と、を備え、可変表示パターンは、識別情報の可変表示が開始されてから表示結果が導出表示されるまでに一旦リーチとならない表示結果（例えばチャンス目）を構成する識別情報を仮停止させた後に全ての識別情報について可変表示を再度実行する再可変表示（例えば再変動）を１回または複数回実行する再可変表示パターン（例えば、擬似連の変動パターン）を含み、可変表示パターン決定手段は、事前決定手段により特定表示結果としないと決定された場合よりも特定表示結果とすると決定された場合に高い割合で再可変表示の実行回数の多い再可変表示パターンを決定し（例えば、再変動が４回実行された場合は再変動が１回実行された場合よりも大当り信頼度が高くなるように変動パターン判定テーブルに擬似連の変動パターンを設定し）、再可変表示パターンは、再可変表示を１回または複数回実行した後にリーチ態様が成立するリーチ再可変表示パターン（例えば、再変動が実行された後にリーチ状態となる擬似連の変動パターン）と、再可変表示を１回または複数回実行した後にリーチ態様が成立せずに可変表示が終了する非リーチ再可変表示パターン（例えば、再変動が実行された後にリーチ状態とならずにそのまま処理を終了する擬似連の変動パターン）とが設けられ、再可変表示パターンにおけるリーチとならない表示結果を仮停止させる仮停止パターンは、リーチとならない表示結果を構成する複数の識別情報を順次仮停止させる通常パターン（図２４左側の仮停止パターン）と、リーチ態様が成立可能な識別情報に対して特定可変表示を実行した後にリーチとならない表示結果を構成する識別情報を仮停止させる特定パターン（図２４右側の仮停止パターン）とが設けられ、リーチ再可変表示パターンのみ、１の再可変表示において特定パターンを実行してリーチとならない表示結果を仮停止した後に実行する再可変表示にてリーチ態様が成立する再可変表示パターンを含む（図６および図７参照）ことを特徴とする。
【００１１】
本発明による遊技機は、複数の識別情報（例えば演出図柄）の可変表示を行い、複数の識別情報の組み合わせからなる表示結果を導出表示する可変表示装置（例えば演出表示装置９）を備え、表示結果が特定表示結果（例えば大当り図柄）となったときに遊技者にとって有利な特定遊技状態（例えば大当り遊技状態）に制御する遊技機であって、可変表示の開始条件の成立にもとづいて特定表示結果とするか否かを、表示結果を導出表示する以前に決定する事前決定手段（例えば、遊技制御用マイクロコンピュータ５６０におけるステップＳ６１を実行する部分）と、事前決定手段の決定結果にもとづいて、可変表示においてリーチ態様を成立させるか否かを含む可変表示の可変表示パターン（例えば変動パターン）を複数種類のいずれかに決定する可変表示パターン決定手段（例えば、遊技制御用マイクロコンピュータ５６０におけるステップＳ１０５を実行する部分）と、可変表示パターン決定手段により決定された可変表示パターンにもとづいて識別情報の可変表示を実行する可変表示実行手段（例えば、演出制御用マイクロコンピュータ１００におけるステップＳ８００〜Ｓ８０４を実行する部分）と、を備え、可変表示パターンは、識別情報の可変表示が開始されてから表示結果が導出表示されるまでに一旦リーチとならない表示結果（例えばチャンス目）を構成する識別情報を仮停止させた後に全ての識別情報について可変表示を再度実行する再可変表示（例えば再変動）を１回または複数回実行する再可変表示パターン（例えば、擬似連の変動パターン）を含み、可変表示パターン決定手段は、事前決定手段により特定表示結果としないと決定された場合よりも特定表示結果とすると決定された場合に高い割合で再可変表示の実行回数の多い再可変表示パターンを決定し（例えば、再変動が４回実行された場合は再変動が１回実行された場合よりも大当り信頼度が高くなるように変動パターン判定テーブルに擬似連の変動パターンを設定し）、再可変表示パターンは、再可変表示を１回または複数回実行した後にリーチ態様が成立するリーチ再可変表示パターン（例えば、再変動が実行された後にリーチ状態となる擬似連の変動パターン）と、再可変表示を１回または複数回実行した後にリーチ態様が成立せずに可変表示が終了する非リーチ再可変表示パターン（例えば、再変動が実行された後にリーチ状態とならずにそのまま処理を終了する擬似連の変動パターン）とが設けられ、再可変表示パターンにおけるリーチとならない表示結果を仮停止させる仮停止パターンは、リーチとならない表示結果を構成する複数の識別情報を順次仮停止させる通常パターン（図２４左側の仮停止パターン）と、リーチ態様が成立可能な識別情報に対して特定可変表示を実行した後にリーチとならない表示結果を構成する識別情報を仮停止させる特定パターン（図２４右側の仮停止パターン）とが設けられ、リーチ再可変表示パターンのみ、１の再可変表示において特定パターンを実行してリーチとならない表示結果を仮停止した場合にリーチ態様が成立する再可変表示パターンを含む（図３４および図３５参照）ことを特徴とする。
【００１２】
リーチ態様は、第１リーチ態様（例えばノーマルリーチ）と、該第１リーチ態様よりも特定表示結果となる可能性が高い第２リーチ態様（例えばスーパーリーチ）とが設けられ、第２リーチ態様が成立するリーチ再可変表示パターンのみ、再可変表示を所定実行回数以上実行しかつ再可変表示が特定パターンで仮停止するリーチ再可変表示パターンを含む構成（図７（Ｃ）参照）とされていてもよい。
【００１３】
特定パターンとして異なる特定可変表示を実行する複数種類の特定パターンが設けられ、リーチ態様として複数種類のリーチ態様が設けられ、可変表示パターン決定手段は、特定パターンの種類によって成立するリーチ態様の種類が異なる割合となるように、リーチ再可変表示パターンを決定する（図３５参照）ように構成されていてもよい。
【００１４】
リーチ態様は、第１リーチ態様（例えばノーマルリーチ）と、該第１リーチ態様よりも特定表示結果となる可能性が高い第２リーチ態様（例えばスーパーリーチ）とが設けられ、可変表示パターン決定手段により再可変表示パターンとなると決定された識別情報の可変表示を開始するときに、再可変表示パターンとなることを報知する報知演出を実行可能である報知実行手段（例えば、遊技制御用マイクロコンピュータ５６０におけるステップＳ９にて先擬似報知演出を実行すると決定された場合に、先擬似報知演出を実行する変動パターンにもとづいて演出制御用マイクロコンピュータ１００が先擬似報知演出を実行する部分）を備え、可変表示パターン決定手段は、報知実行手段により報知演出が実行され、かつ再可変表示が特定パターンで仮停止するリーチ再可変表示パターンを決定する場合は、第２リーチ態様が成立するリーチ再可変表示パターンを決定する（図３６参照）ように構成されていてもよい。
【００１５】
事前決定手段の決定結果にもとづいて、当該決定の対象となる可変表示が開始されるよりも以前に実行される１回または複数回の可変表示中にて演出装置を用いて第１特殊演出（例えば先読み予告演出）を実行する第１特殊演出実行手段（例えば、演出制御用マイクロコンピュータ１００におけるステップＳ８４０で先読み予告演出を実行する部分）と、事前決定手段の決定結果にもとづいて、当該決定の対象となる可変表示における再可変表示パターンにもとづく識別情報の可変表示の開始から初回の仮停止までの可変表示及び１回または複数回実行される再可変表示にて演出装置を用いて第１特殊演出と共通の態様の第２特殊演出（例えば擬似連予告演出）を実行する第２特殊演出実行手段（例えば、演出制御用マイクロコンピュータ１００におけるステップＳ８４０で擬似連予告演出を実行する部分）と、を備えていてもよい。
【発明の効果】
【００１６】
請求項１記載の発明では、可変表示パターンは、識別情報の可変表示が開始されてから表示結果が導出表示されるまでに一旦リーチ態様とならない表示結果を構成する識別情報を仮停止させた後に全ての識別情報について可変表示を再度実行する再可変表示を１回または複数回実行する再可変表示パターンを含み、可変表示パターン決定手段は、事前決定手段により特定表示結果としないと決定された場合よりも特定表示結果とすると決定された場合に高い割合で再可変表示の実行回数の多い再可変表示パターンを決定し、再可変表示パターンは、再可変表示を１回または複数回実行した後にリーチ態様が成立するリーチ再可変表示パターンと、再可変表示を１回または複数回実行した後にリーチ態様が成立せずに可変表示が終了する非リーチ再可変表示パターンとが設けられ、再可変表示パターンにおけるリーチ態様とならない表示結果を仮停止させる仮停止パターンは、リーチ態様とならない表示結果を構成する識別情報を順次仮停止させる通常パターンと、リーチ態様が成立可能な識別情報に対して特定可変表示を実行した後にリーチ態様とならない表示結果を構成する識別情報を仮停止させる特定パターンとが設けられ、リーチ再可変表示パターンのみ、１の再可変表示において特定パターンを実行してリーチ態様とならない表示結果を仮停止した後に実行する再可変表示にてリーチ態様が成立する再可変表示パターンを含む構成とされている。このような構成によれば、再可変表示パターンにおける再可変表示の実行回数だけでなく、再可変表示が特定パターンで仮停止するか否かについても遊技者に注目させることにより、再可変表示の実行回数による特定遊技状態の期待と、特定パターンによるリーチ態様が成立するか否かの期待とを２段階で煽ることができ、遊技者にとって認識し易い演出で期待を高めて遊技の興趣を向上させることができる。
【００１７】
請求項２記載の発明では、可変表示パターンは、識別情報の可変表示が開始されてから表示結果が導出表示されるまでに一旦リーチ態様とならない表示結果を構成する識別情報を仮停止させた後に全ての識別情報について可変表示を再度実行する再可変表示を１回または複数回実行する再可変表示パターンを含み、可変表示パターン決定手段は、事前決定手段により特定表示結果としないと決定された場合よりも特定表示結果とすると決定された場合に高い割合で再可変表示の実行回数の多い再可変表示パターンを決定し、再可変表示パターンは、再可変表示を１回または複数回実行した後にリーチ態様が成立するリーチ再可変表示パターンと、再可変表示を１回または複数回実行した後にリーチ態様が成立せずに可変表示が終了する非リーチ再可変表示パターンとが設けられ、再可変表示パターンにおけるリーチ態様とならない表示結果を仮停止させる仮停止パターンは、リーチ態様とならない表示結果を構成する識別情報を順次仮停止させる通常パターンと、リーチ態様が成立可能な識別情報に対して特定可変表示を実行した後にリーチ態様とならない表示結果を構成する識別情報を仮停止させる特定パターンとが設けられ、リーチ再可変表示パターンのみ、１の再可変表示において特定パターンを実行してリーチ態様とならない表示結果を仮停止した場合にリーチ態様が成立する再可変表示パターンを含む構成とされている。このような構成によれば、再可変表示パターンにおける再可変表示の実行回数だけでなく、再可変表示が特定パターンで仮停止するか否かについても遊技者に注目させることにより、再可変表示の実行回数による特定遊技状態の期待と、特定パターンによるリーチ態様が成立するか否かの期待とを２段階で煽ることができ、遊技者にとって認識し易い演出で期待を高めて遊技の興趣を向上させることができる。
【００１８】
請求項３記載の発明では、リーチ態様は、第１リーチ態様と、該第１リーチ態様よりも特定表示結果となる可能性が高い第２リーチ態様とが設けられ、第２リーチ態様が成立するリーチ再可変表示パターンのみ、再可変表示を所定実行回数以上実行しかつ再可変表示が特定パターンで仮停止するリーチ再可変表示パターンを含む構成とされているので、所定実行回数以上の再可変表示が実行されるか否かと特定パターンが実行されるか否かについても遊技者に注目させることができ、より一層、期待感を向上させることができる。
【００１９】
請求項４記載の発明では、可変表示パターン決定手段は、特定パターンの種類によって成立するリーチ態様の種類が異なる割合となるように、リーチ再可変表示パターンを決定するように構成されているので、特定パターンの種類により期待感を向上させることができる。
【００２０】
請求項５記載の発明では、可変表示パターン決定手段により再可変表示パターンとなると決定された識別情報の可変表示を開始するときに、再可変表示パターンとなることを報知する報知演出を実行可能である報知実行手段を備え、可変表示パターン決定手段は、報知実行手段により報知演出が実行され、かつ再可変表示が特定パターンで仮停止するリーチ再可変表示パターンを決定する場合は、第２リーチ態様が成立するリーチ再可変表示パターンを決定するように構成されているので、報知演出が実行されるか否かと特定パターンが実行されるか否かについても遊技者に注目させることができ、より一層、期待感を向上させることができる。
【００２１】
請求項６記載の発明では、事前決定手段の決定結果にもとづいて、当該決定の対象となる可変表示が開始されるよりも以前に実行される１回または複数回の可変表示中にて演出装置を用いて第１特殊演出を実行する第１特殊演出実行手段と、事前決定手段の決定結果にもとづいて、当該決定の対象となる可変表示における再可変表示パターンにもとづく識別情報の可変表示の開始から初回の仮停止までの可変表示及び１回または複数回実行される再可変表示にて演出装置を用いて第１特殊演出と共通の態様の第２特殊演出を実行する第２特殊演出実行手段とを備えている。このような構成によれば、当該決定の対象となる可変表示よりも以前に実行される１回または複数回の可変表示中にて実行される第１特殊演出と、当該決定の対象となる可変表示における再可変表示パターンにもとづく識別情報の可変表示の開始から初回の仮停止までの可変表示及び１回または複数回実行される再可変表示にて実行される第２特殊演出とが共通の態様の演出とされているので、それらの特殊演出の間に関連性を持たせることができる。その結果、遊技者は、第１特殊演出が実行されたか第２特殊演出が実行されたかについて認識できないため、より一層、特殊演出に対して注目することになり、効果的に遊技の興趣を向上させることができる。
【発明を実施するための最良の形態】
【００２２】
実施の形態１．
以下、本発明の実施の形態を、図面を参照して説明する。まず、遊技機の一例である遊技機１の全体の構成について説明する。図１は遊技機１を正面からみた正面図である。
【００２３】
遊技機１は、縦長の方形状に形成された外枠（図示せず）と、外枠の内側に開閉可能に取り付けられた遊技枠とで構成される。また、遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板（図示せず）と、それらに取り付けられる種々の部品（後述する遊技盤６を除く）とを含む構造体である。
【００２４】
ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には、打ち込まれた遊技球が流下可能な遊技領域７が形成されている。
【００２５】
遊技領域７の中央付近には、液晶表示装置（ＬＣＤ）で構成された演出表示装置９が設けられている。演出表示装置９では、第１特別図柄または第２特別図柄の可変表示に同期した演出図柄（飾り図柄）の可変表示（変動）が行われる。よって、演出表示装置９は、識別情報としての演出図柄（飾り図柄）の可変表示を行う可変表示装置に相当する。演出表示装置９は、演出制御基板に搭載されている演出制御用マイクロコンピュータによって制御される。演出制御用マイクロコンピュータが、第１特別図柄表示器８ａで第１特別図柄の可変表示が実行されているときに、その可変表示に伴って演出表示装置９で演出表示を実行させ、第２特別図柄表示器８ｂで第２特別図柄の可変表示が実行されているときに、その可変表示に伴って演出表示装置で演出表示を実行させるので、遊技の進行状況を把握しやすくすることができる。
【００２６】
遊技盤６における演出表示装置９の上部の左側には、識別情報としての第１特別図柄を可変表示する第１特別図柄表示器（第１可変表示手段）８ａが設けられている。この実施の形態では、第１特別図柄表示器８ａは、０〜９の数字を可変表示可能な簡易で小型の表示器（例えば７セグメントＬＥＤ）で実現されている。すなわち、第１特別図柄表示器８ａは、０〜９の数字（または、記号）を可変表示するように構成されている。遊技盤６における演出表示装置９の上部の右側には、識別情報としての第２特別図柄を可変表示する第２特別図柄表示器（第２可変表示手段）８ｂが設けられている。第２特別図柄表示器８ｂは、０〜９の数字を可変表示可能な簡易で小型の表示器（例えば７セグメントＬＥＤ）で実現されている。すなわち、第２特別図柄表示器８ｂは、０〜９の数字（または、記号）を可変表示するように構成されている。
【００２７】
この実施の形態では、第１特別図柄の種類と第２特別図柄の種類とは同じ（例えば、ともに０〜９の数字）であるが、種類が異なっていてもよい。また、第１特別図柄表示器８ａおよび第２特別図柄表示器８ｂは、それぞれ、例えば、００〜９９の数字（または、２桁の記号）を可変表示するように構成されていてもよい。
【００２８】
以下、第１特別図柄と第２特別図柄とを特別図柄と総称することがあり、第１特別図柄表示器８ａと第２特別図柄表示器８ｂとを特別図柄表示器と総称することがある。
【００２９】
第１特別図柄または第２特別図柄の可変表示は、可変表示の実行条件である第１始動条件または第２始動条件が成立（例えば、遊技球が第１始動入賞口１３または第２始動入賞口１４に入賞したこと）した後、可変表示の開始条件（例えば、保留記憶数が０でない場合であって、第１特別図柄および第２特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。なお、入賞とは、入賞口などのあらかじめ入賞領域として定められている領域に遊技球が入ったことである。また、表示結果を導出表示するとは、図柄（識別情報の例）を最終的に停止表示させることである。
【００３０】
演出表示装置９は、第１特別図柄表示器８ａでの第１特別図柄の可変表示時間中、および第２特別図柄表示器８ｂでの第２特別図柄の可変表示時間中に、装飾用（演出用）の図柄としての演出図柄（飾り図柄）の可変表示を行う。第１特別図柄表示器８ａにおける第１特別図柄の可変表示と、演出表示装置９における演出図柄の可変表示とは同期している。また、第２特別図柄表示器８ｂにおける第２特別図柄の可変表示と、演出表示装置９における演出図柄の可変表示とは同期している。同期とは、可変表示の開始時点および終了時点がほぼ同じ（全く同じでもよい。）であって、可変表示の期間がほぼ同じ（全く同じでもよい。）であることをいう。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組み合わせが停止表示される。
【００３１】
遊技盤６における演出表示装置９の上部の中央には、回転自在に構成された円形の役物９０が設けられている。役物９０内部にはＬＥＤ等が内蔵されており、役物９０が回転（動作）しているときに点灯するように構成されている。この役物９０は、特定の予告演出（図２５に示す先読み予告演出や擬似連予告演出）が実行されているときに回転・点灯することによって、特定の予告演出が実効されていることを報知する役割を果たす。
【００３２】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００３３】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。なお、可変入賞球装置１５が閉状態になっている状態において、入賞はしづらいものの、入賞することは可能である（すなわち、遊技球が入賞しにくい）ように構成されていてもよい。
【００３４】
以下、第１始動入賞口１３と第２始動入賞口１４とを総称して始動入賞口または始動口ということがある。
【００３５】
可変入賞球装置１５が開放状態に制御されているときには可変入賞球装置１５に向かう遊技球は第２始動入賞口１４に極めて入賞しやすい。そして、第１始動入賞口１３は演出表示装置９の直下に設けられているが、演出表示装置９の下端と第１始動入賞口１３との間の間隔をさらに狭めたり、第１始動入賞口１３の周辺で釘を密に配置したり、第１始動入賞口１３の周辺での釘配列を遊技球を第１始動入賞口１３に導きづらくして、第２始動入賞口１４の入賞率の方を第１始動入賞口１３の入賞率よりもより高くするようにしてもよい。
【００３６】
第１特別図柄表示器８ａの下部には、第１始動入賞口１３に入った有効入賞球数すなわち第１保留記憶数（保留記憶を、始動記憶または始動入賞記憶ともいう。）を表示する４つの表示器（例えば、ＬＥＤ）からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａでの可変表示が開始される毎に、点灯する表示器の数を１減らす。
【００３７】
第２特別図柄表示器８ｂの下部には、第２始動入賞口１４に入った有効入賞球数すなわち第２保留記憶数を表示する４つの表示器（例えば、ＬＥＤ）からなる第２特別図柄保留記憶表示器１８ｂが設けられている。第２特別図柄保留記憶表示器１８ｂは、有効始動入賞がある毎に、点灯する表示器の数を１増やす。そして、第２特別図柄表示器８ｂでの可変表示が開始される毎に、点灯する表示器の数を１減らす。
【００３８】
また、演出表示装置９の表示画面には、第１保留記憶数と第２保留記憶数との合計である合計数（合算保留記憶数）を表示する領域（以下、合算保留記憶表示部１８ｃという。）が設けられている。合計数を表示する合算保留記憶表示部１８ｃが設けられているので、可変表示の開始条件が成立していない実行条件の成立数の合計を把握しやすくすることができる。なお、第１特別図柄保留記憶表示器１８ａおよび第２特別図柄保留記憶表示器１８ｂのみを設けるようにし、演出表示装置９の表示画面上には合算保留記憶表示部１８ｃを設けないようにしてもよい。
【００３９】
なお、この実施の形態では、図１に示すように、第２始動入賞口１４に対してのみ開閉動作を行う可変入賞球装置１５が設けられているが、第１始動入賞口１３および第２始動入賞口１４のいずれについても開閉動作を行う可変入賞球装置が設けられている構成であってもよい。
【００４０】
また、図１に示すように、可変入賞球装置１５の下方には、特別可変入賞球装置２０が設けられている。特別可変入賞球装置２０は開閉板を備え、第１特別図柄表示器８ａに特定表示結果（大当り図柄）が導出表示されたとき、および第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００４１】
遊技盤６の右側方下部には、普通図柄表示器１０が設けられている。普通図柄表示器１０は、普通図柄と呼ばれる複数種類の識別情報（例えば、「○」および「×」）を可変表示する。
【００４２】
遊技球がゲート３２を通過しゲートスイッチ３２ａで検出されると、普通図柄表示器１０の表示の可変表示が開始される。この実施の形態では、上下のランプ（点灯時に図柄が視認可能になる）が交互に点灯することによって可変表示が行われ、例えば、可変表示の終了時に下側のランプが点灯すれば当りとなる。そして、普通図柄表示器１０における停止図柄が所定の図柄（当り図柄）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（第２始動入賞口１４に遊技球が入賞可能な状態）に変化する。普通図柄表示器１０の近傍には、ゲート３２を通過した入賞球数を表示する４つの表示器（例えば、ＬＥＤ）を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯する表示器を１増やす。そして、普通図柄表示器１０の可変表示が開始される毎に、点灯する表示器を１減らす。さらに、通常状態に比べて大当りとすることに決定される確率が高い状態である確変状態では、普通図柄表示器１０における停止図柄が当り図柄になる確率が高められるとともに、可変入賞球装置１５の開放時間が長くなり、かつ、開放回数が増加される。すなわち、遊技球が始動入賞しやすくなる（つまり、特別図柄表示器８ａ，８ｂや演出表示装置９における可変表示の実行条件が成立しやすくなる）ように制御された遊技状態である高ベース状態に移行する。また、この実施の形態では、時短状態（特別図柄の可変表示時間が短縮される遊技状態）においても、可変入賞球装置１５の開放時間が長くなり、かつ、開放回数が増加される。
【００４３】
なお、可変入賞球装置１５が開状態となる時間を延長する（開放延長状態ともいう）のでなく、普通図柄表示器１０における停止図柄が当り図柄になる確率が高められる普通図柄確変状態に移行することによって、高ベース状態に移行してもよい。普通図柄表示器１０における停止図柄が所定の図柄（当り図柄）となると、可変入賞球装置１５が所定回数、所定時間だけ開状態になる。この場合、普通図柄確変状態に移行制御することによって、普通図柄表示器１０における停止図柄が当り図柄になる確率が高められ、可変入賞球装置１５が開状態となる頻度が高まる。従って、普通図柄確変状態に移行すれば、可変入賞球装置１５の開放時間と開放回数が高められ、始動入賞しやすい状態（高ベース状態）となる。すなわち、可変入賞球装置１５の開放時間と開放回数は、普通図柄の停止図柄が当り図柄であったり、特別図柄の停止図柄が確変図柄である場合等に高められ、遊技者にとって不利な状態から有利な状態（始動入賞しやすい状態）に変化する。なお、開放回数が高められることは、閉状態から開状態になることも含む概念である。
【００４４】
また、普通図柄表示器１０における普通図柄の変動時間（可変表示期間）が短縮される普通図柄時短状態に移行することによって、高ベース状態に移行してもよい。普通図柄時短状態では、普通図柄の変動時間が短縮されるので、普通図柄の変動が開始される頻度が高くなり、結果として普通図柄が当りとなる頻度が高くなる。従って、普通図柄が当りとなる頻度が高くなることによって、可変入賞球装置１５が開状態となる頻度が高くなり、始動入賞しやすい状態（高ベース状態）となる。
【００４５】
また、特別図柄や演出図柄の変動時間（可変表示期間）が短縮される時短状態に移行することによって、特別図柄や演出図柄の変動時間が短縮されるので、有効な始動入賞が発生しやすくなり大当り遊技が行われる可能性が高まる。
【００４６】
さらに、上記に示した全ての状態（開放延長状態、普通図柄確変状態、普通図柄時短状態および特別図柄時短状態）に移行させることによって、始動入賞しやすくなる（高ベース状態に移行する）ようにしてもよい。また、上記に示した各状態（開放延長状態、普通図柄確変状態、普通図柄時短状態および特別図柄時短状態）のうちのいずれか複数の状態に移行させることによって、始動入賞しやすくなる（高ベース状態に移行する）ようにしてもよい。
【００４７】
遊技盤６の遊技領域７の左右周辺には、遊技中に点滅表示される装飾ＬＥＤ２５が設けられ、下部には、入賞しなかった打球が取り込まれるアウト口２６がある。また、遊技領域７の外側の左右上部には、所定の音声出力として効果音や音声を発声する２つのスピーカ２７Ｒ，２７Ｌが設けられている。遊技領域７の外周上部、外周左部および外周右部には、前面枠に設けられた天枠ＬＥＤ２８ａ、左枠ＬＥＤ２８ｂおよび右枠ＬＥＤ２８ｃが設けられている。また、左枠ＬＥＤ２８ｂの近傍には賞球残数があるときに点灯する賞球ＬＥＤ５１が設けられ、右枠ＬＥＤ２８ｃの近傍には補給球が切れたときに点灯する球切れＬＥＤ５２が設けられている。天枠ＬＥＤ２８ａ、左枠ＬＥＤ２８ｂおよび右枠ＬＥＤ２８ｃおよび装飾用ＬＥＤ２５は、遊技機１に設けられている演出用の発光体の一例である。なお、上述した演出用（装飾用）の各種ＬＥＤの他にも演出のためのＬＥＤやランプが設置されている。
【００４８】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の可変表示を開始できる状態であれば（例えば、特別図柄の可変表示が終了し、第１の開始条件が成立したこと）、第１特別図柄表示器８ａにおいて第１特別図柄の可変表示（変動）が開始されるとともに、演出表示装置９において演出図柄（飾り図柄）の可変表示が開始される。すなわち、第１特別図柄および演出図柄の可変表示は、第１始動入賞口１３への入賞に対応する。第１特別図柄の可変表示を開始できる状態でなければ、第１保留記憶数が上限値に達していないことを条件として、第１保留記憶数を１増やす。
【００４９】
遊技球が第２始動入賞口１４に入り第２始動口スイッチ１４ａで検出されると、第２特別図柄の可変表示を開始できる状態であれば（例えば、特別図柄の可変表示が終了し、第２の開始条件が成立したこと）、第２特別図柄表示器８ｂにおいて第２特別図柄の可変表示（変動）が開始されるとともに、演出表示装置９において演出図柄（飾り図柄）の可変表示が開始される。すなわち、第２特別図柄および演出図柄の可変表示は、第２始動入賞口１４への入賞に対応する。第２特別図柄の可変表示を開始できる状態でなければ、第２保留記憶数が上限値に達していないことを条件として、第２保留記憶数を１増やす。
【００５０】
図２は、主基板（遊技制御基板）３１における回路構成の一例を示すブロック図である。なお、図２には、払出制御基板３７および演出制御基板８０等も示されている。主基板３１には、プログラムに従って遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ５６０には、さらに、ハードウェア乱数（ハードウェア回路が発生する乱数）を発生する乱数回路５０３が内蔵されている。
【００５１】
なお、遊技制御用マイクロコンピュータ５６０においてＣＰＵ５６がＲＯＭ５４に格納されているプログラムに従って制御を実行するので、以下、遊技制御用マイクロコンピュータ５６０（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【００５２】
乱数回路５０３は、特別図柄の可変表示の表示結果により大当りとするか否か判定するための判定用の乱数を発生するために用いられるハードウェア回路である。乱数回路５０３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００５３】
乱数回路５０３は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
【００５４】
また、遊技制御用マイクロコンピュータ５６０は、乱数回路５０３が更新する数値データの初期値を設定する機能を有している。例えば、ＲＯＭ５４等の所定の記憶領域に記憶された遊技制御用マイクロコンピュータ５６０のＩＤナンバ（遊技制御用マイクロコンピュータ５６０の各製品ごとに異なる数値で付与されたＩＤナンバ）を用いて所定の演算を行なって得られた数値データを、乱数回路５０３が更新する数値データの初期値として設定する。そのような処理を行うことによって、乱数回路５０３が発生する乱数のランダム性をより向上させることができる。
【００５５】
遊技制御用マイクロコンピュータ５６０は、第１始動口スイッチ１３ａまたは第２始動口スイッチ１４ａへの始動入賞が生じたときに乱数回路５０３から数値データをランダムＲとして読み出し、特別図柄および演出図柄の変動開始時にランダムＲにもとづいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる。
【００５６】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグや合算保留記憶数カウンタの値など）と未払出賞球数を示すデータは、バックアップＲＡＭに保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。なお、この実施の形態では、ＲＡＭ５５の全部が、電源バックアップされているとする。
【００５７】
遊技制御用マイクロコンピュータ５６０のリセット端子には、電源基板からのリセット信号（図示せず）が入力される。電源基板には、遊技制御用マイクロコンピュータ５６０等に供給されるリセット信号を生成するリセット回路が搭載されている。なお、リセット信号がハイレベルになると遊技制御用マイクロコンピュータ５６０等は動作可能状態になり、リセット信号がローレベルになると遊技制御用マイクロコンピュータ５６０等は動作停止状態になる。従って、リセット信号がハイレベルである期間は、遊技制御用マイクロコンピュータ５６０等の動作を許容する許容信号が出力されていることになり、リセット信号がローレベルである期間は、遊技制御用マイクロコンピュータ５６０等の動作を停止させる動作停止信号が出力されていることになる。なお、リセット回路をそれぞれの電気部品制御基板（電気部品を制御するためのマイクロコンピュータが搭載されている基板）に搭載してもよい。
【００５８】
さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。また、遊技制御用マイクロコンピュータ５６０の入力ポートには、ＲＡＭの内容をクリアすることを指示するためのクリアスイッチが操作されたことを示すクリア信号（図示せず）が入力される。
【００５９】
また、ゲートスイッチ３２ａ、第１始動口スイッチ１３ａ、第２始動口スイッチ１４ａおよびカウントスイッチ２３からの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令に従って駆動する出力回路５９も主基板３１に搭載されている。さらに、大当り遊技状態の発生を示す大当り情報等の情報出力信号をホールコンピュータ等の外部装置に対して出力する情報出力回路（図示せず）も主基板３１に搭載されている。
【００６０】
この実施の形態では、演出制御基板８０に搭載されている演出制御手段（演出制御用マイクロコンピュータで構成される。）が、中継基板７７を介して遊技制御用マイクロコンピュータ５６０から演出内容を指示する演出制御コマンドを受信し、演出図柄を可変表示する演出表示装置９との表示制御を行う。
【００６１】
図３は、中継基板７７、演出制御基板８０、ランプドライバ基板３５および音声出力基板７０の回路構成例を示すブロック図である。なお、図３に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板８０のみを設けてもよい。
【００６２】
演出制御基板８０は、演出制御用ＣＰＵ１０１およびＲＡＭを含む演出制御用マイクロコンピュータ１００を搭載している。なお、ＲＡＭは外付けであってもよい。演出制御基板８０において、演出制御用ＣＰＵ１０１は、内蔵または外付けのＲＯＭ（図示せず）に格納されたプログラムに従って動作し、中継基板７７を介して入力される主基板３１からの取込信号（演出制御ＩＮＴ信号）に応じて、入力ドライバ１０２および入力ポート１０３を介して演出制御コマンドを受信する。また、演出制御用ＣＰＵ１０１は、演出制御コマンドにもとづいて、ＶＤＰ（ビデオディスプレイプロセッサ）１０９に演出表示装置９の表示制御を行わせる。
【００６３】
この実施の形態では、演出制御用マイクロコンピュータ１００と共動して演出表示装置９の表示制御を行うＶＤＰ１０９が演出制御基板８０に搭載されている。ＶＤＰ１０９は、演出制御用マイクロコンピュータ１００とは独立したアドレス空間を有し、そこにＶＲＡＭをマッピングする。ＶＲＡＭは、ＶＤＰによって生成された画像データを展開するためのバッファメモリである。そして、ＶＤＰ１０９は、ＶＲＡＭ内の画像データを演出表示装置９に出力する。
【００６４】
演出制御用ＣＰＵ１０１は、受信した演出制御コマンドに従ってキャラクタＲＯＭ（図示せず）から必要なデータを読み出す。キャラクタＲＯＭは、演出表示装置９に表示されるキャラクタ画像データ、具体的には、人物、文字、図形または記号等（演出図柄を含む）をあらかじめ格納しておくためのものである。演出制御用ＣＰＵ１０１は、キャラクタＲＯＭから読み出したデータをＶＤＰ１０９に出力する。ＶＤＰ１０９は、演出制御用ＣＰＵ１０１から入力されたデータにもとづいて表示制御を実行する。
【００６５】
演出制御コマンドおよび演出制御ＩＮＴ信号は、演出制御基板８０において、まず、入力ドライバ１０２に入力する。入力ドライバ１０２は、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【００６６】
中継基板７７には、主基板３１から入力された信号を演出制御基板８０に向かう方向にしか通過させない（演出制御基板８０から中継基板７７への方向には信号を通過させない）信号方向規制手段としての単方向性回路７４が搭載されている。単方向性回路として、例えばダイオードやトランジスタが使用される。図３には、ダイオードが例示されている。また、単方向性回路は、各信号毎に設けられる。さらに、単方向性回路である出力ポート５７１を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ５６０側）に入り込まない。なお、出力ポート５７１は、図２に示されたＩ／Ｏポート部５７の一部である。また、出力ポート５７１の外側（中継基板７７側）に、さらに、単方向性回路である信号ドライバ回路が設けられていてもよい。
【００６７】
さらに、演出制御用ＣＰＵ１０１は、出力ポート１０５を介してランプドライバ基板３５に対してＬＥＤを駆動する信号を出力する。また、演出制御用ＣＰＵ１０１は、出力ポート１０４を介して音声出力基板７０に対して音番号データを出力する。
【００６８】
ランプドライバ基板３５において、ＬＥＤを駆動する信号は、入力ドライバ３５１を介してＬＥＤドライバ３５２に入力される。ＬＥＤドライバ３５２は、駆動信号を天枠ＬＥＤ２８ａ、左枠ＬＥＤ２８ｂ、右枠ＬＥＤ２８ｃなどの枠側に設けられている各ＬＥＤに供給する。また、遊技盤側に設けられている装飾ＬＥＤ２５に駆動信号を供給する。なお、ＬＥＤ以外の発光体が設けられている場合には、それを駆動する駆動回路（ドライバ）がランプドライバ基板３５に搭載される。
【００６９】
音声出力基板７０において、音番号データは、入力ドライバ７０２を介して音声合成用ＩＣ７０３に入力される。音声合成用ＩＣ７０３は、音番号データに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７Ｒ，２７Ｌに出力する。音声データＲＯＭ７０４には、音番号データに応じた制御データが格納されている。音番号データに応じた制御データは、所定期間（例えば演出図柄の変動期間）における効果音または音声の出力態様を時系列的に示すデータの集まりである。
【００７０】
次に、遊技機の動作について説明する。主基板３１における遊技制御用マイクロコンピュータ５６０が実行するメイン処理について説明する。遊技機に対して電源が投入され電力供給が開始されると、リセット信号が入力されるリセット端子の入力レベルがハイレベルになり、遊技制御用マイクロコンピュータ５６０（具体的には、ＣＰＵ５６）は、プログラムの内容が正当か否か確認するための処理であるセキュリティチェック処理を実行した後、メイン処理を開始する。メイン処理において、ＣＰＵ５６は、まず、必要な初期設定を行う。
【００７１】
初期設定処理において、ＣＰＵ５６は、まず、割込禁止に設定する。次に、割込モードを割込モード２に設定し、スタックポインタにスタックポインタ指定アドレスを設定する。そして、内蔵デバイスの初期化（内蔵デバイス（内蔵周辺回路）であるＣＴＣ（カウンタ／タイマ）およびＰＩＯ（パラレル入出力ポート）の初期化など）を行った後、ＲＡＭをアクセス可能状態に設定する。なお、割込モード２は、ＣＰＵ５６が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【００７２】
次いで、ＣＰＵ５６は、入力ポートを介して入力されるクリアスイッチ（例えば、電源基板に搭載されている。）の出力信号（クリア信号）の状態を確認する。その確認においてオンを検出した場合には、ＣＰＵ５６は、通常の初期化処理を実行する。
【００７３】
クリアスイッチがオンの状態でない場合には、遊技機への電力供給が停止したときにバックアップＲＡＭ領域のデータ保護処理（例えばパリティデータの付加等の電力供給停止時処理）が行われたか否か確認する。そのような保護処理が行われていないことを確認したら、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【００７４】
電力供給停止時処理が行われたことを確認したら、ＣＰＵ５６は、バックアップＲＡＭ領域のデータチェックを行う。この実施の形態では、データチェックとしてパリティチェックを行う。よって、この処理では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【００７５】
チェック結果が正常であれば、ＣＰＵ５６は、遊技制御手段の内部状態と演出制御手段等の電気部品制御手段の制御状態を電力供給停止時の状態に戻すための遊技状態復旧処理を行う。具体的には、ＲＯＭ５４に格納されているバックアップ時設定テーブルの先頭アドレスをポインタに設定し、バックアップ時設定テーブルの内容を順次作業領域（ＲＡＭ５５内の領域）に設定する。作業領域はバックアップ電源によって電源バックアップされている。バックアップ時設定テーブルには、作業領域のうち初期化してもよい領域についての初期化データが設定されている。これらの処理によって、作業領域のうち初期化してはならない部分については、保存されていた内容がそのまま残る。初期化してはならない部分とは、例えば、電力供給停止前の遊技状態を示すデータ（特別図柄プロセスフラグ、確変フラグ、時短フラグなど）、出力ポートの出力状態が保存されている領域（出力ポートバッファ）、未払出賞球数を示すデータが設定されている部分などである。
【００７６】
また、ＣＰＵ５６は、電力供給復旧時の初期化コマンドとしての停電復旧指定コマンドを送信する。なお、この処理において、バックアップＲＡＭに保存されていた合算保留記憶数カウンタの値を設定した合算保留記憶数指定コマンドも演出制御基板８０に対して送信する。
【００７７】
なお、この実施の形態では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、遊技状態復旧処理を実行するための契機としてもよい。
【００７８】
初期化処理では、ＣＰＵ５６は、まず、ＲＡＭクリア処理を行う。なお、ＲＡＭクリア処理によって、所定のデータ（例えば、普通図柄当り判定用乱数を生成するためのカウンタのカウント値のデータ）は０に初期化されるが、任意の値またはあらかじめ決められている値に初期化するようにしてもよい。また、ＲＡＭ５５の全領域を初期化せず、所定のデータ（例えば、普通図柄当り判定用乱数を生成するためのカウンタのカウント値のデータ）をそのままにしてもよい。また、ＲＯＭ５４に格納されている初期化時設定テーブルの先頭アドレスをポインタに設定し、初期化時設定テーブルの内容を順次作業領域に設定する。
【００７９】
これらの処理によって、例えば、普通図柄当り判定用乱数カウンタ、特別図柄バッファ、総賞球数格納バッファ、特別図柄プロセスフラグなど制御状態に応じて選択的に処理を行うためのフラグに初期値が設定される。
【００８０】
また、ＣＰＵ５６は、サブ基板（主基板３１以外のマイクロコンピュータが搭載された基板。）を初期化するための初期化指定コマンド（遊技制御用マイクロコンピュータ５６０が初期化処理を実行したことを示すコマンドでもある。）をサブ基板に送信する。例えば、演出制御用マイクロコンピュータ１００は、初期化指定コマンドを受信すると、演出表示装置９において、遊技機の制御の初期化がなされたことを報知するための画面表示、すなわち初期化報知を行う。
【００８１】
また、ＣＰＵ５６は、乱数回路５０３を初期設定する乱数回路設定処理を実行する。ＣＰＵ５６は、例えば、乱数回路設定プログラムに従って処理を実行することによって、乱数回路５０３にランダムＲの値を更新させるための設定を行う。
【００８２】
そして、ＣＰＵ５６は、所定時間（例えば２ｍｓ）毎に定期的にタイマ割込がかかるように遊技制御用マイクロコンピュータ５６０に内蔵されているＣＴＣのレジスタの設定を行なう。すなわち、初期値として例えば２ｍｓに相当する値が所定のレジスタ（時間定数レジスタ）に設定される。この実施の形態では、２ｍｓ毎に定期的にタイマ割込がかかるとする。
【００８３】
初期化処理の実行が完了すると、ＣＰＵ５６は、メイン処理で、表示用乱数更新処理および初期値用乱数更新処理を繰り返し実行する。表示用乱数更新処理および初期値用乱数更新処理を実行するときには割込禁止状態に設定し、表示用乱数更新処理および初期値用乱数更新処理の実行が終了すると割込許可状態に設定する。この実施の形態では、表示用乱数とは、大当りとしない場合の特別図柄の停止図柄を決定するための乱数や大当りとしない場合にリーチとするか否かを決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施の形態では、初期値用乱数とは、普通図柄に関して当りとするか否か決定するための乱数を発生するためのカウンタ（普通図柄当り判定用乱数発生カウンタ）のカウント値の初期値を決定するための乱数である。後述する遊技の進行を制御する遊技制御処理（遊技制御用マイクロコンピュータ５６０が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【００８４】
なお、この実施の形態では、リーチ演出は、演出表示装置９において可変表示される演出図柄（飾り図柄）を用いて実行される。また、特別図柄の表示結果を大当り図柄にする場合には、リーチ演出は常に実行される。特別図柄の表示結果を大当り図柄にしない場合には、遊技制御用マイクロコンピュータ５６０は、乱数を用いた抽選によって、リーチ演出を実行するか否か決定する。ただし、実際にリーチ演出の制御を実行するのは、演出制御用マイクロコンピュータ１００である。
【００８５】
タイマ割込が発生すると、ＣＰＵ５６は、タイマ割込処理を実行する。タイマ割込処理において、まず、電源断信号が出力されたか否か（オン状態になったか否か）を検出する電源断検出処理を実行する。電源断信号は、例えば電源基板に搭載されている電源監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行う（スイッチ処理）。
【００８６】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行う表示制御処理を実行する。
【００８７】
また、遊技制御に用いられる普通図柄当り判定用乱数等の各判定用乱数を生成するための各カウンタのカウント値を更新する処理を行う（判定用乱数更新処理）。ＣＰＵ５６は、さらに、初期値用乱数および表示用乱数を生成するためのカウンタのカウント値を更新する処理を行う（初期値用乱数更新処理，表示用乱数更新処理）。
【００８８】
さらに、ＣＰＵ５６は、特別図柄プロセス処理を行う。特別図柄プロセス処理では、第１特別図柄表示器８ａ、第２特別図柄表示器８ｂおよび大入賞口を所定の順序で制御するための特別図柄プロセスフラグに従って該当する処理を実行する。ＣＰＵ５６は、特別図柄プロセスフラグの値を、遊技状態に応じて更新する。
【００８９】
次いで、普通図柄プロセス処理を行う。普通図柄プロセス処理では、ＣＰＵ５６は、普通図柄表示器１０の表示状態を所定の順序で制御するための普通図柄プロセスフラグに従って該当する処理を実行する。ＣＰＵ５６は、普通図柄プロセスフラグの値を、遊技状態に応じて更新する。
【００９０】
また、ＣＰＵ５６は、演出制御用マイクロコンピュータ１００に演出制御コマンドを送出する処理を行う（演出制御コマンド制御処理）。
【００９１】
さらに、ＣＰＵ５６は、例えばホール管理用コンピュータに供給される大当り情報、始動情報、確率変動情報などのデータを出力する情報出力処理を行う。
【００９２】
また、ＣＰＵ５６は、第１始動口スイッチ１３ａ、第２始動口スイッチ１４ａおよびカウントスイッチ２３の検出信号にもとづく賞球個数の設定などを行う賞球処理を実行する。具体的には、第１始動口スイッチ１３ａ、第２始動口スイッチ１４ａおよびカウントスイッチ２３のいずれかがオンしたことにもとづく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する。
【００９３】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（出力処理）。
【００９４】
また、ＣＰＵ５６は、特別図柄プロセスフラグの値に応じて特別図柄の演出表示を行うための特別図柄表示制御データを特別図柄表示制御データ設定用の出力バッファに設定する特別図柄表示制御処理を行う。ＣＰＵ５６は、例えば、特別図柄プロセス処理でセットされる開始フラグがセットされると終了フラグがセットされるまで、変動速度が１コマ／０．２秒であれば、０．２秒が経過する毎に、出力バッファに設定される表示制御データの値を＋１する。また、ＣＰＵ５６は、出力バッファに設定された表示制御データに応じて駆動信号を出力することによって、第１特別図柄表示器８ａおよび第２特別図柄表示器８ｂにおける第１特別図柄および第２特別図柄の可変表示を実行する。
【００９５】
さらに、ＣＰＵ５６は、普通図柄プロセスフラグの値に応じて普通図柄の演出表示を行うための普通図柄表示制御データを普通図柄表示制御データ設定用の出力バッファに設定する普通図柄表示制御処理を行う。ＣＰＵ５６は、例えば、普通図柄の変動に関する開始フラグがセットされると終了フラグがセットされるまで、普通図柄の変動速度が０．２秒ごとに表示状態（「○」および「×」）を切り替えるような速度であれば、０．２秒が経過する毎に、出力バッファに設定される表示制御データの値（例えば、「○」を示す１と「×」を示す０）を切り替える。また、ＣＰＵ５６は、出力バッファに設定された表示制御データに応じて駆動信号を出力することによって、普通図柄表示器１０における普通図柄の演出表示を実行する。
【００９６】
その後、割込許可状態に設定し、処理を終了する。
【００９７】
以上の制御によって、この実施の形態では、遊技制御処理は２ｍｓ毎に起動されることになる。なお、遊技制御処理は、タイマ割込処理における情報出力処理以外の処理に相当する。また、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【００９８】
第１特別図柄表示器８ａまたは第２特別図柄表示器８ｂおよび演出表示装置９にはずれ図柄が停止表示される場合には、演出図柄の可変表示が開始されてから、演出図柄の可変表示状態がリーチ状態にならずに、リーチにならない所定の演出図柄の組み合わせが停止表示されることがある。このような演出図柄の可変表示態様を、可変表示結果がはずれ図柄になる場合における「非リーチ」（「通常はずれ」ともいう）の可変表示態様という。
【００９９】
第１特別図柄表示器８ａまたは第２特別図柄表示器８ｂおよび演出表示装置９にはずれ図柄が停止表示される場合には、演出図柄の可変表示が開始されてから、演出図柄の可変表示状態がリーチ状態となった後にリーチ演出が実行され、最終的に大当り図柄とはならない所定の演出図柄の組み合わせが停止表示されることがある。このような演出図柄の可変表示結果を、可変表示結果が「はずれ」となる場合における「リーチ」（「リーチはずれ」ともいう）の可変表示態様という。
【０１００】
この実施の形態では、第１特別図柄表示器８ａまたは第２特別図柄表示器８ｂに大当り図柄が停止表示される場合には、演出図柄の可変表示状態がリーチ状態になった後にリーチ演出が実行され、最終的に演出表示装置９における「左」、「中」、「右」の各図柄表示エリア９Ｌ、９Ｃ、９Ｒに、演出図柄が揃って停止表示される。
【０１０１】
第１特別図柄表示器８ａまたは第２特別図柄表示器８ｂに小当りである「５」が停止表示される場合には、演出表示装置９において、演出図柄の可変表示態様が「突然確変大当り」である場合と同様に演出図柄の可変表示が行われた後、所定の小当り図柄（突然確変大当り図柄と同じ図柄。例えば「１３５」）が停止表示されることがある。第１特別図柄表示器８ａまたは第２特別図柄表示器８ｂに小当り図柄である「５」が停止表示されることに対応する演出表示装置９における表示演出を「小当り」の可変表示態様という。
【０１０２】
ここで、小当りとは、大当りと比較して大入賞口の開放回数が少ない回数（この実施の形態では０．１秒間の開放を２回）まで許容される当りである。なお、小当り遊技が終了した場合、遊技状態は変化しない。すなわち、確変状態から通常状態に移行したり通常状態から確変状態に移行したりすることはない。また、突然確変大当りとは、大当り遊技状態において大入賞口の開放回数が少ない回数（この実施の形態では０．１秒間の開放を２回）まで許容されるが大入賞口の開放時間が極めて短い大当りであり、かつ、大当り遊技後の遊技状態を確変状態に移行させるような大当りである（すなわち、そのようにすることにより、遊技者に対して突然に確変状態となったかのように見せるものである）。つまり、この実施の形態では、突然確変大当りと小当りとは、大入賞口の開放パターンが同じである。そのように制御することによって、大入賞口の０．１秒間の開放が２回行われると、突然確変大当りであるか小当りであるかまでは認識できないので、遊技者に対して高確率状態（確変状態）を期待させることができ、遊技の興趣を向上させることができる。
【０１０３】
図４は、あらかじめ用意された演出図柄の変動パターンを示す説明図である。図４に示すように、この実施の形態では、可変表示結果が「はずれ」であり演出図柄の可変表示態様が「非リーチ」である場合に対応した変動パターンとして、変動パターン♯１〜変動パターン♯９が用意されている。なお、図４に示すように、リーチしない場合に使用される擬似連の演出を伴う変動パターン♯６〜♯９については、再変動が１回〜２回行われる（図６（Ａ）参照）。また、可変表示結果が「はずれ」であり演出図柄の可変表示態様が「ノーマルリーチ」である場合に対応した変動パターンとして、変動パターン♯１０〜♯１７が用意されている。なお、ノーマルリーチとなる場合に使用される擬似連の演出を伴う変動パターン♯１２〜♯１７は、再変動が１回〜２回行われる（図６（Ｂ）参照）。また、可変表示結果が「はずれ」であり演出図柄の可変表示態様が「スーパーリーチＡ」である場合に対応した変動パターンとして、変動パターン♯２０〜♯３５が用意されている。なお、スーパーリーチＡとなる場合に使用される擬似連の演出を伴う変動パターン♯２２〜♯３５は、再変動が３回〜４回行われる（図７（Ｃ）参照）。また、可変表示結果が「はずれ」であり演出図柄の可変表示態様が「スーパーリーチＢ」である場合に対応した変動パターンとして、変動パターン♯３８〜♯５３が用意されている。なお、スーパーリーチＢとなる場合に使用される擬似連の演出を伴う変動パターン♯４０〜♯５３は、再変動が３回〜４回行われる（図７（Ｃ）参照）。また、可変表示結果が「はずれ」であり演出図柄の可変表示態様が「スーパーリーチＣ」である場合に対応した変動パターンとして、変動パターン♯５６〜♯７１が用意されている。なお、スーパーリーチＣとなる場合に使用される擬似連の演出を伴う変動パターン♯５８〜♯７１は、再変動が３回〜４回行われる（図７（Ｃ）参照）。
【０１０４】
また、図４に示すように、この実施の形態では、可変表示結果が「大当り（突然確変大当りを除く）」であり演出図柄の可変表示態様が「ノーマルリーチ」である場合に対応した変動パターンとして、変動パターン♯７４〜♯８１が用意されている。なお、ノーマルリーチとなる場合に使用される擬似連の演出を伴う変動パターン♯７６〜♯８１は、再変動が１回〜２回行われる（図６（Ｂ）参照）。また、可変表示結果が「大当り（突然確変大当りを除く）」であり演出図柄の可変表示態様が「スーパーリーチＡ」である場合に対応した変動パターンとして、変動パターン♯８４〜♯９９が用意されている。なお、スーパーリーチＡとなる場合に使用される擬似連の演出を伴う変動パターン♯８６〜♯９９は、再変動が３回〜４回行われる（図７（Ｃ）参照）。また、可変表示結果が「大当り（突然確変大当りを除く）」であり演出図柄の可変表示態様が「スーパーリーチＢ」である場合に対応した変動パターンとして、変動パターン♯１０２〜♯１１７が用意されている。なお、スーパーリーチＢとなる場合に使用される擬似連の演出を伴う変動パターン♯１０４〜♯１１７は、再変動が３回〜４回行われる（図７（Ｃ）参照）。また、可変表示結果が「大当り（突然確変大当りを除く）」であり演出図柄の可変表示態様が「スーパーリーチＣ」である場合に対応した変動パターンとして、変動パターン♯１２０〜♯１３５が用意されている。なお、スーパーリーチＣとなる場合に使用される擬似連の演出を伴う変動パターン♯１２０〜♯１３５は、再変動が３回〜４回行われる（図７（Ｃ）参照）。
【０１０５】
また、図４に示すように、この実施の形態では、可変表示結果が「突然確変大当りまたは小当り」であり演出図柄の可変表示態様が「非リーチ」である場合に対応した変動パターンとして、変動パターン♯１３８〜変動パターン♯１３９が用意されている。
【０１０６】
ここで、「擬似連」の変動パターンとは、図柄（識別情報）の変動が開始されてから停止図柄（表示結果）が導出表示されるまでに一旦チャンス目（特殊表示結果）を構成する図柄を仮停止させた後に全ての図柄について変動を再度実行する再変動（再可変表示）を１回または複数回実行することによって、１回の変動中に擬似的に複数回の変動が実行されたように見せる変動パターンをいう。また、「チャンス目」とは、遊技者に擬似連の変動が実行されていることを認識させることが可能な特殊なはずれ出目（左中右の演出図柄の特殊な組み合わせ）のことをいう。例えば、この実施の形態では、チャンス目として、例えば「１１２」「２２３」「３３４」「４４５」「５５６」「６６７」等の出目としている。
【０１０７】
この実施の形態では、再変動が１回または複数回実行された後にリーチになる擬似連の変動パターンと、再変動が１回または複数回実行された後にリーチにならない擬似連の変動パターンとが設けられている。また、この実施の形態では、擬似連中の再変動の回数が増えるほど高い割合で大当りとなる（大当りも信頼度が高くなる）ように、大当りとなるときははずれとなるときよりも高い割合で再変動の回数の多い変動パターンを選択する（図１７参照）。
【０１０８】
また、図４に示す「滑り」とは、先に停止する演出図柄（例えば最初に停止する左の演出図柄）を停止させた後に次に停止する演出図柄（例えば右の演出図柄）を低速で変動させ、次に停止する演出図柄が停止しそうになったときに当該演出図柄の変動を低速から高速にして、停止しそうになった演出図柄とは異なる演出図柄で停止させる演出である。このような滑り演出を実行することによって、右の演出図柄が停止している左の演出図柄（例えば「１」）と同じ図柄で停止しそうになることによりリーチ状態が成立しそうになったときに、右の演出図柄の変動を低速から高速にして、停止しそうになった演出図柄とは異なる演出図柄（例えば「２」）で停止させ、リーチ状態が成立しない場合でもリーチ状態が成立するように見せてリーチの期待を持たせることができる。また、右の演出図柄が停止している左の演出図柄（例えば「２」）とは異なる図柄（例えば「１」）で停止しそうになることによりはずれになりそうになったときに、右の演出図柄の変動を低速から高速にして、停止しそうになった演出図柄とは異なる演出図柄（例えば「２」）で停止させてリーチ状態を成立させ、リーチ状態の成立に対し驚きと喜びを与えることができる。
【０１０９】
なお、この実施の形態では、変動中に実行される「擬似連」の演出や「滑り」の演出のことを特定演出という。
【０１１０】
図５は、再変動を２回実行する疑似連の変動態様を示す説明図である。図５の上図に示すように、再変動を２回行う場合（リーチ成立）の擬似連の変動態様では、まず、左中右の演出図柄（および特別図柄）の変動が開始されてから所定時間が経過すると、左中右の演出図柄が順次仮停止する（丸数字１の仮停止）。例えば、最初に左の演出図柄が仮停止し、次に右の演出図柄が仮停止し、最後に中の演出図柄が仮停止する。そして、所定の仮停止時間が経過すると、左中右の演出図柄の再変動（再可変表示）が開始される。これが１回目の再変動である。再変動が開始されてから所定時間が経過すると、左中右の演出図柄が再び順次仮停止する（丸数字２の仮停止）。そして、所定の仮停止時間が経過すると、左中右の演出図柄の再変動（再可変表示）が開始される。これが２回目の再変動である。再変動が開始されてから所定時間が経過すると、図５の上図に示す例（リーチ成立）では左右の演出図柄（リーチ図柄）が停止してリーチが発生（成立）する。そして、リーチ状態において中の演出図柄が例えば低速で変動する。このとき、スーパーリーチＡ〜Ｃのいずれかに発展した場合は、遊技者を煽るために、例えばキャラクタが登場したり、背景が変化したりするような演出が実行される。そして、変動時間が経過すると、中の演出図柄が停止して停止図柄（リーチはずれ図柄または大当り図柄）が確定し、変動が終了する。一方、図５の下図に示す再変動を２回行う場合（リーチ不成立）の擬似連の変動態様では、図５の上図に示す場合と同様に、左中右の演出図柄（および特別図柄）の変動が開始されてから所定時間が経過すると、左中右の演出図柄が順次仮停止する（丸数字１の仮停止）。そして、所定の仮停止時間が経過すると、左中右の演出図柄の１回目の再変動（再可変表示）が開始される。再変動が開始されてから所定時間が経過すると、左中右の演出図柄が再び順次仮停止する（丸数字２の仮停止）。そして、所定の仮停止時間が経過すると、左中右の演出図柄の２回目の再変動（再可変表示）が開始される。再変動が開始されてから所定時間が経過すると、左中右の演出図柄が再び順次仮停止する（丸数字３の仮停止）。その後、図５の下図に示す例（リーチ不成立）では仮停止時間が経過しても再変動が開始されずにそのまま仮停止図柄が停止図柄として確定し、変動が終了する。
【０１１１】
図６および図７は、疑似連変動中に実行される仮停止パターンの態様を示す説明図である。図６および図７に示すように、擬似連の変動パターンにおけるチャンス目を仮停止させるときのパターン（仮停止パターン）として、「通常パターン」と「特定パターン」とを設けている。ここで、「通常パターン」とは、チャンス目を仮停止させるときに、チャンス目を構成する左中右の演出図柄を順次仮停止させる通常の仮停止パターンをいう。「特定パターン」とは、チャンス目を仮停止させるときに、リーチ状態が成立可能な演出図柄（例えば左の演出図柄が停止している状態の場合の次に停止する右の演出図柄）に対して特定可変表示演出を実行した後にチャンス目を構成する左中右の演出図柄を仮停止させる特定の仮停止パターンのことをいう。
【０１１２】
また、「特定可変表示演出」とは、上述した「滑り演出」や、「戻り演出」、「再変動演出」、「図柄置換演出」、「遮蔽演出」などのように、演出図柄が停止するときの通常の停止動作と異なる停止動作を行う演出をいう。「戻り演出」とは、演出図柄が停止しそうになったときに当該演出図柄を逆回転させ（逆向きに変動させ）、停止しそうになった演出図柄とは異なる演出図柄で停止させる演出である。「再変動演出」とは、演出図柄を一度揺れている状態（揺れ変動の状態）とした後に再度変動を開始させる演出である。「図柄置換演出」とは、演出図柄を一度揺れている状態（揺れ変動の状態）とした後に揺れている演出図柄を他の演出図柄に置換する演出である。「遮蔽演出」とは、演出図柄の表示領域を遮蔽状態とした後（例えばシャッターを閉じて演出表示装置９の表示領域を遮蔽した後）に非遮蔽状態とする（例えばシャッターを開く）演出である。
【０１１３】
図６（Ａ）には、可変表示結果が「はずれ」であり可変表示態様（リーチ演出）が非リーチの場合の擬似連１回〜２回の変動パターン♯６〜♯９を示している。ここで、例えば、変動パターン♯６では、再変動が１回行われる擬似連であって再変動前の仮停止のときに通常パターンで演出図柄が仮停止し、再変動後の仮停止のときに通常パターンで演出図柄が仮停止することを示している。また、変動パターン♯９では、再変動が２回行われる擬似連であって１回目の再変動前の仮停止のときに通常パターンで演出図柄が仮停止し、１回目の再変動後の仮停止のときに通常パターンで演出図柄が仮停止し、２回目の再変動後の仮停止のときに特定パターンで演出図柄が仮停止するがそのまま変動が終了することを示している。なお、図６（Ａ）中の丸数字は変動中の仮停止の回数（図５参照）を示している。
【０１１４】
図６（Ｂ）には、可変表示結果が「はずれまたは大当り」であり可変表示態様がノーマルリーチの場合の擬似連１回〜２回の変動パターン♯１６〜♯１７，♯７６〜♯８１を示している。なお、図６（Ｂ）中の「ノーマルリーチ」は仮停止後にノーマルリーチを実行する再変動が行われることを示している。また、図７（Ｃ）には、可変表示結果が「はずれまたは大当り」であり可変表示態様がスーパーリーチの場合の擬似連３回〜４回の変動パターン♯２２〜♯３５，♯４０〜♯５３，♯５８〜♯７１，♯８６〜♯９９，♯１０４〜♯１１７，♯１２２〜♯１３５を示している。なお、図７（Ｃ）中の「スーパーリーチ」は仮停止後にスーパーリーチを実行する再変動が行われることを示している。
【０１１５】
この実施の形態では、演出図柄が特定パターンで仮停止した後に再変動が継続して実行された場合は、リーチ（ノーマルリーチまたはスーパーリーチ）が確定するように構成している。すなわち、演出図柄が特定パターンで仮停止した後に再変動が実行された場合は、リーチが確定するが、演出図柄が特定パターンで仮停止した後に再変動が実行されなかった場合は、リーチが確定せずに変動が終了する。具体的には、図６（Ｂ）に示す変動パターン♯１６，８０では、１回目の再変動の前に演出図柄が通常パターンで仮停止し、１回目の再変動の後に演出図柄が特定パターンで仮停止し、その後、２回目の再変動（ノーマルリーチを実行する再変動）が実行されるので、２回目の再変動が開始された時点でリーチが確定する。一方、図６（Ａ）に示す変動パターン♯７では、１回目の再変動の前に演出図柄が通常パターンで仮停止し、１回目の再変動の後に演出図柄が特定パターンで仮停止したが、その後に２回目の再変動が実行されないので、リーチが成立せずに変動が終了する。このように、演出図柄が特定パターンで仮停止した後に再変動が継続して実行された場合はリーチが確定するように構成するために、図６および図７に示すように、演出図柄が特定パターンで仮停止した後に再変動が継続して実行される擬似連の変動パターンは、ノーマルリーチの変動パターンかスーパーリーチの変動パターンにのみ設定されている。
【０１１６】
また、この実施の形態では、再変動を３回以上実行する擬似連であって演出図柄が特定パターンで仮停止した後に再変動が継続して実行された場合は、大当りの期待度が高いスーパーリーチが確定するように構成している。すなわち、演出図柄が特定パターンで仮停止した後に再変動が実行された場合は、リーチが確定し、さらに、再変動が３回以上実行された場合はスーパーリーチが確定する。このように、再変動が３回以上実行される擬似連であって演出図柄が特定パターンで仮停止した後に再変動が継続して実行された場合はスーパーリーチが確定するように構成するために、図７に示すように、演出図柄が特定パターンで仮停止した後に再変動が継続して実行され、かつ再変動が３回以上実行される擬似連の変動パターンは、スーパーリーチの変動パターンにのみ設定されている。
【０１１７】
以上のような構成によれば、擬似連の変動中に特定パターンで仮停止が行われるか否かと、その後に再変動が継続し、さらに再変動が３回以上実行されるかどうかについて遊技者に注目させることができ、より一層、遊技の興趣を向上させることができる。
【０１１８】
図８は、各乱数を示す説明図である。各乱数は、以下のように使用される。
（１）ランダム１（ＭＲ１）：大当りの種類（後述する通常大当り、確変大当り、突然確変大当り）を決定する（大当り種別判定用）
（３）ランダム３（ＭＲ３）：変動パターン（変動時間）を決定する（変動パターン判定用）
（４）ランダム４（ＭＲ４）：普通図柄にもとづく当りを発生させるか否か決定する（普通図柄当り判定用）
（５）ランダム５（ＭＲ５）：ランダム４の初期値を決定する（ランダム４初期値決定用）
【０１１９】
遊技制御処理において、遊技制御用マイクロコンピュータ５６０は、（１）の大当り種別判定用乱数、および（４）の普通図柄当り判定用乱数を生成するためのカウンタのカウントアップ（１加算）を行う。すなわち、それらが判定用乱数であり、それら以外の乱数が表示用乱数（ランダム３）または初期値用乱数（ランダム５）である。なお、遊技効果を高めるために、上記の乱数以外の乱数も用いてもよい。また、この実施の形態では、大当り判定用乱数として、遊技制御用マイクロコンピュータ５６０に内蔵されたハードウェア（遊技制御用マイクロコンピュータ５６０の外部のハードウェアでもよい。）が生成する乱数を用いる。
【０１２０】
図９（Ａ）は、大当り判定テーブルを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態）において用いられる通常時大当り判定テーブルと、確変状態において用いられる確変時大当り判定テーブルとがある。通常時大当り判定テーブルには、図９（Ａ）の左欄に記載されている各数値が設定され、確変時大当り判定テーブルには、図９（Ａ）の右欄に記載されている各数値が設定されている。図９（Ａ）に記載されている数値が大当り判定値である。
【０１２１】
図９（Ｂ）は、小当り判定テーブルを示す説明図である。小当り判定テーブルとは、ＲＯＭ５４に記憶されているデータの集まりであって、ランダムＲと比較される小当り判定値が設定されているテーブルである。また、図９（Ｂ）に記載されている数値が小当り判定値である。
【０１２２】
ＣＰＵ５６は、所定の時期に、乱数回路５０３のカウント値を抽出して抽出値を大当り判定用乱数（ランダムＲ）の値とするのであるが、大当り判定用乱数値が図９（Ａ）に示すいずれかの大当り判定値に一致すると、特別図柄に関して大当り（後述する通常大当り、確変大当り、突然確変大当り）にすることに決定する。また、大当り判定用乱数値が図９（Ｂ）に示すいずれかの小当り判定値に一致すると、特別図柄に関して小当りにすることに決定する。なお、図９（Ａ）に示す「確率」は、大当りになる確率（割合）を示す。また、図９（Ｂ）に示す「確率」は、小当りになる確率（割合）を示す。また、大当りにするか否か決定するということは、大当り遊技状態に移行させるか否か決定するということであるが、第１特別図柄表示器８ａまたは第２特別図柄表示器８ｂにおける停止図柄を大当り図柄にするか否か決定するということでもある。また、小当りにするか否か決定するということは、小当り遊技状態に移行させるか否か決定するということであるが、第１特別図柄表示器８ａまたは第２特別図柄表示器８ｂにおける停止図柄を小当り図柄にするか否か決定するということでもある。
【０１２３】
図９（Ｃ），（Ｄ）は、ＲＯＭ５４に記憶されている大当り種別判定テーブル１３１ａ，１３１ｂを示す説明図である。このうち、図９（Ｃ）は、遊技球が第１始動入賞口１３に入賞したことにもとづく保留記憶を用いて（すなわち、第１特別図柄の変動表示が行われるとき）大当り種別を決定する場合の大当り種別判定テーブル（第１特別図柄用）１３１ａである。また、図９（Ｄ）は、遊技球が第２始動入賞口１４に入賞したことにもとづく保留記憶を用いて（すなわち、第２特別図柄の変動表示が行われるとき）大当り種別を決定する場合の大当り種別判定テーブル（第２特別図柄用）１３１ｂである。
【０１２４】
大当り種別判定テーブル１３１ａ，１３１ｂは、可変表示結果を大当り図柄にする旨の判定がなされたときに、大当り種別判定用の乱数（ランダム１）にもとづいて、大当りの種別を「通常大当り」、「第１確変大当り」、「第２確変大当り」、「突然確変大当り」のうちのいずれかに決定するために参照されるテーブルである。なお、この実施の形態では、図９（Ｃ），（Ｄ）に示すように、大当り種別判定テーブル１３１ａには「通常大当り」、「第１確変大当り」、「第２確変大当り」および「突然確変大当り」の全てに対して判定値が割り当てられているのに対して、大当り種別判定テーブル１３１ｂには「通常大当り」、「第１確変大当り」および「第２確変大当り」にのみ判定値が割り当てられている場合を説明する。
【０１２５】
「第１確変大当り」とは、確変図柄（左中右の演出図柄が奇数の図柄で揃った状態の演出図柄の組み合わせ）で大当りになったことにもとづいて、１５ラウンドの大当り遊技状態に制御し、その大当り遊技状態の終了後に確変状態に移行させる大当りである。また、「第２確変大当り」とは、非確変図柄（左中右の演出図柄が偶数の図柄で揃った状態の演出図柄の組み合わせ）で大当りになったことにもとづいて、１５ラウンドの大当り遊技状態に制御し、その大当り遊技の実行中（ラウンド中、インターバル中、エンディング中など）に確変大当りに昇格したこと（大当り遊技状態の終了後に確変状態に移行すること）を報知する昇格演出をし、大当り遊技状態の終了後に確変状態に移行させる大当りである。また、「通常大当り」とは、非確変図柄（左中右の演出図柄が偶数の図柄で揃った状態の演出図柄の組み合わせ）で大当りになったことにもとづいて、１５ラウンドの大当り遊技状態に制御し、その大当り遊技状態の終了後に確変状態に移行されない（この実施の形態では、時短状態にのみ移行される）大当りである。
【０１２６】
大当り種別判定テーブル１３１ａ，１３１ｂには、ランダム１の値と比較される数値であって、「通常大当り」、「第１確変大当り」、「第２確変大当り」、「突然確変大当り」のそれぞれに対応した判定値（大当り種別判定値）が設定されている。ＣＰＵ５６は、ランダム１の値が大当り種別判定値のいずれかに一致した場合に、大当りの種別を、一致した大当り種別判定値に対応する種別に決定する。
【０１２７】
図１０は、遊技制御用マイクロコンピュータ５６０が送信する演出制御コマンドの内容の一例を示す説明図である。図１０に示す例において、コマンド８０ＸＸ（Ｈ）は、特別図柄の可変表示に対応して演出表示装置９において可変表示される演出図柄の変動パターンを指定する演出制御コマンド（変動パターンコマンド）である（それぞれ変動パターンＸＸに対応）。つまり、図４に示された使用されうる変動パターンのそれぞれに対して一意な番号を付した場合に、その番号で特定される変動パターンのそれぞれに対応する変動パターンコマンドがある。なお、「（Ｈ）」は１６進数であることを示す。また、変動パターンを指定する演出制御コマンドは、変動開始を指定するためのコマンドでもある。従って、演出制御用マイクロコンピュータ１００は、コマンド８０ＸＸ（Ｈ）を受信すると、演出表示装置９において演出図柄の可変表示を開始するように制御する。
【０１２８】
コマンド８Ｃ０１（Ｈ）〜８Ｃ０６（Ｈ）は、大当りとするか否か、小当りとするか否か、および大当り種別を示す演出制御コマンドである。演出制御用マイクロコンピュータ１００は、コマンド８Ｃ０１（Ｈ）〜８Ｃ０６（Ｈ）の受信に応じて演出図柄の表示結果を決定するので、コマンド８Ｃ０１（Ｈ）〜８Ｃ０６（Ｈ）を表示結果指定コマンドという。
【０１２９】
コマンド８Ｄ０１（Ｈ）は、第１特別図柄の可変表示（変動）を開始することを示す演出制御コマンド（第１図柄変動指定コマンド）である。コマンド８Ｄ０２（Ｈ）は、第２特別図柄の可変表示（変動）を開始することを示す演出制御コマンド（第２図柄変動指定コマンド）である。第１図柄変動指定コマンドと第２図柄変動指定コマンドとを特別図柄特定コマンド（または図柄変動指定コマンド）と総称することがある。なお、第１特別図柄の可変表示を開始するのか第２特別図柄の可変表示を開始するのかを示す情報を、変動パターンコマンドに含めるようにしてもよい。
【０１３０】
コマンド８Ｆ００（Ｈ）は、演出図柄の可変表示（変動）を終了して表示結果（停止図柄）を導出表示することを示す演出制御コマンド（図柄確定指定コマンド）である。演出制御用マイクロコンピュータ１００は、図柄確定指定コマンドを受信すると、演出図柄の可変表示（変動）を終了して表示結果を導出表示する。
【０１３１】
コマンド９０００（Ｈ）は、遊技機に対する電力供給が開始されたときに送信される演出制御コマンド（初期化指定コマンド：電源投入指定コマンド）である。コマンド９２００（Ｈ）は、遊技機に対する電力供給が再開されたときに送信される演出制御コマンド（停電復旧指定コマンド）である。遊技制御用マイクロコンピュータ５６０は、遊技機に対する電力供給が開始されたときに、バックアップＲＡＭにデータが保存されている場合には、停電復旧指定コマンドを送信し、そうでない場合には、初期化指定コマンドを送信する。
【０１３２】
コマンド９５ＸＸ（Ｈ）は、入賞時判定結果の内容（その後、開始条件が成立して変動表示が実行されるときにスーパーリーチとなるか否かの判定結果）を示す演出制御コマンド（入賞時判定結果指定コマンド）である。この実施の形態では、入賞時判定結果指定コマンドは、はずれの場合にはＥＸＴデータが「００」のコマンド９５００（Ｈ）であり、通常大当りの場合にはＥＸＴデータが「０１」のコマンド９５０１（Ｈ）であり、確変大当りの場合にはＥＸＴデータが「０２」のコマンド９５０２（Ｈ）である。なお、この実施の形態では、確変大当りの入賞時判定結果指定コマンドとして第１確変大当りの場合と第２確変大当りの場合とで分けていないが、第１確変大当りの場合と第２確変大当りの場合とで分けるようにしてもよい。また、この実施の形態では、突然確変大当りの場合と小当りの場合は、予告演出を実行しないので、入賞時判定結果指定コマンドが送信されない。ただし、突然確変大当りの判定結果を指定する入賞時判定結果指定コマンドを送信したり、小当りの判定結果を指定する入賞時判定結果指定コマンドを送信するようにして、突然確変大当りの場合や小当りの場合も予告演出を所定の割合で実行するようにしてもよい。
【０１３３】
コマンド９Ｆ００（Ｈ）は、客待ちデモンストレーションを指定する演出制御コマンド（客待ちデモ指定コマンド）である。
【０１３４】
コマンドＡ００１〜Ａ００３（Ｈ）は、ファンファーレ画面を表示すること、すなわち大当り遊技の開始を指定する演出制御コマンド（大当り開始指定コマンド：ファンファーレ指定コマンド）である。大当り開始指定コマンドには、大当りの種類に応じた大当り開始１指定コマンド、大当り開始指定２指定コマンドおよび小当り／突然確変大当り開始指定コマンドがある。なお、遊技制御用マイクロコンピュータ５６０は、突然大当りである場合に突然確変大当り開始指定用のファンファーレ指定コマンドを送信するものの、小当りである場合にはファンファーレ指定コマンドを送信しないように構成してもよい。
【０１３５】
コマンドＡ１ＸＸ（Ｈ）は、ＸＸで示す回数目（ラウンド）の大入賞口開放中の表示を示す演出制御コマンド（大入賞口開放中指定コマンド）である。Ａ２ＸＸ（Ｈ）は、ＸＸで示す回数目（ラウンド）の大入賞口閉鎖を示す演出制御コマンド（大入賞口開放後指定コマンド）である。
【０１３６】
コマンドＡ３０１（Ｈ）は、大当り終了画面を表示すること、すなわち大当り遊技の終了を指定するとともに、通常大当りであったことを指定する演出制御コマンド（大当り終了１指定コマンド：エンディング１指定コマンド）である。コマンドＡ３０２（Ｈ）は、大当り終了画面を表示すること、すなわち大当り遊技の終了を指定するとともに、確変大当りであったことを指定する演出制御コマンド（大当り終了２指定コマンド：エンディング２指定コマンド）である。コマンドＡ３０３（Ｈ）は、小当りの遊技の終了または突然確変大当りの遊技の終了を指定する演出制御コマンド（小当り／突然確変大当り終了指定コマンド：エンディング３指定コマンド）である。なお、遊技制御用マイクロコンピュータ５６０は、突然大当りである場合に突然確変大当り終了指定用のエンディング指定コマンドを送信するものの、小当りである場合にはエンディング指定コマンドを送信しないように構成してもよい。
【０１３７】
コマンドＢ０００（Ｈ）は、遊技状態が通常状態であることを指定する演出制御コマンド（通常状態指定コマンド）である。コマンドＢ００１（Ｈ）は、遊技状態が時短状態（確変状態を含む）であることを指定する演出制御コマンド（時短状態指定コマンド）である。
【０１３８】
コマンドＣ０００（Ｈ）は、第１始動入賞があったことを指定する演出制御コマンド（第１始動入賞指定コマンド）である。コマンドＣ１００（Ｈ）は、第２始動入賞があったことを指定する演出制御コマンド（第２始動入賞指定コマンド）である。第１始動入賞指定コマンドと第２始動入賞指定コマンドとを、始動入賞指定コマンドと総称することがある。
【０１３９】
コマンドＣ２ＸＸ（Ｈ）は、第１保留記憶数と第２保留記憶数との合計である合計数（合算保留記憶数）を指定する演出制御コマンド（合算保留記憶数指定コマンド）である。コマンドＣ２ＸＸ（Ｈ）における「ＸＸ」が、合算保留記憶数を示す。コマンドＣ３００（Ｈ）は、合算保留記憶数を１減算することを指定する演出制御コマンド（合算保留記憶数減算指定コマンド）である。この実施の形態では、遊技制御用マイクロコンピュータ５６０は、合算保留記憶数を減算する場合には合算保留記憶数減算指定コマンドを送信するが、合算保留記憶数減算指定コマンドを使用せず、合算保留記憶数を減算するときに、減算後の合算保留記憶数を合算保留記憶数指定コマンドで指定するようにしてもよい。
【０１４０】
演出制御基板８０に搭載されている演出制御用マイクロコンピュータ１００（具体的には、演出制御用ＣＰＵ１０１）は、主基板３１に搭載されている遊技制御用マイクロコンピュータ５６０から上述した演出制御コマンドを受信すると、図１０に示された内容に応じて画像表示装置９の表示状態を変更したり、ランプの表示状態を変更したり、音声出力基板７０に対して音番号データを出力したりする。
【０１４１】
例えば、遊技制御用マイクロコンピュータ５６０は、始動入賞があり第１特別図柄表示器８ａまたは第２特別図柄表示器８ｂにおいて特別図柄の可変表示が開始される度に、演出図柄の変動パターンを指定する変動パターンコマンドおよび表示結果指定コマンドを演出制御用マイクロコンピュータ１００に送信する。
【０１４２】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」に設定され、ＥＸＴデータの先頭ビット（ビット７）は必ず「０」に設定される。なお、そのようなコマンド形態は一例であって他のコマンド形態を用いてもよい。例えば、１バイトや３バイト以上で構成される制御コマンドを用いてもよい
【０１４３】
なお、演出制御コマンドの送出方式として、演出制御信号ＣＤ０〜ＣＤ７の８本のパラレル信号線で１バイトずつ主基板３１から中継基板７７を介して演出制御基板８０に演出制御コマンドデータを出力し、演出制御コマンドデータの他に、演出制御コマンドデータの取込を指示するパルス状（矩形波状）の取込信号（演出制御ＩＮＴ信号）を出力する方式を用いる。演出制御コマンドの８ビットの演出制御コマンドデータは、演出制御ＩＮＴ信号に同期して出力される。演出制御基板８０に搭載されている演出制御用マイクロコンピュータ１００は、演出制御ＩＮＴ信号が立ち上がったことを検知して、割込処理によって１バイトのデータの取り込み処理を開始する。
【０１４４】
図１０に示す例では、変動パターンコマンドおよび表示結果指定コマンドを、第１特別図柄表示器８ａでの第１特別図柄の変動に対応した演出図柄の可変表示（変動）と第２特別図柄表示器８ｂでの第２特別図柄の変動に対応した演出図柄の可変表示（変動）とで共通に使用でき、第１特別図柄および第２特別図柄の可変表示に伴って演出を行う画像表示装置９などの演出用部品を制御する際に、遊技制御用マイクロコンピュータ５６０から演出制御用マイクロコンピュータ１００に送信されるコマンドの種類を増大させないようにすることができる。
【０１４５】
図１１は、主基板３１に搭載される遊技制御用マイクロコンピュータ５６０（具体的には、ＣＰＵ５６）が実行する特別図柄プロセス処理（ステップＳ２６）のプログラムの一例を示すフローチャートである。上述したように、特別図柄プロセス処理では第１特別図柄表示器８ａまたは第２特別図柄表示器８ｂおよび大入賞口を制御するための処理が実行される。特別図柄プロセス処理において、ＣＰＵ５６は、第１始動入賞口１３に遊技球が入賞したことを検出するための第１始動口スイッチ１３ａまたは第２始動入賞口１４に遊技球が入賞したことを検出するための第２始動口スイッチ１４ａがオンしていたら、すなわち始動入賞が発生していたら、始動口スイッチ通過処理を実行する（ステップＳ３１１，Ｓ３１２）。そして、ステップＳ３００〜Ｓ３１０のうちのいずれかの処理を行う。第１始動入賞口スイッチ１３ａまたは第２始動口スイッチ１４ａがオンしていなければ、内部状態に応じて、ステップＳ３００〜Ｓ３１０のうちのいずれかの処理を行う。
【０１４６】
ステップＳ３００〜Ｓ３１０の処理は、以下のような処理である。
【０１４７】
特別図柄通常処理（ステップＳ３００）：特別図柄プロセスフラグの値が０であるときに実行される。遊技制御用マイクロコンピュータ５６０は、特別図柄の可変表示が開始できる状態になると、保留記憶数バッファに記憶される数値データの記憶数（合算保留記憶数）を確認する。保留記憶数バッファに記憶される数値データの記憶数は合算保留記憶数カウンタのカウント値により確認できる。また、合算保留記憶数カウンタのカウント値が０でなければ、第１特別図柄または第２特別図柄の可変表示の表示結果を大当りとするか否かを決定する。大当りとする場合には大当りフラグをセットする。そして、内部状態（特別図柄プロセスフラグ）をステップＳ３０１に応じた値（この例では１）に更新する。なお、大当りフラグは、大当り遊技が終了するときにリセットされる。
【０１４８】
変動パターン設定処理（ステップＳ３０１）：特別図柄プロセスフラグの値が１であるときに実行される。また、変動パターンを決定し、その変動パターンにおける変動時間（可変表示時間：可変表示を開始してから表示結果を導出表示（停止表示）するまでの時間）を特別図柄の可変表示の変動時間とすることに決定する。また、特別図柄の変動時間を計測する変動時間タイマをスタートさせる。そして、内部状態（特別図柄プロセスフラグ）をステップＳ３０２に対応した値（この例では２）に更新する。
【０１４９】
表示結果指定コマンド送信処理（ステップＳ３０２）：特別図柄プロセスフラグの値が２であるときに実行される。演出制御用マイクロコンピュータ１００に、表示結果指定コマンドを送信する制御を行う。そして、内部状態（特別図柄プロセスフラグ）をステップＳ３０３に対応した値（この例では３）に更新する。
【０１５０】
特別図柄変動中処理（ステップＳ３０３）：特別図柄プロセスフラグの値が３であるときに実行される。変動パターン設定処理で選択された変動パターンの変動時間が経過（ステップＳ３０１でセットされる変動時間タイマがタイムアウトすなわち変動時間タイマの値が０になる）すると、内部状態（特別図柄プロセスフラグ）をステップＳ３０４に対応した値（この例では４）に更新する。
【０１５１】
特別図柄停止処理（ステップＳ３０４）：特別図柄プロセスフラグの値が４であるときに実行される。第１特別図柄表示器８ａまたは第２特別図柄表示器８ｂにおける可変表示を停止して停止図柄を導出表示させる。また、演出制御用マイクロコンピュータ１００に、図柄確定指定コマンドを送信する制御を行う。そして、大当りフラグがセットされている場合には、内部状態（特別図柄プロセスフラグ）をステップＳ３０５に対応した値（この例では５）に更新する。また、小当りフラグがセットされている場合には、内部状態（特別図柄プロセスフラグ）をステップＳ３０８に対応した値（この例では８）に更新する。大当りフラグおよび小当りフラグのいずれもセットされていない場合には、内部状態（特別図柄プロセスフラグ）をステップＳ３００に対応した値（この例では０）に更新する。なお、演出制御用マイクロコンピュータ１００は、遊技制御用マイクロコンピュータ５６０が送信する図柄確定指定コマンドを受信すると演出表示装置９において演出図柄が停止されるように制御する。
【０１５２】
大入賞口開放前処理（ステップＳ３０５）：特別図柄プロセスフラグの値が５であるときに実行される。大入賞口開放前処理では、大入賞口を開放する制御を行う。具体的には、カウンタ（例えば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）をステップＳ３０６に対応した値（この例では６）に更新する。なお、大入賞口開放前処理は各ラウンド毎に実行されるが、第１ラウンドを開始する場合には、大入賞口開放前処理は大当り遊技を開始する処理でもある。
【０１５３】
大入賞口開放中処理（ステップＳ３０６）：特別図柄プロセスフラグの値が６であるときに実行される。大当り遊技状態中のラウンド表示の演出制御コマンドを演出制御用マイクロコンピュータ１００に送信する制御や大入賞口の閉成条件の成立を確認する処理等を行う。大入賞口の閉成条件が成立し、かつ、まだ残りラウンドがある場合には、内部状態（特別図柄プロセスフラグ）をステップＳ３０５に対応した値（この例では５）に更新する。また、全てのラウンドを終えた場合には、内部状態（特別図柄プロセスフラグ）をステップＳ３０７に対応した値（この例では７）に更新する。
【０１５４】
大当り終了処理（ステップＳ３０７）：特別図柄プロセスフラグの値が７であるときに実行される。大当り遊技状態が終了したことを遊技者に報知する表示制御を演出制御用マイクロコンピュータ１００に行わせるための制御を行う。また、遊技状態を示すフラグ（例えば、確変フラグや時短フラグ）をセットする処理を行う。そして、内部状態（特別図柄プロセスフラグ）をステップＳ３００に対応した値（この例では０）に更新する。
【０１５５】
小当り開放前処理（ステップＳ３０８）：特別図柄プロセスフラグの値が８であるときに実行される。小当り開放前処理では、大入賞口を開放する制御を行う。具体的には、カウンタ（例えば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）をステップＳ３０９に対応した値（この例では９）に更新する。なお、小当り開放前処理は各ラウンド毎に実行されるが、第１ラウンドを開始する場合には、小当り開放前処理は小当り遊技を開始する処理でもある。
【０１５６】
小当り開放中処理（ステップＳ３０９）：特別図柄プロセスフラグの値が９であるときに実行される。大入賞口の閉成条件の成立を確認する処理等を行う。大入賞口の閉成条件が成立し、かつ、まだ残りラウンドがある場合には、内部状態（特別図柄プロセスフラグ）をステップＳ３０８に対応した値（この例では８）に更新する。また、全てのラウンドを終えた場合には、内部状態（特別図柄プロセスフラグ）をステップＳ３１０に対応した値（この例では１０（１０進数））に更新する。
【０１５７】
小当り終了処理（ステップＳ３１０）：特別図柄プロセスフラグの値が１０であるときに実行される。小当り遊技状態が終了したことを遊技者に報知する表示制御を演出制御用マイクロコンピュータ１００に行わせるための制御を行う。そして、内部状態（特別図柄プロセスフラグ）をステップＳ３００に対応した値（この例では０）に更新する。
【０１５８】
図１２および図１３は、ステップＳ３１２の始動口スイッチ通過処理を示すフローチャートである。第１始動口スイッチ１３ａと第２始動口スイッチ１４ａとのうちの少なくとも一方がオン状態の場合に実行される始動口スイッチ通過処理において、ＣＰＵ５６は、オンしたのが第１始動口スイッチ１３ａであるか否かを確認する（ステップＳ２１１）。第１始動口スイッチ１３ａがオンしていれば、ＣＰＵ５６は、第１保留記憶数をカウントするための第１保留記憶数カウンタの値が４であるか否かを確認する（ステップＳ２１２）。第１保留記憶数カウンタの値が４であれば、ステップＳ２２１に移行する。
【０１５９】
第１保留記憶数カウンタの値が４でなければ、ＣＰＵ５６は、第１保留記憶数カウンタの値を１増やす（ステップＳ２１３）。また、ＣＰＵ５６は、第１始動入賞口１３および第２始動入賞口１４への入賞順を記憶するための保留記憶特定情報記憶領域（保留特定領域）において、合算保留記憶数カウンタの値に対応した領域に、「第１」を示すデータをセットする（ステップＳ２１４）。
【０１６０】
この実施の形態では、第１始動口スイッチ１３ａがオン状態となった場合（すなわち、第１始動入賞口１３に遊技球が始動入賞した場合）には「第１」を示すデータをセットし、第２始動口スイッチ１４ａがオン状態となった場合（すなわち、第２始動入賞口１４に遊技球が始動入賞した場合）には「第２」を示すデータをセットする。例えば、ＣＰＵ５６は、保留記憶特定情報記憶領域（保留特定領域）において、第１始動口スイッチ１３ａがオン状態となった場合には「第１」を示すデータとして０１（Ｈ）をセットし、第２始動口スイッチ１４ａがオン状態となった場合には「第２」を示すデータとして０２（Ｈ）をセットする。なお、この場合、対応する保留記憶がない場合には、保留記憶特定情報記憶領域（保留特定領域）には、００（Ｈ）がセットされている。
【０１６１】
図１４は、保留記憶に対応する乱数等を保存する領域（保留バッファ）の構成例を示す説明図である。図１４に示すように、第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。この実施の形態では、第１保留記憶バッファおよび第２保留記憶バッファには、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が記憶される。なお、第１保留記憶バッファおよび第２保留記憶バッファは、ＲＡＭ５５に形成されている。
【０１６２】
始動口スイッチ通過処理において、ＣＰＵ５６は、乱数回路５０３やソフトウェア乱数を生成するためのカウンタから値を抽出し、それらを、第１保留記憶バッファにおける保存領域に格納する処理を実行する（ステップＳ２１５）。なお、ステップＳ２１５の処理では、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が抽出され、保存領域に格納される。なお、変動パターン判定用乱数（ランダム３）を始動口スイッチ通過処理（始動入賞時）において抽出して保存領域にあらかじめ格納しておくのではなく、第１特別図柄の変動開始時に抽出するようにしてもよい。例えば、遊技制御用マイクロコンピュータ５６０は、後述する変動パターン設定処理において、変動パターン判定用乱数（ランダム３）を生成するための変動パターン判定用乱数カウンタから値を直接抽出するようにしてもよい。
【０１６３】
次いで、ＣＰＵ５６は、第１始動入賞指定コマンドを送信する制御を行う（ステップＳ２１６）。また、ＣＰＵ５６は、第１保留記憶数と第２保留記憶数との合計である合算保留記憶数を示す合算保留記憶数カウンタの値を１増やす（ステップＳ２１７）。そして、ＣＰＵ５６は、合算保留記憶数カウンタの値にもとづいて、合算保留記憶数を示す合算保留記憶数指定コマンドを送信する制御を行う（ステップＳ２１８）。なお、合算保留記憶数指定コマンドを、第１始動入賞指定コマンドの前に送信してもよい。
【０１６４】
また、演出制御用マイクロコンピュータ１００に演出制御コマンドを送信する場合には、ＣＰＵ５６は、演出制御コマンドに応じたコマンド送信テーブル（あらかじめＲＯＭにコマンド毎に設定されている）のアドレスをポインタにセットする。そして、演出制御コマンドに応じたコマンド送信テーブルのアドレスをポインタにセットして、演出制御コマンド制御処理（ステップＳ２９）において演出制御コマンドを送信する。
【０１６５】
次いで、ＣＰＵ５６は、ステップＳ２１５で抽出した大当り判定用乱数（ランダムＲ）と図９（Ａ）に示す大当り判定値とを比較し、それらが一致するか否かを確認する（ステップＳ２１９Ａ）。この実施の形態では、特別図柄および演出図柄の変動を開始するタイミングで、後述する特別図柄通常処理において大当りや小当りとするか否か、大当り種別を決定したり、変動パターン設定処理において変動パターンを決定したりするのであるが、それとは別に、遊技球が第１始動入賞口１３や第２始動入賞口１４に始動入賞したタイミングで、始動口スイッチ通過処理においてステップＳ２１９Ａ〜Ｓ２１９ＨやステップＳ２２９Ａ〜Ｓ２２９Ｈを実行することによって、あらかじめ演出図柄の変動表示中にスーパーリーチとなるか否かを確認する。そのようにすることによって、演出図柄の変動表示が実行されるより前にあらかじめスーパーリーチとなることを予測し、後述するように、演出制御用マイクロコンピュータ１００によってスーパーリーチとなる旨の予告演出を実行する。
【０１６６】
大当り判定用乱数（ランダムＲ）が大当り判定値と一致する場合には（ステップＳ２１９ＡのＹ）、ＣＰＵ５６は、図９（Ｃ）に示す第１特別図柄用の大当り種別判定用テーブルを選択する（ステップＳ２１９Ｂ）。そして、ＣＰＵ５６は、ステップＳ２１５で抽出した大当り種別判定用乱数（ランダム１）と、選択した第１特別図柄用の大当り種別判定用テーブルとにもとづいて、大当り種別を判定する（ステップＳ２１９Ｃ）。
【０１６７】
大当り種別が通常大当りまたは確変大当りである場合には（ステップＳ２１９ＤのＹ）、ＣＰＵ５６は、ステップＳ２１５で抽出した変動パターン判定用乱数（ランダム３）の値にもとづいてスーパーリーチの変動パターンであるか否かを確認する（ステップＳ２１９Ｅ）。変動パターン判定用乱数（ランダム３）の値にもとづいてスーパーリーチの変動パターンであることを確認すれば、ＣＰＵ５６は、演出制御用マイクロコンピュータ１００に対して入賞時判定結果指定コマンドを送信する制御を行う（ステップＳ２１９Ｈ）。なお、入賞時判定結果指定コマンドは、通常大当りのときのコマンドと確変大当りのときのコマンドとはずれのときのコマンドに分けられている（図１０参照）。従って、ＣＰＵ５６は、ステップＳ２１９Ｈにおいて、ステップＳ２１９Ｃで決定した大当り種別が確変大当りの場合は確変大当りのときの入賞時判定結果指定コマンドを送信し、ステップＳ２１９Ｃで決定した大当り種別が通常大当りの場合は通常大当りのときの入賞時判定結果指定コマンドを送信する。
【０１６８】
大当り判定用乱数（ランダムＲ）が大当り判定値と一致しなければ（ステップＳ２１９ＡのＮ）、ＣＰＵ５６は、ステップＳ２１５で抽出した大当り判定用乱数（ランダムＲ）と図９（Ｂ）に示す小当り判定値とを比較し、それらが一致するか否かを確認する（ステップＳ２１９Ｆ）。大当り判定用乱数（ランダムＲ）が小当り判定値と一致しなければ（ステップＳ２１９ＦのＮ）、すなわち、はずれであれば、ＣＰＵ５６は、ステップＳ２１５で抽出した変動パターン判定用乱数（ランダム３）の値にもとづいてスーパーリーチの変動パターンであるか否かを確認する（ステップＳ２１９Ｇ）。変動パターン判定用乱数（ランダム３）の値にもとづいてスーパーリーチの変動パターンであることを確認すれば、ＣＰＵ５６は、演出制御用マイクロコンピュータ１００に対して入賞時判定結果指定コマンドを送信する制御を行う（ステップＳ２１９Ｈ）。なお、ＣＰＵ５６は、ステップＳ２１９Ｈにおいて、ステップＳ２１９Ａで「はずれ」と決定した場合は「はずれ」のときの入賞時判定結果指定コマンドを送信する。
【０１６９】
なお、演出制御用マイクロコンピュータ１００は、後述するように、ステップＳ２１９Ｈで送信された入賞時判定結果指定コマンドを受信したことにもとづいて、スーパーリーチを予告する予告演出を実行するのであるが、現在の合算保留記憶数に応じた演出態様で予告演出を実行する。この場合、演出制御用マイクロコンピュータ１００は、ステップＳ２１８で送信された合算保留記憶数指定コマンドにもとづいて、現在の合算保留記憶数を把握する。なお、ＣＰＵ５６は、入賞時判定結果指定コマンドとして、現在の合算保留記憶数を指定したコマンドを送信するようにしてもよい。この場合、例えば、ＣＰＵ５６は、現在の合算保留記憶数の値をＥＸＴデータとして指定して入賞時判定結果指定コマンドを送信するようにしてもよい。そして、演出制御用マイクロコンピュータ１００は、受信した入賞時判定結果指定コマンドのＥＸＴデータを確認することによって、現在の合算保留記憶数を把握するようにしてもよい。
【０１７０】
次いで、ＣＰＵ５６は、第２始動口スイッチ１４ａがオンしたか否かを確認する（ステップＳ２２１）。第２始動口スイッチ１４ａがオンしていれば、ＣＰＵ５６は、第２保留記憶数をカウントするための第２保留記憶数カウンタの値が４であるか否かを確認する（ステップＳ２２２）。第２保留記憶数カウンタの値が４であれば、処理を終了する。なお、ＣＰＵ５６は、第２保留記憶数カウンタの値が４であれば、再度第１始動口スイッチ１３ａがオンしているか否かを確認する（ステップＳ２１１参照）処理を行うようにしてもよい。
【０１７１】
第２保留記憶数カウンタの値が４でなければ、ＣＰＵ５６は、第２保留記憶数カウンタの値を１増やす（ステップＳ２２３）。また、ＣＰＵ５６は、保留記憶特定情報記憶領域（保留特定領域）において、合算保留記憶数カウンタの値に対応した領域に、「第２」を示すデータをセットする（ステップＳ２２４）。
【０１７２】
次いで、ＣＰＵ５６は、乱数回路５０３やソフトウェア乱数を生成するためのカウンタから値を抽出し、それらを、第２保留記憶バッファにおける保存領域に格納する処理を実行する（ステップＳ２２５）。なお、ステップＳ２２５の処理では、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が抽出され、保存領域に格納される。なお、変動パターン判定用乱数（ランダム３）を始動口スイッチ通過処理（始動入賞時）において抽出して保存領域にあらかじめ格納しておくのではなく、第２特別図柄の変動開始時に抽出するようにしてもよい。例えば、遊技制御用マイクロコンピュータ５６０は、後述する変動パターン設定処理において、変動パターン判定用乱数（ランダム３）を生成するための変動パターン判定用乱数カウンタから値を直接抽出するようにしてもよい。
【０１７３】
次いで、ＣＰＵ５６は、第２始動入賞指定コマンドを送信する制御を行う（ステップＳ２２６）。また、ＣＰＵ５６は、合算保留記憶数カウンタの値を１増やす（ステップＳ２２７）。そして、ＣＰＵ５６は、合算保留記憶数カウンタの値にもとづいて合算保留記憶数指定コマンドを送信する（ステップＳ２２８）。なお、合算保留記憶数指定コマンドを、第２始動入賞指定コマンドの前に送信してもよい。
【０１７４】
次いで、ＣＰＵ５６は、ステップＳ２２５で抽出した大当り判定用乱数（ランダムＲ）と図９（Ａ）に示す大当り判定値とを比較し、それらが一致するか否かを確認する（ステップＳ２２９Ａ）。大当り判定用乱数（ランダムＲ）が大当り判定値と一致する場合には（ステップＳ２２９ＡのＹ）、ＣＰＵ５６は、図９（Ｄ）に示す第２特別図柄用の大当り種別判定用テーブルを選択する（ステップＳ２２９Ｂ）。そして、ＣＰＵ５６は、ステップＳ２２５で抽出した大当り種別判定用乱数（ランダム１）と、選択した第２特別図柄用の大当り種別判定用テーブルとにもとづいて、大当り種別を判定する（ステップＳ２２９Ｃ）。
【０１７５】
そして、ＣＰＵ５６は、ステップＳ２２５で抽出した変動パターン判定用乱数（ランダム３）の値にもとづいてスーパーリーチの変動パターンである否かを確認する（ステップＳ２２９Ｅ）。変動パターン判定用乱数（ランダム３）の値にもとづいてスーパーリーチの変動パターンであることを確認すれば、ＣＰＵ５６は、演出制御用マイクロコンピュータ１００に対して入賞時判定結果指定コマンドを送信する制御を行う（ステップＳ２２９Ｈ）。なお、ＣＰＵ５６は、ステップＳ２２９Ｈにおいて、ステップＳ２２９Ｃで決定した大当り種別が確変大当りの場合は確変大当りのときの入賞時判定結果指定コマンドを送信し、ステップＳ２２９Ｃで決定した大当り種別が通常大当りの場合は通常大当りのときの入賞時判定結果指定コマンドを送信する。
【０１７６】
なお、この実施の形態では、第２特別図柄の変動表示結果として突然確変大当りが含まれない場合（図９（Ｄ）参照）を示しているが、第２特別図柄の変動表示結果として突然確変大当りも決定されるように構成する場合には、ステップＳ２２９Ａで大当り判定用乱数（ランダムＲ）が大当り判定値と一致すると判定したときに、ステップＳ２１９Ｂ〜Ｓ２１９Ｄと同様の処理を実行するようにすればよい。この場合、ステップＳ２１９Ｂと同様の処理を実行する場合には、第２特別図柄用の大当り種別判定用テーブルを選択し、大当り種別を判定するようにすればよい。そして、ステップＳ２１９Ｄと同様の処理に従って、大当り種別が通常大当りまたは確変大当りであると判定した場合にステップＳ２２９Ｅの処理に移行するようにすればよい。
【０１７７】
大当り判定用乱数（ランダムＲ）が大当り判定値と一致しなければ（ステップＳ２２９ＡのＮ）、ＣＰＵ５６は、ステップＳ２２５で抽出した大当り判定用乱数（ランダムＲ）と図９（Ｂ）に示す小当り判定値とを比較し、それらが一致するか否かを確認する（ステップＳ２２９Ｆ）。大当り判定用乱数（ランダムＲ）が小当り判定値と一致しなければ（ステップＳ２２９ＦのＮ）、すなわち、はずれであれば、ＣＰＵ５６は、ステップＳ２２５で抽出した変動パターン判定用乱数（ランダム３）の値にもとづいてスーパーリーチの変動パターンであるか否かを確認する（ステップＳ２２９Ｇ）。変動パターン判定用乱数（ランダム３）の値にもとづいてスーパーリーチの変動パターンであることを確認すれば、ＣＰＵ５６は、演出制御用マイクロコンピュータ１００に対して入賞時判定結果指定コマンドを送信する制御を行う（ステップＳ２２９Ｈ）。なお、ＣＰＵ５６は、ステップＳ２２９Ｈにおいて、ステップＳ２２９Ａで「はずれ」と決定した場合は「はずれ」のときの入賞時判定結果指定コマンドを送信する。
【０１７８】
なお、演出制御用マイクロコンピュータ１００は、後述するように、ステップＳ２２９Ｈで送信された入賞時判定結果指定コマンドを受信したことにもとづいて、スーパーリーチを予告する予告演出（後述する先読み予告演出）を実行するのであるが、入賞時判定結果指定コマンドの種類（はずれ、通常大当り、確変大当り）に応じて異なる割合で予告演出を実行する。
【０１７９】
なお、ステップＳ２１３〜２１８，Ｓ２１９Ａ〜Ｓ２１９Ｈの処理とステップＳ２２３〜２２８，Ｓ２２９Ａ〜Ｓ２２９Ｈの処理とを、１つの共通ルーチンで実現してもよい。その場合、ＣＰＵ５６は、まず、第１始動口スイッチ１３ａがオン状態になったことを検出した場合に「第１」を示すデータをセットし、第２始動口スイッチ１４ａがオン状態になったことを検出した場合に「第２」を示すデータをセットし、共通ルーチンで、セットされているデータに応じて、保留記憶数バッファ（第１保留記憶数バッファまたは第２保留記憶数バッファ）を選択したり始動入賞指定コマンド（第１始動入賞指定コマンドまたは第２始動入賞指定コマンド）を選択する。なお、ステップＳ２１３〜２１８，Ｓ２１９Ａ〜Ｓ２１９Ｈの処理とステップＳ２２３〜２２８，Ｓ２２９Ａ〜Ｓ２２９Ｈの処理とを１つの共通ルーチンで実現する場合であっても、第１保留記憶バッファと第２保留記憶バッファとを、それぞれＲＡＭ５５の別々の領域に、同じバッファ構造で用意しておく。
【０１８０】
図１５および図１６は、特別図柄プロセス処理における特別図柄通常処理（ステップＳ３００）を示すフローチャートである。特別図柄通常処理において、ＣＰＵ５６は、合算保留記憶数の値を確認する（ステップＳ５１）。具体的には、合算保留記憶数カウンタのカウント値を確認する。合算保留記憶数が０であれば処理を終了する。
【０１８１】
合算保留記憶数が０でなければ、ＣＰＵ５６は、保留特定領域の最初に設定されているデータが「第１」を示すデータであるか否かを確認する（ステップＳ５２）。保留特定領域の最初に設定されているデータが「第１」を示すデータであれば、ＣＰＵ５６は、特別図柄ポインタ（第１特別図柄について特別図柄プロセス処理を行っているのか第２特別図柄について特別図柄プロセス処理を行っているのかを示すフラグ）に「第１」を示すデータを設定する（ステップＳ５３）。保留特定領域の最初に設定されているデータが「第１」を示すデータでなければ（すなわち、「第２」を示すデータであれば）、ＣＰＵ６６は、特別図柄ポインタに「第２」を示すデータを設定する（ステップＳ５４）。
【０１８２】
この実施の形態では、ステップＳ５２〜Ｓ５４の処理が実行されることによって、第１始動入賞口１３および第２始動入賞口１４に始動入賞した順番に、対応する特別図柄の変動表示が実行される（すなわち、第１始動入賞口１３への始動入賞に対応して第１特別図柄の変動表示が実行され、第２始動入賞口１４への始動入賞に対応して第２特別図柄の変動表示が実行される）。
【０１８３】
なお、始動入賞順ではなく、例えば、第２特別図柄の変動表示を優先して実行するようにしてもよい。この場合、ＣＰＵ５６は、ステップＳ５２において、保留特定領域に１つでも「第２」を示すデータがあるか否かを確認する。そして、１つでも「第２」を示すデータがあれば、ステップＳ５４に移行し、特別図柄ポインタに「第２」を示すデータを設定する。一方、「第２」を示すデータが１つもなければ（すなわち、「第１」を示すデータのみが設定されていれば）、ＣＰＵ５６は、ステップＳ５３に移行し、特別図柄ポインタに「第１」を示すデータを設定する。また、第２特別図柄の変動表示を優先して実行する場合、保留特定領域を設けなくてもよい。この場合、まず、第２保留記憶バッファに保留記憶があるか否か（ランダムＲやランダム１、ランダム２などの値が格納されているか否か）を確認し、保留記憶があれば、ステップＳ５４に移行し、特別図柄ポインタに「第２」を示すデータを設定すればよい。一方、第２保留記憶バッファに保留記憶がなければ（この場合、第１保留記憶バッファにのみ保留記憶があることになる）、ステップＳ５３に移行し、特別図柄ポインタに「第１」を示すデータを設定すればよい。
【０１８４】
次いで、ＣＰＵ５６は、ＲＡＭ５５において、特別図柄ポインタが示す方の保留記憶数＝１に対応する保存領域に格納されている各乱数値を読み出してＲＡＭ５５の乱数バッファ領域に格納する（ステップＳ５５）。具体的には、ＣＰＵ５６は、特別図柄ポインタが「第１」を示している場合には、第１保留記憶数バッファにおける第１保留記憶数＝１に対応する保存領域に格納されている各乱数値を読み出してＲＡＭ５５の乱数バッファ領域に格納する。また、ＣＰＵ５６は、特別図柄ポインタが「第２」を示している場合には、第２保留記憶数バッファにおける第２保留記憶数＝１に対応する保存領域に格納されている各乱数値を読み出してＲＡＭ５５の乱数バッファ領域に格納する。
【０１８５】
そして、ＣＰＵ５６は、特別図柄ポインタが示す方の保留記憶数カウンタのカウント値を１減算し、かつ、各保存領域の内容をシフトする（ステップＳ５６）。具体的には、ＣＰＵ５６は、特別図柄ポインタが「第１」を示している場合には、第１保留記憶数カウンタのカウント値を１減算し、かつ、第１保留記憶数バッファにおける各保存領域の内容をシフトする。また、保留特定領域の最初に設定されている「第１」を示すデータを削除し、以降の保留特定領域の内容をシフトする。また、特別図柄ポインタが「第２」を示している場合に、第２保留記憶数カウンタのカウント値を１減算し、かつ、第２保留記憶数バッファにおける各保存領域の内容をシフトする。また、保留特定領域の最初に設定されている「第２」を示すデータを削除し、以降の保留特定領域の内容をシフトする。
【０１８６】
すなわち、ＣＰＵ５６は、特別図柄ポインタが「第１」を示している場合に、ＲＡＭ５５の第１保留記憶数バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示す場合に、ＲＡＭ５５の第２保留記憶数バッファにおいて第２保留記憶数＝ｎ（ｎ＝２，３，４）に対応する保存領域に格納されている各乱数値を、第２保留記憶数＝ｎ−１に対応する保存領域に格納する。
【０１８７】
よって、各第１保留記憶数（または、各第２保留記憶数）に対応するそれぞれの保存領域に格納されている各乱数値が抽出された順番は、常に、第１保留記憶数（または、第２保留記憶数）＝１，２，３，４の順番と一致するようになっている。
【０１８８】
そして、ＣＰＵ５６は、合算保留記憶数カウンタのカウント値をＲＡＭ５５の所定の領域に保存した後（ステップＳ５７）、合算保留記憶数の値を１減らす。すなわち、合算保留記憶数カウンタのカウント値を１減算する（ステップＳ５８）。なお、ＣＰＵ５６は、カウント値が１減算される前の合算保留記憶数カウンタの値をＲＡＭ５５の所定の領域に保存する。
【０１８９】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、ステップＳ３００〜Ｓ３１０の処理を、第１特別図柄を対象とする場合と第２特別図柄を対象とする場合とで共通化することができる。
【０１９０】
次いで、ＣＰＵ５６は、乱数バッファ領域からランダムＲ（大当り判定用乱数）を読み出し、大当り判定モジュールを実行する。なお、この場合、ＣＰＵ５６は、始動口スイッチ通過処理のステップＳ２１５やＳ２２５で抽出し第１保留記憶バッファや第２保留記憶バッファにあらかじめ格納した大当り判定用乱数を読み出し、大当り判定を行う。大当り判定モジュールは、あらかじめ決められている大当り判定値や小当り判定値（図９参照）と大当り判定用乱数とを比較し、それらが一致したら大当りや小当りとすることに決定する処理を実行するプログラムである。すなわち、大当り判定や小当り判定の処理を実行するプログラムである。
【０１９１】
大当り判定の処理では、遊技状態が確変状態（高確率状態）の場合は、遊技状態が非確変状態（通常遊技状態および時短状態）の場合よりも、大当りとなる確率が高くなるように構成されている。具体的には、あらかじめ大当り判定値の数が多く設定されている確変時大当り判定テーブル（ＲＯＭ５４における図９（Ａ）の右側の数値が設定されているテーブル）と、大当り判定値の数が確変大当り判定テーブルよりも少なく設定されている通常時大当り判定テーブル（ＲＯＭ５４における図９（Ａ）の左側の数値が設定されているテーブル）とが設けられている。そして、ＣＰＵ５６は、遊技状態が確変状態であるか否かを確認し、遊技状態が確変状態であるときは、確変時大当り判定テーブルを使用して大当りの判定の処理を行い、遊技状態が通常遊技状態や時短状態であるときは、通常時大当り判定テーブルを使用して大当りの判定の処理を行う。すなわち、ＣＰＵ５６は、大当り判定用乱数（ランダムＲ）の値が図９（Ａ）に示すいずれかの大当り判定値に一致すると、特別図柄に関して大当りとすることに決定する。大当りとすることに決定した場合には（ステップＳ６１）、ステップＳ７１に移行する。なお、大当りとするか否か決定するということは、大当り遊技状態に移行させるか否か決定するということであるが、特別図柄表示器における停止図柄を大当り図柄とするか否か決定するということでもある。
【０１９２】
なお、現在の遊技状態が確変状態であるか否かの確認は、確変フラグがセットされているか否かにより行われる。確変フラグは、遊技状態を確変状態に移行するときにセットされ、確変状態を終了するときにリセットされる。具体的には、確変大当りまたは突然確変大当りとすることに決定され、大当り遊技を終了する処理においてセットされ、大当りと決定されたときに特別図柄の変動表示を終了して停止図柄を停止表示するタイミングでリセットされる。
【０１９３】
大当り判定用乱数（ランダムＲ）の値がいずれの大当り判定値にも一致しなければ（ステップＳ６１のＮ）、ＣＰＵ５６は、小当り判定テーブル（図９（Ｂ）参照）を使用して小当りの判定の処理を行う。すなわち、ＣＰＵ５６は、大当り判定用乱数（ランダムＲ）の値が図９（Ｂ）に示すいずれかの小当り判定値に一致すると、特別図柄に関して小当りとすることに決定する。小当りとすることに決定した場合には（ステップＳ６２）、ＣＰＵ５６は、小当りであることを示す小当りフラグをセットし（ステップＳ６３）、ステップＳ７５に移行する。
【０１９４】
なお、ランダムＲの値が大当り判定値および小当り判定値のいずれにも一致しない場合には（ステップＳ６２のＮ）、すなわち、はずれである場合には、そのままステップＳ７５に移行する。
【０１９５】
ステップＳ７１では、ＣＰＵ５６は、大当りであることを示す大当りフラグをセットする。そして、大当り種別を複数種類のうちのいずれかに決定するために使用するテーブルとして、特別図柄ポインタが示す方の大当り種別判定テーブルを選択する（ステップＳ７２）。具体的には、ＣＰＵ５６は、特別図柄ポインタが「第１」を示している場合には、図９（Ｃ）に示す第１特別図柄用の大当り種別判定用テーブル１３１ａを選択する。また、ＣＰＵ５６は、特別図柄ポインタが「第２」を示している場合には、図９（Ｄ）に示す第２特別図柄用の大当り種別判定用テーブル１３１ｂを選択する。
【０１９６】
次いで、ＣＰＵ５６は、選択した大当り種別判定テーブルを用いて、乱数バッファ領域に格納された大当り種別判定用の乱数（ランダム１）の値と一致する値に対応した種別（「通常大当り」、「確変大当り」または「突然確変大当り」）を大当りの種別に決定する（ステップＳ７３）。なお、この場合、ＣＰＵ５６は、始動口スイッチ通過処理のステップＳ２１５やＳ２２５で抽出し第１保留記憶バッファや第２保留記憶バッファにあらかじめ格納した大当り種別判定用乱数を読み出し、大当り種別の決定を行う。また、この場合に、図９（Ｃ），（Ｄ）に示すように、第２特別図柄の変動表示が実行される場合には、第１特別図柄の変動表示が実行される場合と比較して、確変大当りが選択される割合が高い。また、この実施の形態では、図９（Ｃ），（Ｄ）に示すように、第１の特別図柄の変動表示が実行される場合にのみ、突然確変大当りが選択される場合がある。なお、例えば、第２の特別図柄の変動表示が実行される場合においても、突然確変大当りが選択されるようにしてもよく、第１の特別図柄の変動表示が実行される場合と第２の特別図柄の変動表示が実行される場合とで、各大当り種別の選択割合を同じにしてもよい。
【０１９７】
また、ＣＰＵ５６は、決定した大当りの種別を示すデータをＲＡＭ５５における大当り種別バッファに設定する（ステップＳ７４）。例えば、大当り種別が「通常大当り」の場合には大当り種別を示すデータとして「０１」が設定され、大当り種別が「確変大当り」の場合には大当り種別を示すデータとして「０２」が設定され、大当り種別が「突然確変大当り」の場合には大当り種別を示すデータとして「０３」が設定される。
【０１９８】
次いで、ＣＰＵ５６は、特別図柄の停止図柄を決定する（ステップＳ７５）。具体的には、大当りフラグおよび小当りフラグのいずれもセットされていない場合には、はずれ図柄となる「−」を特別図柄の停止図柄に決定する。大当りフラグがセットされている場合には、大当り種別の決定結果に応じて、大当り図柄となる「１」、「３」、「７」のいずれかを特別図柄の停止図柄に決定する。すなわち、大当り種別を「突然確変大当り」に決定した場合には「１」を特別図柄の停止図柄に決定し、「通常大当り」に決定した場合には「３」を特別図柄の停止図柄に決定し、「確変大当り」に決定した場合には「７」を特別図柄の停止図柄に決定する。また、小当りフラグがセットされている場合には、小当り図柄となる「５」を特別図柄の停止図柄に決定する。
【０１９９】
そして、特別図柄プロセスフラグの値を変動パターン設定処理（ステップＳ３０１）に対応した値に更新する（ステップＳ７６）。
【０２００】
図１７は、特別図柄プロセス処理における変動パターン設定処理（ステップＳ３０１）を示すフローチャートである。変動パターン設定処理において、ＣＰＵ５６は、最初に、先擬似報知演出を実行するか否かを決定する（ステップＳ９０）。ここで、先擬似報知演出とは、擬似連の変動が開始される前に、擬似連の変動が開始されることを遊技者に報知する演出である。例えば、擬似連が開始される前に背景画像を変化させて擬似連の変動が開始されることを報知する。なお、ステップＳ９０で先擬似報知演出を実行すると決定した場合は、先擬似報知を実行する変動パターンを選択する。
【０２０１】
次に、ＣＰＵ５６は、大当りフラグがセットされているか否か確認する（ステップＳ９１）。大当りフラグがセットされている場合には、ＣＰＵ５６は、変動パターンを複数種類のうちのいずれかに決定するために使用するテーブルとして、大当り用変動パターン判定テーブルを選択する（ステップＳ９２）。そして、ステップＳ１０２に移行する。
【０２０２】
大当りフラグがセットされていない場合には、ＣＰＵ５６は、小当りフラグがセットされているか否かを確認する（ステップＳ９３）。小当りフラグがセットされている場合には、ＣＰＵ５６は、変動パターンを複数種類のうちのいずれかに決定するために使用するテーブルとして、小当り用変動パターン判定テーブルを選択する（ステップＳ９４）。そして、ステップＳ１０２に移行する。
【０２０３】
小当りフラグもセットされていない場合には、ＣＰＵ５６は、時短状態であることを示す時短フラグがセットされているか否かを確認する（ステップＳ９５）。なお、時短フラグは、遊技状態を時短状態に移行するとき（確変状態に移行するときを含む）にセットされ、時短状態を終了するときにリセットされる。具体的には、通常大当り、確変大当りまたは突然確変大当りとすることに決定され、大当り遊技を終了する処理においてセットされ、時短回数を消化したタイミングや、大当りと決定されたときに特別図柄の変動表示を終了して停止図柄を停止表示するタイミングでリセットされる。時短フラグがセットされていれば（ステップＳ９５のＹ）、ＣＰＵ５６は、ステップＳ９８に移行する。
【０２０４】
時短フラグがセットされていなければ（ステップＳ９５のＮ）、ＣＰＵ５６は、合算保留記憶数が３以上であるか否かを確認する（ステップＳ９６）。合算保留記憶数が３未満であれば（ステップＳ９６のＮ）、ＣＰＵ５６は、変動パターンを複数種類のうちのいずれかに決定するために使用するテーブルとして、はずれ用変動パターン判定テーブル（非短縮用）を選択する（ステップＳ９７）。そして、ステップＳ１０２に移行する。
【０２０５】
時短フラグがセットされている場合（ステップＳ９５のＹ）または合算保留記憶数が３以上である場合（ステップＳ９６のＹ）には、ＣＰＵ５６は、変動パターンを複数種類のうちのいずれかに決定するために使用するテーブルとして、はずれ用変動パターン種別判定テーブル（短縮用）を選択する（ステップＳ９８）。そして、ステップＳ１０２に移行する。
【０２０６】
この実施の形態では、ステップＳ９５〜Ｓ９８の処理が実行されることによって、遊技状態が時短状態である場合（確変状態である場合を含む）または合算保留記憶数が３以上である場合には、はずれ用変動パターン種別判定テーブル（短縮用）が選択される。従って、この実施の形態では、遊技状態が時短状態である場合（確変状態である場合を含む）または合算保留記憶数が３以上である場合には、短縮変動の変動表示が行われる場合がある。
【０２０７】
なお、この実施の形態では、遊技状態が時短状態である場合であっても、合算保留記憶数がほぼ０である場合（例えば、０であるか、０または１である場合）には、短縮変動の変動表示を行わないようにしてもよい。
【０２０８】
次いで、ＣＰＵ５６は、乱数バッファ領域（第１保留記憶バッファまたは第２保留記憶バッファ）からランダム３（変動パターン判定用乱数）を読み出し、ステップＳ９２、Ｓ９４、Ｓ９７またはＳ９８の処理で選択したテーブルを参照することによって、変動パターンを複数種類のうちのいずれかに決定する（ステップＳ１０５）。
【０２０９】
次いで、決定した変動パターンに対応する演出制御コマンド（変動パターンコマンド）を、演出制御用マイクロコンピュータ１００に送信する制御を行う（ステップＳ１０６）。
【０２１０】
また、特別図柄の変動を開始する（ステップＳ１０７）。例えば、ステップＳ３３の特別図柄表示制御処理で参照される特別図柄に対応した開始フラグをセットする。また、ＲＡＭ５５に形成されている変動時間タイマに、選択された変動パターンに対応した変動時間に応じた値を設定する（ステップＳ１０８）。そして、特別図柄プロセスフラグの値を表示結果指定コマンド送信処理（ステップＳ３０２）に対応した値に更新する（ステップＳ１０９）。
【０２１１】
また、リーチ判定用乱数を用いた抽選処理によってリーチとするか否かを決定する場合にも、合算保留記憶数（第１保留記憶数や第２保留記憶数でもよい）に応じて、リーチの選択割合が異なるリーチ判定テーブルを選択して、保留記憶数が多くなるに従ってリーチ確率が低くなるようにリーチとするか否かを決定するようにしてもよい。この場合、ＣＰＵ５６は、例えば、始動口スイッチ通過処理における始動入賞時の判定において、リーチの選択割合が低い方のリーチ判定テーブルを用いてリーチとなるか否かをあらかじめ判定するようにしてもよい。なお、予告演出の実行割合が低下してしまうことを考慮すると、この実施の形態で示したように、リーチ判定用乱数を用いた抽選処理を行うことなく、変動パターン種別によってスーパーリーチとなるか否かを事前判定して予告演出を行うように構成することが好ましい。
【０２１２】
なお、変動パターン設定処理が実行された後、大当り判定の判定結果、小当り判定の判定結果、大当り種別の決定結果に応じた表示結果指定コマンドを送信するための表示結果指定コマンド送信処理（ステップＳ３０２）が実行される。なお、表示結果指定コマンド送信処理において、合算保留記憶数減算指定コマンドを送信する処理が実行される。そして、変動パターン設定処理で決定された変動パターンで特定可能な変動時間において特別図柄を変動させるための特別図柄変動中処理（ステップＳ３０３）が実行される。そして、特別図柄を停止させるための特別図柄停止処理（ステップＳ３０４）が実行される。なお、特別図柄停止処理では、大当り遊技の終了後からカウントしている時短回数が時短状態が継続可能な所定回数（例えば１００回）に達したときに時短フラグをリセットして時短状態を終了させる（通常状態に移行させる）処理なども実行される。その後、停止図柄がはずれ図柄であったときは特別図柄通常処理に移行され、停止図柄が大当り図柄であったときは大入賞口開放前処理に移行され、停止図柄が小当り図柄であったときは小当り開放前処理に移行される。
【０２１３】
なお、この実施の形態では、第２確変大当りになったときは、大当り遊技中に昇格演出が実行され、大当り遊技状態の終了後に確変状態に移行される。
【０２１４】
次に、演出制御手段の動作を説明する。まず、演出制御基板８０に搭載されている演出制御手段としての演出制御用マイクロコンピュータ１００（具体的には、演出制御用ＣＰＵ１０１）が実行するメイン処理について説明する。演出制御用ＣＰＵ１０１は、電源が投入されると、メイン処理の実行を開始する。メイン処理では、まず、ＲＡＭ領域のクリアや各種初期値の設定、また演出制御の起動間隔（例えば、２ｍｓ）を決めるためのタイマの初期設定等を行うための初期化処理を行う。その後、演出制御用ＣＰＵ１０１は、タイマ割込フラグの監視を行うループ処理に移行する。タイマ割込が発生すると、演出制御用ＣＰＵ１０１は、タイマ割込処理においてタイマ割込フラグをセットする。メイン処理において、タイマ割込フラグがセットされていたら、演出制御用ＣＰＵ１０１は、そのフラグをクリアし、以下の演出制御処理を実行する。
【０２１５】
演出制御処理において、演出制御用ＣＰＵ１０１は、まず、受信した演出制御コマンドを解析し、受信した演出制御コマンドに応じたフラグをセットする処理等を行う（コマンド解析処理）。次いで、演出制御用ＣＰＵ１０１は、演出制御プロセス処理を行う。演出制御プロセス処理では、制御状態に応じた各プロセスのうち、現在の制御状態（演出制御プロセスフラグ）に対応した処理を選択して演出表示装置９の表示制御を実行する。
【０２１６】
次いで、大当り図柄決定用乱数などの乱数を生成するためのカウンタのカウント値を更新する乱数更新処理を実行する。また、合算保留記憶表示部１８ｃの表示状態の制御を行う保留記憶表示制御処理を実行する。その後、タイマ割込の発生に応じてタイマ割込処理においてタイマ割込フラグをセットする処理に移行する。
【０２１７】
なお、遊技制御用マイクロコンピュータ５６０から送信された演出制御コマンドは、演出制御ＩＮＴ信号にもとづく割込処理で受信され、ＲＡＭに形成されているバッファ領域に保存されている。コマンド解析処理では、バッファ領域に保存されている演出制御コマンドがどのコマンド（図１０参照）であるのか解析する。
【０２１８】
図１８は、メイン処理における演出制御プロセス処理を示すフローチャートである。演出制御プロセス処理では、演出制御用ＣＰＵ１０１は、演出制御プロセスフラグの値に応じてステップＳ８００〜Ｓ８０７のうちのいずれかの処理を行う。各処理において、以下のような処理を実行する。なお、演出制御プロセス処理では、演出表示装置９の表示状態が制御され、演出図柄（飾り図柄）の可変表示が実現されるが、第１特別図柄の変動に同期した演出図柄（飾り図柄）の可変表示に関する制御も、第２特別図柄の変動に同期した演出図柄（飾り図柄）の可変表示に関する制御も、一つの演出制御プロセス処理において実行される。
【０２１９】
変動パターンコマンド受信待ち処理（ステップＳ８００）：遊技制御用マイクロコンピュータ５６０から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を予告演出設定処理（ステップＳ８０１）に対応した値に変更する。
【０２２０】
予告演出設定処理（ステップＳ８０１）：予告演出を実行するか否かと、予告演出を実行する場合の予告種別（「先読み予告演出」「擬似連予告演出」「通常予告演出」といった予告演出の種別）を決定し、決定した予告種別の予告演出の態様を決定する、そして、演出制御プロセスフラグの値を演出図柄変動開始処理（ステップＳ８０２）に対応した値に変更する。
【０２２１】
演出図柄変動開始処理（ステップＳ８０２）：演出図柄（飾り図柄）の変動が開始されるように制御する。そして、演出制御プロセスフラグの値を演出図柄変動中処理（ステップＳ８０３）に対応した値に更新する。
【０２２２】
演出図柄変動中処理（ステップＳ８０３）：変動パターンを構成する各変動状態（変動速度）の切替タイミング等を制御するとともに、変動時間の終了を監視する。そして、変動時間が終了したら、演出制御プロセスフラグの値を演出図柄変動停止処理（ステップＳ８０４）に対応した値に更新する。
【０２２３】
演出図柄変動停止処理（ステップＳ８０４）：全図柄停止を指示する演出制御コマンド（図柄確定指定コマンド）を受信したことにもとづいて、演出図柄（飾り図柄）の変動を停止し表示結果（停止図柄）を導出表示する制御を行う。そして、演出制御プロセスフラグの値を大当り表示処理（ステップＳ８０５）または変動パターンコマンド受信待ち処理（ステップＳ８００）に対応した値に更新する。
【０２２４】
大当り表示処理（ステップＳ８０５）：変動時間の終了後、演出表示装置９に大当りの発生を報知するための画面を表示する制御を行う。そして、演出制御プロセスフラグの値を大当り遊技中処理（ステップＳ８０６）に対応した値に更新する。
【０２２５】
大当り遊技中処理（ステップＳ８０６）：大当り遊技中の制御を行う。例えば、大入賞口開放中指定コマンドや大入賞口開放後指定コマンドを受信したら、演出表示装置９におけるラウンド数の表示制御等を行う。そして、演出制御プロセスフラグの値を大当り終了処理（ステップＳ８０７）に対応した値に更新する。
【０２２６】
大当り終了処理（ステップＳ８０７）：演出表示装置９において、大当り遊技状態が終了したことを遊技者に報知する表示制御を行う。そして、演出制御プロセスフラグの値を変動パターンコマンド受信待ち処理（ステップＳ８００）に対応した値に更新する。
【０２２７】
図１９は、演出図柄プロセス処理における予告演出設定処理（ステップＳ８０１）を示すフローチャートである。予告演出設定処理において、まず、予告演出を実行するか否かと、予告演出を実行する場合の予告種別を決定する（ステップＳ８１１）。この実施の形態では、予告種別として、「先読み予告」「擬似連予告」「通常予告」が設けられている。具体的には、「予告なし」「先読み予告」「擬似連予告」「通常予告」に対し所定数の判定値が割り振られた予告種別決定テーブルを用意しておく。そして、演出制御用ＣＰＵ１０１は、予告種別決定用乱数を抽出し、抽出した乱数値と予告種別決定テーブルに割り振られた判定値とを比較し、乱数値と一致する判定値に対応する「予告なし」または予告種別（「先読み予告」「擬似連予告」「通常予告」）を決定する。
【０２２８】
ここで、「先読み予告」とは、始動入賞にもとづく変動表示を実行する前に（遊技領域に設けられた始動入賞口１３，１４に遊技球が始動入賞したタイミングで）、あらかじめ各乱数値を先読みし、その始動入賞に対応した変動表示が実行されるときに大当りとなるか否かやリーチとなるか否かを判定し、その判定結果にもとづいて、その始動入賞に対応した変動表示よりも以前に実行される１回または複数回の変動表示中において、特定の変動パターンが実行されること（この実施の形態ではスーパーリーチに発展すること）を予告する予告演出のことをいう。
【０２２９】
また、「擬似連予告」とは、擬似連の変動パターンにもとづいて１回の変動中に実行される複数回（１回〜４回）の再変動（再可変表示）中において、特定の変動パターンが実行されること（この実施の形態ではスーパーリーチに発展すること）を予告する予告演出のことをいう。
【０２３０】
なお、「先読み予告」と「擬似連予告」の演出内容は、同一内容とされている（図２５参照）。
【０２３１】
また、「通常予告」とは、「先読み予告」や「擬似連予告」とは異なる通常の予告演出、例えば、演出表示装置９の画面上にキャラクタを登場させたり、ランプ・ＬＥＤを特定パターンで点灯させたり、特定の効果音をスピーカ２７から出力することによって、当該変動中に大当りとなること（大当りになる可能性があること）やリーチとなること（リーチとなる可能性があること）を予告する予告演出のことをいう。
【０２３２】
このように、予告種別決定用乱数を用いて予告種別を決定するように構成されているので、同時に実行不可能な予告演出（特に「先読み予告」と「擬似連予告」）が同時に実行することに決定してしまうのを未然に防止することができる。また、プログラム容量の増加を招くことなく多様な予告演出を実行して遊技の興趣を向上させることができる。また、開発時において予告演出の振分を容易に設定することができ、開発工数の削減を図れる。
【０２３３】
次に、演出制御用ＣＰＵ１０１は、ステップＳ８１１で「予告なし」と決定したか否かを判定し（ステップＳ８１２）、「予告なし」と決定したときは（ステップＳ８１２のＹ）、演出制御プロセスフラグの値を演出図柄変動開始処理に対応した値に更新する（ステップＳ８１８）。ステップＳ８１１で「予告なし」と決定していないときは（ステップＳ８１２のＮ）、ステップＳ８１１で決定した予告種別が「先読み予告」であるか否かを判定し（ステップＳ８１３）、「先読み予告」である場合は先読み予告演出の内容（実行回数、演出態様）を決定する先読み予告決定処理を実行する（ステップＳ８１４）。
【０２３４】
予告種別が「先読み予告」でない場合は（ステップＳ８１３のＮ）、予告種別が「擬似連予告」であるか否かを判定し（ステップＳ８１５）、「擬似連予告」である場合は擬似連予告演出の内容（実行回数、演出態様）を決定する擬似連予告決定処理を実行する（ステップＳ８１６）。「擬似連予告」でない場合は（ステップＳ８１５のＮ）、通常予告演出の内容（演出態様）を決定する通常予告決定処理を実行する（ステップＳ８１７）。そして、演出制御用ＣＰＵ１０１は、演出制御プロセスフラグの値を演出図柄変動開始処理に対応した値に更新する（ステップＳ８１８）。
【０２３５】
図２０は、先読み予告決定処理（ステップＳ８１４）を示すフローチャートである。先読み予告決定処理において、演出制御用ＣＰＵ１０１は、まず、入賞時判定結果指定コマンドを受信したかどうかを確認する（ステップＳ８１４Ａ）。入賞時判定結果指定コマンドを受信していなければ、そのまま処理を終了する。入賞時判定結果指定コマンドを受信していれば、演出制御用ＣＰＵ１０１は、保留記憶数カウンタの値にもとづいて保留記憶数（合算保留記憶数）を確認する（ステップＳ８１４Ｂ）。なお、演出制御用ＣＰＵ１０１は、コマンド解析処理において、合算保留記憶数指定コマンドを受信した場合に保留記憶数カウンタの値を合算保留記憶数指定コマンドで指定された値とし、合算保留記憶数減算指定コマンドを受信した場合に保留記憶数カウンタの値を１減算する。
【０２３６】
次に、演出制御用ＣＰＵ１０１は、入賞時判定結果指定コマンドで指定された大当り種別等（はずれ、通常大当り、確変大当り）とステップＳ８１４Ｂで確認した保留記憶数に応じた先読み予告選択テーブルを選択する（ステップＳ８１４Ｃ）。具体的には、大当り種別等（はずれ、通常大当り、確変大当り）と保留記憶数が１，２，３，４以上のそれぞれに対応した先読み予告選択テーブルが用意されている。すなわち、はずれ用の保留記憶数１のときの先読み予告選択テーブル、はずれ用の保留記憶数２のときの先読み予告選択テーブル、はずれ用の保留記憶数３のときの先読み予告選択テーブル、はずれ用の保留記憶数４のときの先読み予告選択テーブル、通常大当り用の保留記憶数１のときの先読み予告選択テーブル、通常大当り用の保留記憶数２のときの先読み予告選択テーブル、通常大当り用の保留記憶数３のときの先読み予告選択テーブル、通常大当り用の保留記憶数４のときの先読み予告選択テーブル、確変大当り用の保留記憶数１のときの先読み予告選択テーブル、確変大当り用の保留記憶数２のときの先読み予告選択テーブル、確変大当り用の保留記憶数３のときの先読み予告選択テーブル、確変大当り用の保留記憶数４のときの先読み予告選択テーブルが用意されている。
【０２３７】
また、各々の先読み予告選択テーブルには、１回〜４回の変動中に実行される先読み予告演出の複数種類の演出態様と先読み予告を実行しないとする「先読み予告なし」とが設定され、それぞれの演出態様と「先読み予告なし」に所定数の判定値が割り振られている。例えば、はずれでかつ保留記憶数が１に対応した先読み予告選択テーブル（はずれ用の保留記憶数１のときの先読み予告選択テーブル）には、１回の変動中に実行される先読み予告演出の演出態様が複数設定されるとともに「先読み予告なし」が設定され、それぞれの演出態様と「先読み予告なし」に所定数の判定値が割り振られている。また、はずれでかつ保留記憶数が２に対応した先読み予告選択テーブル（はずれ用の保留記憶数２のときの先読み予告選択テーブル）には、２回の変動に亘って実行される先読み予告演出の演出態様が複数設定されるとともに「先読み予告なし」が設定され、それぞれの演出態様と「先読み予告なし」に所定数の判定値が割り振られている。なお、保留記憶数が０のときは、先読み予告演出を実行することができないため、先読み予告演出を実行しないと決定することになる。
【０２３８】
はずれ用の先読み予告選択テーブルと通常大当り用の先読み予告選択テーブルと確変大当り用の先読み予告選択テーブルでは、先読み予告演出を実行すると決定される割合（「先読み予告なし」を選択する割合）が異なるように、「先読み予告なし」に対して割り振られる判定値の数が異なっている。ここで、はずれのときが最も先読み予告が実行される割合が低くなるように設定され、通常大当りのときがはずれのときよりも先読み予告が実行される割合が高くなるように設定され、確変大当りのときが最も先読み予告が実行される割合が高くなるように設定されている。従って、先読み予告が実行されることにより、遊技者は確変大当りの発生を期待することになる。
【０２３９】
そして、演出制御用ＣＰＵ１０１は、予告演出決定用乱数を抽出し、抽出した乱数値とステップＳ８１４Ｃで選択した先読み予告選択テーブルに設定された判定値とを比較することにより先読み予告演出の内容（実行回数（繰り返し回数、変動回数）、演出態様）を決定する（ステップＳ８１４Ｄ）。
【０２４０】
先読み予告の実行割合は、大当り種別に応じて異なる割合であればよいが、この実施の形態では、遊技者に付与する遊技価値の高い大当りが発生する場合に高い割合とされている。上記の例では、確変大当りが通常大当りよりも高い実行割合とされている。また、突然確変大当りのときは、先読み予告が実行されないので、先読み予告が実行された場合には、１５ラウンドの大当り（通常大当り、確変大当り）を遊技者は期待することになる。なお、大当り種別として、大当り遊技の終了後の時短回数の異なる大当りが設けられている場合には（例えば、時短回数が５０回と１００回）、時短回数の多い大当りが発生する場合に先読み予告の実行割合を高くする。また、ラウンド数の異なる大当りが設けられている場合には（例えば７ラウンドと１５ラウンド）、ラウンド数の多い大当りが発生する場合に先読み予告の実行割合を高くする。また、ラウンド数は同じであってもラウンド中の開放時間が異なる大当りが設けられている場合には（例えば１５ラウンド全ての開放時間が３０秒と、７ラウンドまでは開放時間が３０秒で８ラウンド以降は開放時間が０．５秒）、開放時間の長い大当りが発生する場合に先読み予告の実行割合を高くする。このように、遊技者に付与する遊技価値の高い大当りが発生する場合に先読み予告を高い割合で実行するように構成されているので、遊技者は、先読み予告に対し一層高い期待を持たせることができる。
【０２４１】
また、この実施の形態では、第１確変大当りの場合よりも第２確変大当りの場合の方が先読み予告の実行割合が高くなるように構成するのが好ましい。仮に、第１確変大当りの場合の方が第２確変大当りよりも先読み予告の実行割合が高くなるように構成すると、先読み予告が実行された場合に確変図柄でリーチとならなかったときは、大当りの可能性が低いと遊技者は認識してがっかりすることになるが、第１確変大当りの場合よりも第２確変大当りの場合の方が先読み予告の実行割合が高くなるように構成した場合には、先読み予告が実行された場合に確変図柄でリーチとならなかった場合でも、大当りが発生し、さらに大当り中に昇格演出が実行されて確変大当りに昇格するとの期待を持たせることができる。
【０２４２】
図２１は、擬似連予告決定処理（ステップＳ８１６）を示すフローチャートである。擬似連予告決定処理において、演出制御用ＣＰＵ１０１は、まず、擬似連の変動パターンコマンドを受信したかどうかを確認する（ステップＳ８１６Ａ）。擬似連の変動パターンコマンドを受信していなければ、そのまま処理を終了する。擬似連の変動パターンコマンドを受信していれば、演出制御用ＣＰＵ１０１は、当該変動パターンコマンドにもとづいて擬似連回数を確認する（ステップＳ８１６Ｂ）。
【０２４３】
次に、演出制御用ＣＰＵ１０１は、ステップＳ８１６Ｂで確認した擬似連回数に応じた擬似連予告選択テーブルを選択する（ステップＳ８１６Ｃ）。具体的には、擬似連回数が１〜４のそれぞれに対応した擬似連予告選択テーブルが用意されている。そして、擬似連回数が１に対応した擬似連予告選択テーブルには、１回の再変動において実行される擬似連予告演出（ステップアップ予告演出）の演出態様が設定され、その演出態様に所定数の判定値が割り振られている。擬似連回数が２に対応した擬似連予告選択テーブルには、２回の再変動に亘って実行される擬似連予告演出の演出態様が複数設定され、それぞれの演出態様に所定数の判定値が割り振られている。擬似連回数が３に対応した擬似連予告選択テーブルには、３回の再変動に亘って実行される擬似連予告演出の演出態様が複数設定され、それぞれの演出態様に所定数の判定値が割り振られている。擬似連回数が４に対応した擬似連予告選択テーブルには、４回の変動に亘って実行される擬似連予告演出の演出態様が複数設定され、それぞれの演出態様に所定数の判定値が割り振られている。
【０２４４】
そして、演出制御用ＣＰＵ１０１は、予告演出決定用乱数を抽出し、抽出した乱数値とステップＳ８１６Ｃで選択した擬似連予告選択テーブルに設定された判定値とを比較することにより擬似連予告演出の内容（実行回数（繰り返し回数、擬似連回数）、演出態様）を決定する（ステップＳ８１６Ｄ）。
【０２４５】
なお、図示していないが、通常予告決定処理も、予告演出決定用乱数と、所定の予告演出選択テーブルとを用いて、所定の通常予告演出の内容（演出態様）を決定する。
【０２４６】
図２２は、演出制御プロセス処理における演出図柄変動開始処理（ステップＳ８０１）を示すフローチャートである。演出図柄変動開始処理において、演出制御用ＣＰＵ１０１は、まず、変動パターンコマンド格納領域から変動パターンコマンドを読み出す（ステップＳ８２０）。なお、コマンド解析処理において、変動パターンコマンドの受信に応じて変動パターンコマンド格納領域に変動パターンコマンドが格納される。次いで、表示結果指定コマンド格納領域に格納されているデータ（すなわち、受信した表示結果指定コマンド）に応じて演出図柄（飾り図柄）の表示結果（停止図柄）を決定する（ステップＳ８２１）。なお、コマンド解析処理において、表示結果指定コマンドの受信に応じて表示結果指定コマンド格納領域に表示結果指定コマンドが格納される。また、ステップＳ８２１において、演出制御用ＣＰＵ１０１は、ステップＳ８１４で先読み予告を実行する場合は、演出図柄（飾り図柄）の表示結果（停止図柄）として特殊表示結果（チャンス目）を決定する。
【０２４７】
また、演出制御用ＣＰＵ１０１は、ステップＳ８１６で擬似連予告を実行する場合は（あるいは、ステップＳ８２０で読み出した変動パターンコマンドで指定されている変動パターンが擬似連の変動パターンである場合は）、複数回の再変動後に仮停止される仮停止図柄として特殊表示結果（チャンス目）を決定する（ステップＳ８２２）。この実施の形態では、チャンス目として、例えば「３３４」「４４５」「５５６」「６６７」等の出目としている。
【０２４８】
なお、演出制御用ＣＰＵ１０１は、ステップＳ８２１，Ｓ８２２で決定した演出図柄の停止図柄および仮停止図柄を示すデータを演出図柄表示結果格納領域に格納する。
【０２４９】
次いで、演出制御用ＣＰＵ１０１は、変動パターンに応じたプロセステーブルを選択する（ステップＳ８２３）。そして、選択したプロセステーブルのプロセスデータ１におけるプロセスタイマをスタートさせる（ステップＳ８２４）。
【０２５０】
ここで、プロセステーブルとは、演出制御用ＣＰＵ１０１が演出装置の制御を実行する際に参照するプロセスデータが設定されたテーブルである。すなわち、演出制御用ＣＰＵ１０１は、プロセステーブルに設定されているプロセスデータに従って演出表示装置９等の演出装置（演出用部品）の制御を行う。プロセステーブルは、プロセスタイマ設定値と表示制御実行データ、ランプ制御実行データ、役物制御実行データおよび音番号データの組み合わせが複数集まったデータで構成されている。表示制御実行データには、演出図柄（飾り図柄）の可変表示の可変表示時間（変動時間）中の変動態様を構成する各変動の態様を示すデータ等が記載されている。具体的には、演出表示装置９の表示画面の変更に関わるデータが記載されている。役物制御実行データには、役物９０の回転・点灯の態様を示すデータ等が記載されている。また、プロセスタイマ設定値には、その変動の態様での変動時間が設定されている。演出制御用ＣＰＵ１０１は、プロセステーブルを参照し、プロセスタイマ設定値に設定されている時間だけ表示制御実行データに設定されている変動の態様で演出図柄を表示させる制御を行い、プロセスタイマ設定値に設定されている時間だけ役物制御実行データに設定されている態様で役物９０を回転・点灯させる制御を行う。
【０２５１】
プロセステーブルは、演出制御基板８０におけるＲＯＭに格納されている。また、プロセステーブルは、各変動パターンに応じて用意されている。
【０２５２】
なお、リーチ演出を伴う変動パターンについて演出制御を実行する場合に用いられるプロセステーブルには、変動開始から所定時間が経過したときに左図柄を停止表示させ、さらに所定時間が経過すると右図柄を停止表示させることを示すプロセスデータが設定されている。なお、停止表示させる図柄をプロセステーブルに設定するのではなく、決定された停止図柄、擬似連や滑り演出における仮停止図柄に応じて、図柄を表示するための画像を合成して生成するようにしてもよい。
【０２５３】
なお、擬似連中の演出図柄の仮停止パターンもプロセステーブルに設定されている制御データに従って実行される。
【０２５４】
また、演出制御用ＣＰＵ１０１は、プロセスデータ１の内容（表示制御実行データ１、ランプ制御実行データ１、音番号データ１）に従って演出装置（演出用部品としての演出表示装置９、演出用部品としての各種ランプおよび演出用部品としてのスピーカ２７Ｒ，２７Ｌ）の制御を実行する（ステップＳ８２５）。例えば、演出表示装置９において変動パターンに応じた画像を表示させるために、ＶＤＰ１０９に指令を出力する。また、各種ランプを点灯／消灯制御を行わせるために、ランプドライバ基板３５に対して制御信号（ランプ制御実行データ）を出力する。また、スピーカ２７Ｒ，２７Ｌからの音声出力を行わせるために、音声出力基板７０に対して制御信号（音番号データ）を出力する。
【０２５５】
なお、この実施の形態では、演出制御用ＣＰＵ１０１は、変動パターンコマンドに１対１に対応する変動パターンによる演出図柄の可変表示が行われるように制御するが、演出制御用ＣＰＵ１０１は、変動パターンコマンドに対応する複数種類の変動パターンから、使用する変動パターンを選択するようにしてもよい。
【０２５６】
そして、変動時間タイマに、変動パターンコマンドで特定される変動時間に相当する値を設定し（ステップＳ８２６）、演出制御プロセスフラグの値を演出図柄変動中処理（ステップＳ８０３）に対応した値にする（ステップＳ８２７）。
【０２５７】
図２３は、演出制御プロセス処理における演出図柄変動中処理（ステップＳ８０３）を示すフローチャートである。演出図柄変動中処理において、演出制御用ＣＰＵ１０１は、ステップＳ８１４，Ｓ８１６，Ｓ８１７にて予告演出を実行すると決定されている場合には、決定されている所定の予告演出（先読み予告、擬似連予告、通常予告）を所定のタイミングで実行する（ステップＳ８４０）。この実施の形態では、後述するように（図２５参照）、先読み予告と擬似連予告は、演出図柄の変動開始時に実行される。通常予告は、演出図柄の変動開始から所定期間経過した時点で実行される。
【０２５８】
次に、演出制御用ＣＰＵ１０１は、プロセスタイマの値を１減算するとともに（ステップＳ８４１）、変動時間タイマの値を１減算する（ステップＳ８４２）。プロセスタイマがタイムアウトしたら（ステップＳ８４３）、プロセスデータの切替を行う。すなわち、プロセステーブルにおける次に設定されているプロセスタイマ設定値をプロセスタイマに設定する（ステップＳ８４４）。また、その次に設定されている表示制御実行データ、ランプ制御実行データおよび音番号データにもとづいて演出装置に対する制御状態を変更する（ステップＳ８４５）。
【０２５９】
次いで、演出制御用ＣＰＵ１０１は、変動時間タイマがタイムアウトしていれば（ステップＳ８４６）、演出制御プロセスフラグの値を演出図柄変動停止処理（ステップＳ８０４）に応じた値に更新する（ステップＳ８４８）。変動時間タイマがタイムアウトしていなくても、図柄確定指定コマンドを受信したことを示す確定コマンド受信フラグがセットされていたら（ステップＳ８４７）、ステップＳ８４８に移行する。変動時間タイマがタイムアウトしていなくても図柄確定指定コマンドを受信したら変動を停止させる制御に移行するので、例えば、基板間でのノイズ等に起因して長い変動時間を示す変動パターンコマンドを受信したような場合でも、正規の変動時間経過時（特別図柄の変動終了時）に、演出図柄の変動を終了させることができる。
【０２６０】
演出制御プロセス処理における演出図柄変動中処理の終了後、演出図柄変動停止処理（ステップＳ８０４）が実行され、演出図柄の停止図柄が大当り図柄または小当り図柄であれば大当り表示処理に移行され、演出図柄の停止図柄がはずれ図柄であれば変動パターンコマンド受信待ち処理に移行される。
【０２６１】
次に、擬似連の変動における仮停止パターンの具体例について説明する。図２４は、通常パターンと特定パターンの表示例を示す説明図である。図２４（１）〜（４）に示す表示例が通常パターンを説明するための表示例であり、図２４（１１）〜（１６）に示す表示例が特定パターンを説明するための表示例である。
【０２６２】
通常パターンの場合は、図２４（１）に示すように演出表示装置９にて擬似連の変動が実行されている（左中右の演出図柄が変動している）状態において、所定時間が経過すると最初に左の演出図柄が「１」で仮停止し（図２４（２））、次に右の演出図柄が「２」で仮停止し（図２４（３））、最後に中の演出図柄が「１」で仮停止する（図２４（４））。このように、通常パターンでは、左中右の演出図柄の変動が開始されてから所定時間が経過すると、左中右の演出図柄が順次仮停止する。なお、仮停止図柄「１１２」はチャンス目である。その後、演出図柄の再変動が実行され、擬似連（再変動）が継続して実行されるか、または、そのまま変動が終了する。
【０２６３】
特定パターンの場合は、図２４（１１）に示すように演出表示装置９にて擬似連の変動が実行されている（左中右の演出図柄が変動している）状態において、所定時間が経過すると最初に左の演出図柄が「１」で仮停止し（図２４（１２））、次に右の演出図柄が低速変動となった後（図２４（１３））、右の演出図柄「１」が図柄停止位置に来て仮停止しそうになるが（図２４（１４））、図柄停止位置で回転する（図２４（１５））。その後、回転が止まることにより右の演出図柄が「２」で仮停止し、そして、中の演出図柄が「１」で仮停止する（図２４（１６））。このように、特定パターンでは、チャンス目を仮停止させるときに、リーチ状態が成立可能な演出図柄（図２４の例では左の演出図柄に「１」を仮停止させているので右の演出図柄「１」）に対して特定可変表示演出（右の演出図柄「１」を回転させる演出）を実行した後にチャンス目を構成する左中右の演出図柄を仮停止させる。図２４に示す特定可変表示演出は、右の演出図柄を図柄停止位置（リーチ状態を成立させる図柄停止のライン上）で回転させる演出を行っているが、このような演出に限られず、滑り演出や戻り演出等であってもよい。その後、演出図柄の再変動が実行され、擬似連（再変動）が継続して実行されると、リーチが確定する。さらに、再変動が３回以上実行された場合は、スーパーリーチが確定する。
【０２６４】
次に、先読み予告と擬似連予告の内容について説明する。図２５は、先読み予告演出または擬似連予告演出の表示例を示す説明図である。上述したように、「先読み予告」と「擬似連予告」は、同一内容の予告演出とされている。従って、遊技者は、演出内容にとっていずれの予告演出が実行されたかを認識できない（し難い）ように構成されている。
【０２６５】
図２５（１）に示すように、先読み予告または擬似連予告が実行される場合は、演出図柄の変動の開始時に演出表示装置９の上方の役物９０が回転（作動）するとともに点灯する。これにより、先読み予告または擬似連予告が開始（実行）されたことを遊技者に容易に認識させることができる。ここで、先読み予告演出の実行時間および擬似連予告演出の実行時間は、いずれも、変動時間（可変表示時間）として設定されている最短の変動時間（具体的には、図４に示す短縮変動はずれの変動パターンの変動時間１．５０秒）よりも短い時間に設定されている。このような構成によれば、時短機能（時短状態ときの変動時間の短縮機能や、図４には示していないが保留数に応じて変動時間を短縮する保留短縮機能等）により変動時間が短縮された場合であっても予告演出（先読み予告演出、擬似連予告演出）が実行不可能になるという不具合が生じるのを防止することができる。
【０２６６】
次に、図２５（２）に示すように、演出表示装置９の画面上にキャラクタＡ，Ｂが登場する予告が実行される。そして、図２５（３）に示すように、演出図柄の停止図柄（先読み予告が実行されている場合は停止図柄）または仮停止図柄（擬似連予告が実行されている場合は仮停止図柄）としてチャンス目「６６７」が停止または仮停止される。このとき、スピーカ２７から「ガイーン」という特殊な効果音が出力される。そして、図２５（４）に示すように、演出図柄の変動または再変動の開始時に演出表示装置９の上方の役物９０が回転（作動）するとともに点灯する。これにより、先読み予告または擬似連予告が次の変動または再変動においても継続されたことを遊技者に容易に認識させることができる。その後、図２５（２）〜（４）を先読み予告の実行回数（変動回数）または擬似連予告の実行回数（擬似連回数）だけ繰り返し実行する。そして、図示していないが、左右図柄（リーチ図柄）が同一図柄で停止し、スーパーリーチに発展する。
【０２６７】
図２６は、先読み予告演出と擬似連予告演出における保留記憶の消化を示すタイミング図である。なお、先読み予告演出と擬似連予告演出が開始されるタイミングにおいて、３個の保留記憶がある（保留記憶数が３個である）ものとする。
【０２６８】
先読み予告の場合、演出図柄の変動開始時に役物９０が回転・点灯するとともに、保留記憶数が１減算されて２個になり、保留記憶表示が２個点灯した状態となる。その演出図柄の変動中に、始動入賞口（例えば第１始動入賞口１３）に遊技球が入賞すると、保留記憶数が１加算されて３個になり、保留記憶表示が３個点灯した状態となる。そして、変動時間が経過すると、演出図柄の停止図柄としてチャンス目が停止表示され、再度、演出図柄の変動が開始される。そして、再び、演出図柄の変動開始時に役物９０が回転・点灯するとともに、保留記憶数が１減算されて２個になり、保留記憶表示が２個点灯した状態となる。そして、変動時間が経過すると、演出図柄の停止図柄としてチャンス目が停止表示され、再度、演出図柄の変動が開始される。そして、再び、演出図柄の変動開始時に役物９０が回転・点灯するとともに、保留記憶数が１減算されて１個になり、保留記憶表示が１個点灯した状態となる。そして、変動時間が経過すると、演出図柄の停止図柄としてリーチ図柄が停止表示され、スーパーリーチに発展する。
【０２６９】
擬似連予告の場合、演出図柄の変動開始時に役物９０が回転・点灯するとともに、保留記憶数が１減算されて２個になり、保留記憶表示が２個点灯した状態となる。その演出図柄の変動中に、始動入賞口（例えば第１始動入賞口１３）に遊技球が入賞すると、保留記憶数が１加算されて３個になり、保留記憶表示が３個点灯した状態となる。そして、再変動時間が経過すると、演出図柄の仮停止図柄としてチャンス目が停止表示され、演出図柄の再変動が開始される。そして、再び、演出図柄の再変動開始時に役物９０が回転・点灯する。このとき、保留記憶数が１減算されず３個のままであり、保留記憶表示が３個点灯した状態となる。そして、再変動時間が経過すると、演出図柄の仮停止図柄としてチャンス目が停止表示され、演出図柄の再変動が開始される。そして、再び、演出図柄の再変動開始時に役物９０が回転・点灯する。このときも、保留記憶数が１減算されず３個のままであり、保留記憶表示が３個点灯した状態となる。そして、再変動時間が経過すると、演出図柄の停止図柄としてリーチ図柄が停止表示され、スーパーリーチに発展する。
【０２７０】
このように、先読み予告の場合と擬似連予告の場合とでは、予告演出の内容が同一であるが、保留記憶の消化タイミングについては異なる。先読み予告の場合は複数回の変動に亘って連続して実行される予告演出（連続予告演出）であるのに対し、擬似連予告の場合は１回の変動中における複数回の再変動に亘って実行される予告演出であるからである。
【０２７１】
図１および図２５に示した例では、役物９０は１個だけ設けられていたが、図２７に示すように、４個の役物９１〜９４を設けてもよい。図２７に示す例では、役物９１には「１」の番号が付され、役物９２には「２」の番号が付され、役物９３には「３」の番号が付され、役物９４には「４」の番号が付されている。そして、先読み予告の１回目の変動時は役物９１のみ回転・点灯し、２回目の変動時は役物９１，９２が回転・点灯し、３回目の変動時は役物９１，９２，９３が回転・点灯し、４回目の変動時は役物９１〜９４が回転・点灯する。また、
擬似連予告の１回目の再変動時は役物９１のみ回転・点灯し、２回目の再変動時は役物９１，９２が回転・点灯し、３回目の再変動時は役物９１，９２，９３が回転・点灯し、４回目の再変動時は役物９１〜９４が回転・点灯する。このような構成によれば、先読み予告の実行回数（連続回数）や擬似連予告の実行回数（連続回数）を容易かつ確実に遊技者に認識させることが可能となる。
【０２７２】
なお、この実施の形態では、先読み予告・擬似連予告を行う場合には、ほぼ演出図柄の変動を開始すると同時に開始され、スーパーリーチ予告画面１〜３のいずれかの重畳表示が開始されていたが、演出図柄の変動表示中のうちの所定期間中のみ実行するようにしてもよい。例えば、演出図柄の変動表示開始後、所定の予告開始時間となったことにもとづいて、先読み予告・擬似連予告のいずれかを所定期間（例えば１秒）実行するようにしてもよい。
【０２７３】
また、この実施の形態では、あらかじめ始動入賞時にスーパーリーチと判定されたことにもとづいて、図２５に示すような予告演出を実行する場合を示したが、例えば、スーパーリーチとならない場合であっても低い確率で図２５と同様の態様の予告演出を実行するようにしてもよい。
【０２７４】
以上に説明したように、この実施の形態によれば、擬似連の変動中の仮停止パターンとして通常パターンと特定パターンを設け、特定パターンで仮停止した後に擬似連（再変動）が継続して実行された場合はリーチが確定するように構成しているので、擬似連の変動パターンにおける再変動の実行回数だけでなく、再変動が特定パターンで仮停止するか否かについても遊技者に注目させることにより、再変動の実行回数による特定遊技状態の期待と、特定パターンによるリーチ態様が成立するか否かの期待とを２段階で煽ることができ、遊技者にとって認識し易い演出で期待を高めて遊技の興趣を向上させることができる。
【０２７５】
また、この実施の形態では、再変動を所定実行回数（３回）以上実行しかつ再変動が特定パターンで仮停止する場合はスーパーリーチが確定するように構成しているので、所定実行回数以上の再変動が実行されるか否かと特定パターンが実行されるか否かについても遊技者に注目させることができ、より一層、期待感を向上させることができる。
【０２７６】
また、この実施の形態では、複数回の可変表示に亘って実行される先読み予告と複数回の再可変表示に亘って実行される擬似連予告とを共通の態様の演出としているので、それらの予告演出の間に関連性を持たせることができる。その結果、遊技者は、先読み予告が実行されたか擬似連予告が実行されたかについて認識できないため、より一層、予告演出に対して注目することになり、効果的に遊技の興趣を向上させることができる。
【０２７７】
また、先読み予告演出および擬似連予告演出の実行時間は、演出図柄（特別図柄）の変動時間として設定されている最短の変動時間よりも短い時間とされているので、短縮機能により変動時間が短縮された場合であっても予告演出（先読み予告演出、擬似連予告演出）が実行不可能になるという不具合が生じるのを防止することができる。
【０２７８】
また、１回または複数回の可変表示を開始するときに繰り返し先読み予告演出を実行し、１回または複数回の再可変表示を開始するときに繰り返し擬似連予告演出を実行するように構成されているので、演出図柄の変動が開始されるタイミングに合わせて遊技者の期待感を煽ることができる。
【０２７９】
また、先読み予告演出および擬似連予告演出が実行される場合、１回または複数回の可変表示の表示結果または再可変表示の表示結果として特殊表示結果（チャンス目）を導出表示するように構成されているので、どのような表示結果が導出表示されるかどうかについて遊技者に興味を持たせ、特殊表示結果が導出表示されることに対して遊技者の期待感を煽ることができる。
【０２８０】
また、図２７に示したように、先読み予告および擬似連予告の実行回数（先読み予告のときの変動回数、擬似連予告のときの擬似連回数）を役物９１〜９４を用いて報知する演出を実行するように構成されているので、予告演出が実行される実行回数について遊技者に興味を持たせ、特殊表示結果（チャンス目）が導出表示されることに対して遊技者の期待感を煽ることができる。
【０２８１】
また、予告種別を複数種類のいずれかに決定した後に、決定した予告種別に含まれる複数種類の予告演出の態様の中から決定するように構成されているので、プログラム容量の増加を招くことなく多様な演出を実行して遊技の興趣を向上させることができる。また、開発時において演出の振分を容易に設定することができ、開発工数の削減を図れる。
【０２８２】
なお、上記の実施の形態では、先読み予告と擬似連予告が共通の態様の演出であればよく、図２５等に示した演出内容に限られない。例えば、変動または再変動が実行される毎に段階的に演出内容が変化するステップアップ予告や、操作ボタンの操作に応じて実行するボタン予告などの予告演出を繰り返し実行する構成であってもよい。また、先読み予告および擬似連予告として、特定の演出モード（特定の背景画像等が表示される演出モード）に変化させるようにしてもよい。また、先読み予告および擬似連予告として、複数回の変動または再変動に亘って実行される予告演出がストーリー性のある演出内容であってもよい。また、先読み予告および擬似連予告として、ミッション演出（ミッションを提示し、そのミッションが１回または複数回の変動または再変動において達成されればスーパーリーチ等となる演出）を実行するようにしてもよい。
【０２８３】
上述した実施の形態では、変動パターン判定用乱数（ランダム３）を用いて変動パターンを決定するだけであったが、実際の遊技機では、図４に示した変動パターンの数よりも多くの変動パターンが用意されており、また、擬似連の変動パターンや滑り演出を行う演出パターンといった特殊な演出を行う変動パターンも用意されている。従って、開発時において変動パターンの振り分けを最適な振り分けに設定するのが困難であるなどの課題があった。そこで、上記の実施の形態の変形例として、変動パターン判定用乱数（ランダム３）のほかに変動パターン種別判定用乱数（ランダム２）を設け、変動パターン種別判定用乱数（ランダム２）を用いて変動パターン種別を決定し、変動パターン判定用乱数（ランダム３）を用いて、決定した変動パターン種別に含まれるいずれかの変動パターンに決定する（すなわち、２段階の抽選処理によって変動パターンを決定する）ように構成するのが好ましい。このような構成によれば、開発時において可変表示パターンの振分を容易に設定することができ、開発工数の削減を図れる。また、プログラム容量の増加を招くことなく、例えばリーチ状態とならない場合においても多様な演出（擬似連の演出や滑り演出）を実行して遊技の興趣を向上させることができる。
【０２８４】
なお、変動パターン種別とは、複数の変動パターンをその変動態様の特徴に従ってグループ化したものである。例えば、複数の変動パターンをリーチの種類でグループ化して、ノーマルリーチを伴う変動パターンを含む変動パターン種別と、スーパーリーチＡを伴う変動パターンを含む変動パターン種別と、スーパーリーチＢを伴う変動パターンを含む変動パターン種別とに分けてもよい。また、例えば、複数の変動パターンを擬似連の再変動の回数でグループ化して、擬似連を伴わない変動パターンを含む変動パターン種別と、再変動１回の変動パターンを含む変動パターン種別と、再変動２回の変動パターンを含む変動パターン種別と、再変動３回の変動パターンを含む変動パターン種別とに分けてもよい。また、例えば、複数の変動パターンを擬似連や滑り演出などの特定演出の有無でグループ化してもよい。
【０２８５】
上記のような変形例の構成では、遊技制御用マイクロコンピュータ５６０は、はずれ用変動パターン種別判定テーブルを用いて変動パターン種別を決定して変動パターンを決定する。この場合、はずれ用変動パターン種別判定テーブルは、スーパーリーチを伴う変動パターンを含む変動パターン種別に対しては、保留記憶数にかかわらず、共通の判定値（例えば２３０〜２５１）が割り当てられている。また、はずれ用変動パターン種別判定テーブルは、スーパーリーチ以外の変動パターン（ノーマルリーチや非リーチ）を含む変動パターン種別に対しては、保留記憶数に応じて異なる判定値が割り当てられている。そのため、保留記憶数が多くなるに従って可変表示時間の短い変動パターンを含む変動パターン種別に対する判定値の割合が多くなるように割り当てを行うことによって、可変表示の作動率が低下してしまう事態を極力防止することができる。
【０２８６】
図２８は、はずれ用変動パターン種別判定テーブルにおける判定値の割り当て状態を示す説明図である。この実施の形態では、例えば、保留記憶数が３以上である場合には、第１のはずれ用変動パターン種別判定テーブル（図２８の左側のテーブル）が用いられ、保留記憶数が０〜２（３以下）である場合には、第２のはずれ用変動パターン種別判定テーブル（図２８の右側のテーブル）が用いられるものとする。図２８に示すように、保留記憶数が３以上である場合には、保留記憶数が０〜２である場合に比較して、リーチ（ノーマルリーチ、スーパーリーチ）となる割合が少ない。また、保留記憶数が３以上である場合には、変動時間の短い非リーチはずれの変動パターンが高い割合で選択され得るので、保留記憶数が多くなるに従って平均的な変動時間を短くすることができる。これによって、可変表示の作動率が低下してしまう事態を極力防止することができる。すなわち、保留記憶数が多いとき（例えば保留記憶数が３や４のとき）は、変動時間の短い変動パターンを選択されやすくして無駄な始動入賞（保留記憶が４のときに発生する保留記憶されない始動入賞）が発生するのを防止するとともに、保留記憶数が少ないとき（例えば保留記憶数が０〜２のとき）は、変動時間の長い変動パターンを選択されやすくして変動が途切れないようにすることができる。また、保留記憶数が少ないときに変動時間を長くするためにスーパーリーチの変動パターンを選択されやすくすると、スーパーリーチの大当り信頼度が停止してしまい（スーパーリーチが頻繁に発生するにもかかわらず大当りにならない事態が生じてしまい）、遊技者のスーパーリーチに対する信頼度を著しく低下させてしまうおそれがあるため、図２８に示す構成では、保留記憶数にかかわらず、スーパーリーチの変動パターンについては一定の割合で選択されるようにしている。
【０２８７】
また、この実施の形態では、図２８に示すように、保留記憶数にかかわらず、スーパーリーチ（スーパーリーチＡ、スーパーリーチＢ）を伴う変動パターン種別に対して、共通の判定値（２３０〜２５１）が割り当てられている。そのため、始動入賞時において、抽出した変動パターン種別判定用乱数（ランダム２）の値さえ確認すれば、スーパーリーチとなるか否かをあらかじめ容易に判定することができる。従って、その始動入賞に対応した可変表示よりも以前に、スーパーリーチとなることを報知することができ、遊技に対する興趣を向上させることができる。
【０２８８】
さらに、始動入賞時（始動口スイッチ通過処理）において保留記憶数が少なく（例えば保留記憶数が２であり）、保留記憶数が少ないときの第１のはずれ変動パターン種別判定テーブルを用いてスーパーリーチの変動パターンを決定したにもかかわらず、変動開始時（変動パターン設定処理）において保留記憶数が多くなり（例えば保留記憶数が４となり）、保留記憶数が多いときの第２のはずれ変動パターン種別判定用テーブルを用いて非リーチはずれの変動パターンを決定するような場合も生じ得る。この場合、例えば始動入賞時に先読み判定（大当りとするか否か、リーチとするか否か等の判定）を実行し、先読み判定の結果として入賞時判定結果コマンドを演出制御用マイクロコンピュータ１００に送信し、演出制御用マイクロコンピュータ１００が入賞時判定結果コマンドにもとづいて予告演出を実行するように構成したような場合には、始動入賞時の先読み判定にてスーパーリーチの変動パターンが決定され、その変動パターンを指定する入賞時判定結果コマンドにもとづいて予告演出を実行すると決定され、予告演出が実行されたにもかかわらず、リーチがかからずはずれになってしまい、遊技者の予告演出に対する信頼度を低下させてしまうおそれがある。しかし、図２８に示す構成では、保留記憶数にかかわらず、スーパーリーチの変動パターンについては一定の割合で選択されるようにしているので、そのような事態が生じるのを確実に防止することができる。
【０２８９】
なお、この実施の形態では、保留記憶数が０〜２であるか３以上であるかの２種類について、はずれ用変動パターン種別判定テーブルの判定値の振り分けを異ならせる場合を示したが、はずれ用変動パターン種別判定テーブルの判定値の振り分けの異ならせ方は、この実施の形態で示したものに限られない。例えば、保留記憶数に応じてさらに細かく段階的に振り分けを異ならせてもよい。この場合、例えば、保留記憶数が０，１用のはずれ用変動パターン種別判定テーブルと、保留記憶数２個用、保留記憶数３個用および保留記憶数４個用のはずれ用変動パターン種別判定テーブルとをあらかじめ用意しておき、リーチを伴う変動パターン種別や短縮変動の変動パターン種別の振り分けをさらに段階的に異ならせるようにしてもよい。また、このような例にかぎらず、あらかじめ用意しておくはずれ用変動パターン種別判定テーブルの組合せは、様々なものが考えられる。例えば、保留記憶数の値ごとに別々のはずれ変動パターン種別判定テーブルをそれぞれ備えてもよい（すなわち、保留記憶数０個用、保留記憶数１個用、保留記憶数２個用、保留記憶数３個用、保留記憶数４個用・・・のはずれ変動パターン種別判定テーブルをそれぞれ別々に用いるようにしてもよい）。また、例えば、保留記憶数０〜２用、保留記憶数３用、保留記憶数４用・・・のはずれ変動パターン種別判定テーブルを用いるようにしてもよい。
【０２９０】
また、この実施の形態では、保留記憶数にかかわらず、スーパーリーチ（スーパーリーチＡ、スーパーリーチＢ）を伴う変動パターン種別に対して、全く共通の判定値（２３０〜２５１）が割り当てられている場合を示したが、一方のはずれ用変動パターン種別判定テーブルにおけるスーパーリーチに対する判定値が、他方のはずれ用変動パターン種別判定テーブルにおけるスーパーリーチに対する判定値を包含しているものであってもよい。図２９は、はずれ用変動パターン種別判定テーブルにおける判定値の割り当て状態の他の例を示す説明図である。
【０２９１】
図２９に示す変形例では、保留記憶数３以上の場合には、スーパーリーチを伴う変動パターン種別に対して判定値２３０〜２５１が割り当てられているのに対して、保留記憶数０〜２の場合には、スーパーリーチを伴う変動パターン種別に対して判定値２００〜２５１が割り当てられている。しかし、このような場合であっても、始動入賞時において、抽出した変動パターン種別判定用乱数（ランダム２）の値が少なくとも２３０〜２５１の範囲であれば、スーパーリーチとなることをあらかじめ容易に判定することができる。従って、その始動入賞に対応した可変表示よりも以前に、スーパーリーチとなることを報知することができ、遊技に対する興趣を向上させることができる。
【０２９２】
具体的には、図２９に示すように、保留記憶数が３以上である場合における非リーチの変動パターン種別に割り当てられている判定値０〜１９９のうち、判定値１００〜１９９の範囲については、保留記憶数が０〜２である場合における非リーチの変動パターン種別に割り当てられている判定値の範囲０〜９９には含まれていない。これに対して、保留記憶数が３以上である場合におけるスーパーリーチを伴う変動パターン種別に割り当てられている判定値の範囲２３０〜２５１は、保留記憶数が０〜２である場合におけるスーパーリーチを伴う変動パターン種別に割り当てられている判定値の範囲２００〜２５１にすべて含まれている。そのため、始動入賞時において、抽出した変動パターン種別判定用乱数（ランダム２）の値が少なくとも２３０〜２５１の範囲であれば、スーパーリーチとなることをあらかじめ容易に判定することができる。
【０２９３】
なお、図２９に示す変形例では、保留記憶数０〜２の場合には、ノーマルリーチを伴う変動パターン種別に対して判定値１００〜１９９が割り当てられ、保留記憶数３以上の場合には、ノーマルリーチを伴う変動パターン種別に対して判定値２００〜２２９が割り当てられ、ノーマルリーチを伴う変動パターンに対して判定値が割り当てられている範囲が重複していないが、保留記憶数０〜２の場合と３以上の場合とで、ノーマルリーチを伴う変動パターン種別に対して割り当てられている判定値の範囲が重複するようにしてもよい。例えば、保留記憶数０〜２の場合には、ノーマルリーチを伴う変動パターン種別に対して判定値１００〜１９９が割り当てられ、保留記憶数３以上の場合には、ノーマルリーチを伴う変動パターン種別に対して判定値１８０〜２２９が割り当てられるように構成してもよい。なお、このように構成した場合であっても、保留記憶数が３以上である場合におけるノーマルリーチを伴う変動パターン種別に割り当てられている判定値１８０〜２２９のうちの一部の判定値１８０〜１９９の範囲のみが、保留記憶数が０〜２である場合におけるノーマルリーチを伴う変動パターン種別に割り当てられている判定値の範囲１００〜１９９に含まれていることになる。
【０２９４】
また、この実施の形態では、スーパーリーチを伴う変動パターンを一括りの変動パターン種別としてはずれ用変動パターン種別判定テーブルを構成する場合を示したが、スーパーリーチの種類ごと（例えば、スーパーリーチＡとスーパーリーチＢ）に変動パターン種別を分けてもよい。図３０は、はずれ用変動パターン種別判定テーブルにおける判定値の割り当て状態のさらに他の例を示す説明図である。
【０２９５】
図３０に示す変形例では、保留記憶数にかかわらず、スーパーリーチＡを伴う変動パターン種別に対して判定値２３０〜２３７が割り当てられているとともに、スーパーリーチＢを伴う変動パターン種別に対して判定値２３７〜２５１が割り当てられている。しかし、このような場合であっても、始動入賞時において、抽出した変動パターン種別判定用乱数（ランダム２）の値が２３０〜２５１の範囲であれば、スーパーリーチとなることをあらかじめ容易に判定することができる。従って、その始動入賞に対応した可変表示よりも以前に、スーパーリーチとなることを報知することができ、遊技に対する興趣を向上させることができる。
【０２９６】
また、はずれ用変動パターン種別判定テーブルを図３０に示すように構成する場合であっても、スーパーリーチＡとスーパーリーチＢとの判定値の振り分けはテーブルごとに異なるようにしてもよく、図２９に示した変形例と同様に、例えば、一方のはずれ用変動パターン種別判定テーブルにおけるスーパーリーチＡ，Ｂに対する判定値が、他方のはずれ用変動パターン種別判定テーブルにおけるスーパーリーチＡ，Ｂに対する判定値を包含しているものであってもよい。また、テーブル間でスーパーリーチＡとスーパーリーチＢに対する判定値の振り分けが一部重複するように構成してもよい。このことは、この実施の形態およびこの実施の形態で示す各変形例のいずれにおいても、同様に当てはめて考えることができる。
【０２９７】
また、この実施の形態によれば、スーパーリーチを伴う変動パターン以外の変動パターンとして、擬似連を伴う変動パターンを含む。そのため、スーパーリーチとなることを報知する演出が実行されない場合であっても、擬似連を伴う可変表示が行われることによって、大当り遊技状態となることに対する期待感を高めることができ、遊技に対する興趣を向上させることができる。
【０２９８】
また、この実施の形態によれば、スーパーリーチを伴う変動パターン以外の変動パターンとして擬似連を伴う変動パターンを決定するときには、保留記憶数が少ない場合には、保留記憶数が多い場合と比較して、擬似連の再変動の実行回数が多い変動パターンを決定する。そのため、保留記憶数が多いとき（保留記憶が溜まっているとき）に再変動の実行回数が多い擬似連を伴う可変表示が頻繁に行われる事態を防止することができ、可変表示の作動率が低下してしまう事態をより防止することができる。
【０２９９】
図３１は、スーパーリーチを伴う変動パターン以外の変動パターンとして、擬似連を伴う変動パターンを含む変動パターン種別にも着目して見た場合のはずれ用変動パターン種別判定テーブルにおける判定値の割り当て状態を示す説明図である。この実施の形態では、例えば、保留記憶数が３以上である場合には、スーパーリーチを伴う変動パターン以外の変動パターンを含む変動パターン種別として、はずれ用変動パターン種別（短縮用）が選択された場合、図３１に示すように、再変動回数２回の擬似連を伴う変動パターンが選択される。一方、保留記憶数が０〜２である場合には、スーパーリーチを伴う変動パターン以外の変動パターンを含む変動パターン種別として、はずれ用変動パターン種別（非短縮用）が選択された場合、図３１に示すように、再変動回数３回の擬似連を伴う変動パターンが選択される。
【０３００】
図３１に示すように、スーパーリーチとなることを報知する演出が実行されない場合であっても、擬似連を伴う可変表示が行われる場合があるので、大当り遊技状態となることに対する期待感を高めることができ、遊技に対する興趣を向上させることができる。また、図３１に示すように、擬似連を伴う可変表示が行われる場合には、保留記憶数が０〜２と少ないときには、再変動３回の擬似連を伴う可変表示が実行され、保留記憶数が３以上と多い場合には、再変動回数が２回と少ない擬似連を伴う可変表示が実行される。そのようにすることによって、保留記憶数が多いとき（保留記憶が溜まっているとき）に再変動の実行回数が多い擬似連を伴う可変表示が頻繁に行われる事態を防止することができ、可変表示の作動率が低下してしまう事態をより防止することができる。
【０３０１】
また、この実施の形態によれば、スーパーリーチを伴う変動パターンとして擬似連を伴う変動パターンを決定する場合には、再変動の実行回数が所定回数以上（この実施の形態では４回）である擬似連を伴う変動パターンを決定可能である。また、スーパーリーチを伴う変動パターン以外の変動パターンとして擬似連を伴う変動パターンを決定する場合には、再変動の実行回数が所定回数未満（この実施の形態では２回または３回）である擬似連を伴う変動パターンを決定可能である。そのため、再変動回数が所定回数（例えば４回）以上である擬似連が実行されることによって、スーパーリーチになるかもしれないとの期待感を遊技者に抱かせることができ、遊技に対する興趣を向上させることができる。
【０３０２】
図３２は、擬似連を伴う変動パターンを含む変動パターン種別にも着目して見た場合のはずれ用変動パターン種別判定テーブルにおける判定値の割り当て状態を示す説明図である。この実施の形態では、保留記憶数にかかわらず、スーパーリーチを伴う変動パターンの変動パターン種別が選択されると、図３１に示すように、再変動回数４回の擬似連を伴う変動パターンが選択されることがある。一方、保留記憶数が３以上である場合には、スーパーリーチとならないノーマルＣＡ２−５の変動パターン種別が選択されると、図３１に示すように、再変動回数２回の擬似連を伴う変動パターンが選択されることがある。また、保留記憶数が０〜２である場合には、スーパーリーチとならない変動パターン種別が選択されると、図３１に示すように、再変動回数３回の擬似連を伴う変動パターンが選択されることがある。
【０３０３】
図３２に示すように、再変動回数が４回以上である擬似連が実行されることによって、スーパーリーチになるかもしれないとの期待感を遊技者に抱かせることができ、遊技に対する興趣を向上させることができる。
【０３０４】
なお、はずれ用変動パターン種別判定テーブルにおけるスーパーリーチを伴う変動パターン種別が割り当てられている範囲内において、いずれの種類のスーパーリーチを伴う変動パターンを割り当てるようにするかや、擬似連を伴う変動パターンをどの程度の割合で割り当てるようにするかは、この実施の形態で示したものにかぎられない。図３３は、スーパーリーチを伴う変動パターン種別が割り当てられている範囲における割り当て例を示す説明図である。
【０３０５】
例えば、図３３（Ａ）に示すように、全ての種類のリーチを割り当てるのではなく、一部の大当りに対する信頼度が高いリーチ（例えば、スーパーリーチＡ〜Ｃの中のスーパーリーチＣ）のうち、擬似連を伴うものであって、その擬似連回数が多いもの（例えば４回）を、まとめて判定値２３０〜２５１の範囲に割り当てるようにしてもよい。また、例えば、図３３（Ｂ）に示すように、リーチの種類にかかわらず、全てのリーチ（例えば、スーパーリーチＡ〜スーパーリーチＣ）について、擬似連を伴うものであって、その擬似連回数が多いものを、まとめて判定値２３０〜２５１の範囲に割り当てるようにしてもよい。さらに、例えば、図３３（Ｃ）に示すように、スーパーリーチのみ（例えば、スーパーリーチＡで擬似連を伴わない）の変動パターンとは別に、擬似連を伴うものであってその擬似連回数が多い変動パターンを、特定の変動パターンとして判定値２３０〜２５１の範囲に割り当てるようにしてもよい。
【０３０６】
実施の形態２．
図３４は、実施の形態２における疑似連変動における仮停止パターンの態様を示す説明図である。上記の実施の形態１では、擬似連の変動中において演出図柄が特定パターンで仮停止した後に再変動が継続して実行された場合にリーチが確定するように構成していたが、この実施の形態２では、擬似連の変動中において演出図柄が特定パターンで仮停止した時点でリーチが確定するように構成したものである。すなわち、上記の実施の形態１では、演出図柄が特定パターンで仮停止した後に再変動が実行された場合にリーチが確定するが、この実施の形態では、演出図柄が特定パターンで仮停止すれば、その後に再変動が必ず実行され、リーチ状態が成立する。図３４に示す例では、図６に示した例と異なり、非リーチはずれのときの擬似連の変動パターンには、特定パターンで仮停止する変動パターンを設定していない。これによって、特定パターンが実行された時点でリーチが確定することになる。なお、上記の構成（非リーチはずれのときの擬似連の変動パターンに特定パターンで仮停止する変動パターンを設定していない構成）以外の構成については、上記の実施の形態１と同様である。
【０３０７】
このような構成によっても、上記の実施の形態１の場合と同様に、擬似連の変動パターンにおける再変動の実行回数だけでなく、再変動が特定パターンで仮停止するか否かについても遊技者に注目させることにより、再変動の実行回数による特定遊技状態の期待と、特定パターンによるリーチ態様が成立するか否かの期待とを２段階で煽ることができ、遊技者にとって認識し易い演出で期待を高めて遊技の興趣を向上させることができる。さらに、特定パターンが実行されれば常にリーチが成立するので、より一層、演出図柄が仮停止するときの仮停止パターンに注目させることができる。
【０３０８】
実施の形態３．
図３５は、実施の形態３における特定パターンの態様とリーチ態様の選択率との関係を示す説明図である。上記の実施の形態１，２では、特定パターンは１種類しか設けていなかったが、実施の形態３では、図３５に示すように３種類の特定パターンＡ〜Ｃを設ける。そして、特定パターンＡ〜Ｃのいずれかが選択された場合のスーパーリーチＡ〜Ｃの選択率を図３５に示すように設定する。例えば、特定パターンＡが選択された場合は、ノーマルリーチの選択率が高く、スーパーリーチＡ，Ｂの選択率は中程度であり、スーパーリーチＣの選択率は低くなるように設定する。このような構成を実現するためには、特定パターンＡ〜Ｃに対応する変動パターン種別を用意し、その変動パターン種別の中にノーマルリーチ、スーパーリーチＡ〜Ｃのいずれかを実行する変動パターンを設定し、特定パターンＡ〜Ｃに対応した変動パターン種別の中の変動パターンを図３５に示した選択率となるように変動パターン判定テーブルに設定することにより可能である。なお、この実施の形態３の構成を上記の実施の形態１，２の構成と適宜組み合わせて適用することが可能である。
【０３０９】
実施の形態４．
図３６は、実施の形態４における先擬似報知が実行される場合の疑似連変動中に実行される仮停止パターンの態様を示す説明図である。上記の実施の形態１では、ＣＰＵ５６が、先擬似報知演出を実行するか否かを決定し（ステップＳ９０）、先擬似報知演出を実行すると決定すると、擬似連の変動の開始前に先擬似報知演出を実行する変動パターンを選択し、その変動パターンにもとづいて、演出制御用ＣＰＵ１０１が先擬似報知演出を実行するようにしていた。しかし、この実施の形態では、先擬似報知演出が実行され、かつ、擬似連の変動中に特定パターンで仮停止した場合は、スーパーリーチが確定するように構成したものである。具体的には、図６および図７に示した変動パターンに加えて、図３６に示す先擬似報知演出が実行される場合の変動パターンを用意する。図３６に示す変動パターンは、特定パターンが実行されるとスーパーリーチが確定するように、スーパーリーチの変動パターンにのみ設定されている。このような構成によれば、先擬似報知演出が実行されるか否かと特定パターンが実行されるか否かについても遊技者に注目させることができ、より一層、期待感を向上させることができる。なお、この実施の形態４の構成を上記の実施の形態１〜３の構成と適宜組み合わせて適用することが可能である。
【０３１０】
なお、この実施の形態では、スーパーリーチとしてスーパーリーチＡ〜Ｃの３種類のリーチを用いる場合を示しているが、実行可能なスーパーリーチの種類は３種類にかぎらず、４種類以上のスーパーリーチを実行可能に構成してもよい。
【０３１１】
また、この実施の形態では、擬似連中の仮停止を行うときにチャンス目を仮停止表示させるように構成されていたが、チャンス目に限られず、リーチとならない左中右の演出図柄の組合せ（左右図柄が同一図柄とならなず、チャンス目でもない左中右の演出図柄の組合せ）を仮停止表示させるようにしてもよい。
【０３１２】
また、この実施の形態によれば、大当りとすることに決定した場合には、大当りとしないことに決定した場合と比較して、高い割合でスーパーリーチを伴う変動パターンとする。そのため、スーパーリーチを伴う可変表示が行われるときの大当り遊技状態への期待感を高めることができ、遊技に対する興趣をさらに向上させることができる。
【０３１３】
また、この実施の形態によれば、スーパーリーチを伴う変動パターン以外の変動パターンとして、ノーマルリーチを伴う変動パターンまたは非リーチの変動パターンとすることに決定する。そのため、スーパーリーチを伴う可変表示が行われないときであっても、ノーマルリーチを伴う可変表示が実行されて、大当り遊技状態になるかもしれないとの期待感を与えることができ、遊技に対する興趣をさらに向上させることができる。
【０３１４】
また、この実施の形態によれば、遊技制御用マイクロコンピュータ５６０は、変動パターン種別として、スーパーリーチを伴う変動パターンを含む変動パターン種別、またはスーパーリーチを伴う変動パターンを含まない変動パターン種別とすることに決定する。そして、演出図柄の可変表示パターン種別がスーパーリーチを伴う変動パターンを含む変動パターン種別となると判定したときに、演出図柄の変動パターンがスーパーリーチを伴う変動パターンとなると判定する。そのため、変動パターン種別の振り分けを変更するだけで、スーパーリーチを伴う変動パターンとそれ以外の変動パターンとの振り分けを設計段階で容易に変更することができる。
【０３１５】
また、上記の実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７Ｒ，２７Ｌなど）を制御する回路が搭載された第２の演出制御基板との２つの基板を設けるようにしてもよい。
【０３１６】
また、上記の実施の形態では、遊技制御用マイクロコンピュータ５６０は、演出制御用マイクロコンピュータ１００に対して直接コマンドを送信していたが、遊技制御用マイクロコンピュータ５６０が他の基板（例えば、図３に示す音声出力基板７０やランプドライバ基板３５など、または音声出力基板７０に搭載されている回路による機能とランプドライバ基板３５に搭載されている回路による機能とを備えた音／ランプ基板）に演出制御コマンドを送信し、他の基板を経由して演出制御基板８０における演出制御用マイクロコンピュータ１００に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、または例えば簡略化したコマンドに変更して、演出表示装置９を制御する演出制御用マイクロコンピュータ１００に送信するようにしてもよい。その場合でも、演出制御用マイクロコンピュータ１００は、上記の実施の形態における遊技制御用マイクロコンピュータ５６０から直接受信した演出制御コマンドに応じて表示制御を行うのと同様に、音声出力基板７０、ランプドライバ基板３５または音／ランプ基板から受信したコマンドに応じて表示制御を行うことができる。
【産業上の利用可能性】
【０３１７】
本発明は、パチンコ機などの遊技機に適用可能であり、特に、可変表示手段を備えた遊技機であって、それらの可変表示手段において擬似連変動を実行可能な遊技機に好適に適用される。
【図面の簡単な説明】
【０３１８】
【図１】遊技機を正面からみた正面図である。
【図２】遊技制御基板（主基板）の回路構成例を示すブロック図である。
【図３】演出制御基板、ランプドライバ基板および音声出力基板の回路構成例を示すブロック図である。
【図４】あらかじめ用意された演出図柄の変動パターンを示す説明図である。
【図５】再変動を２回実行する疑似連の変動態様を示す説明図である。
【図６】疑似連変動中に実行される仮停止パターンの態様を示す説明図である。
【図７】疑似連変動中に実行される仮停止パターンの態様を示す説明図である。
【図８】各乱数を示す説明図である。
【図９】大当り判定テーブル、小当り判定テーブルおよび大当り種別判定テーブルを示す説明図である。
【図１０】演出制御コマンドの内容の一例を示す説明図である。
【図１１】特別図柄プロセス処理のプログラムの一例を示すフローチャートである。
【図１２】始動口スイッチ通過処理を示すフローチャートである。
【図１３】始動口スイッチ通過処理を示すフローチャートである。
【図１４】保留バッファの構成例を示す説明図である。
【図１５】特別図柄通常処理を示すフローチャートである。
【図１６】特別図柄通常処理を示すフローチャートである。
【図１７】変動パターン設定処理を示すフローチャートである。
【図１８】演出制御プロセス処理を示すフローチャートである。
【図１９】予告演出設定処理を示すフローチャートである。
【図２０】先読み予告決定処理を示すフローチャートである。
【図２１】擬似連予告決定処理を示すフローチャートである。
【図２２】演出図柄変動開始処理を示すフローチャートである。
【図２３】演出図柄変動中処理を示すフローチャートである。
【図２４】通常パターンと特定パターンの表示例を示す説明図である。
【図２５】先読み予告演出または擬似連予告演出の表示例を示す説明図である。
【図２６】先読み予告演出と擬似連予告演出における保留記憶の消化を示すタイミング図である。
【図２７】先読み予告演出および擬似連予告演出の実行回数を報知可能な役物を示す説明図である。
【図２８】はずれ用変動パターン種別判定テーブルにおける判定値の割り当て状態を示す説明図である。
【図２９】はずれ用変動パターン種別判定テーブルにおける判定値の割り当て状態の他の例を示す説明図である。
【図３０】はずれ用変動パターン種別判定テーブルにおける判定値の割り当て状態のさらに他の例を示す説明図である。
【図３１】スーパーリーチを伴う変動パターン以外の変動パターンとして、擬似連を伴う変動パターンを含む変動パターン種別にも着目して見た場合のはずれ用変動パターン種別判定テーブルにおける判定値の割り当て状態を示す説明図である。
【図３２】擬似連を伴う変動パターンを含む変動パターン種別にも着目して見た場合のはずれ用変動パターン種別判定テーブルにおける判定値の割り当て状態を示す説明図である。
【図３３】スーパーリーチを伴う変動パターン種別が割り当てられている範囲における割り当て例を示す説明図である。
【図３４】実施の形態２における疑似連変動中に実行される仮停止パターンの態様を示す説明図である。
【図３５】実施の形態３における特定パターンの態様とリーチ態様の選択率との関係を示す説明図である。
【図３６】実施の形態４における先擬似報知が実行される場合の疑似連変動中に実行される仮停止パターンの態様を示す説明図である。
【符号の説明】
【０３１９】
１      遊技機
８ａ    第１特別図柄表示器
８ｂ    第２特別図柄表示器
９      演出表示装置
１３    第１始動入賞口
１４    第２始動入賞口
２０    特別可変入賞球装置
３１    遊技制御基板（主基板）
５６    ＣＰＵ
５６０  遊技制御用マイクロコンピュータ
８０    演出制御基板
１００  演出制御用マイクロコンピュータ
１０１  演出制御用ＣＰＵ
１０９  ＶＤＰ
【図１】
2010131273.tif 000003
【図２】
2010131273.tif 000004
【図３】
2010131273.tif 000005
【図４】
2010131273.tif 000006
【図５】
2010131273.tif 000007
【図６】
2010131273.tif 000008
【図７】
2010131273.tif 000009
【図８】
2010131273.tif 000010
【図９】
2010131273.tif 000011
【図１０】
2010131273.tif 000012
【図１１】
2010131273.tif 000013
【図１２】
2010131273.tif 000014
【図１３】
2010131273.tif 000015
【図１４】
2010131273.tif 000016
【図１５】
2010131273.tif 000017
【図１６】
2010131273.tif 000018
【図１７】
2010131273.tif 000019
【図１８】
2010131273.tif 000020
【図１９】
2010131273.tif 000021
【図２０】
2010131273.tif 000022
【図２１】
2010131273.tif 000023
【図２２】
2010131273.tif 000024
【図２３】
2010131273.tif 000025
【図２４】
2010131273.tif 000026
【図２５】
2010131273.tif 000027
【図２６】
2010131273.tif 000028
【図２７】
2010131273.tif 000029
【図２８】
2010131273.tif 000030
【図２９】
2010131273.tif 000031
【図３０】
2010131273.tif 000032
【図３１】
2010131273.tif 000033
【図３２】
2010131273.tif 000034
【図３３】
2010131273.tif 000035
【図３４】
2010131273.tif 000036
【図３５】
2010131273.tif 000037
【図３６】
2010131273.tif 000038